(57)【要約】  周囲イオン化質量および／またはイオン移動度分析を実行するための装置が開示される。装置は、実質的に円筒形、管状、棒形状、コイル形状、螺旋状、または渦巻形状の衝突アセンブリ、および検体、煙、噴霧、液体、気体、手術煙、エアロゾル、または蒸気を該衝突アセンブリに方向付けるように配置され適合された第１のデバイスを備える。
2018508964.tif 000002
【特許請求の範囲】
【請求項１】
周囲イオン化質量分析および／またはイオン移動度分析を実行するための装置であって、
実質的に円筒形、管状、棒形状、コイル形状、螺旋状、または渦巻形状の衝突アセンブリと、
検体、煙、噴霧、液体、気体、手術煙、エアロゾル、または蒸気を前記衝突アセンブリに方向付けるように配置され適合された第１のデバイスとを備える、装置。
【請求項２】
周囲イオン化質量分析および／またはイオン移動度分析を実行するための装置であって、
衝突アセンブリと、
検体、煙、噴霧、液体、気体、手術煙、エアロゾル、または蒸気を前記衝突アセンブリに方向付けるように配置され適合された第１のデバイスとを備える、装置。
【請求項３】
前記衝突アセンブリは第１の長手方向軸を有し、前記第１のデバイスは、検体、煙、噴霧、液体、気体、手術煙、エアロゾル、または蒸気を実質的に前記第１の軸に直交する第２の軸に沿って前記衝突アセンブリに方向付けるように配置され適合され、
前記衝突アセンブリは第１の長手方向軸を有し、前記第１のデバイスは、前記検体、煙、噴霧、液体、気体、手術煙、エアロゾル、または蒸気を前記第１の軸に沿って前記衝突アセンブリに方向付けるように配置され適合される、請求項１または２に記載の装置。
【請求項４】
前記衝突アセンブリはメッシュである、請求項１または２に記載の装置。
【請求項５】
エアロゾル、煙、または蒸気をイオン化するための装置であって、
流入口および流出口を有する中空衝突アセンブリを備え、前記衝突アセンブリの内断面積は、（ｉ）実質的に一定である、または（ｉｉ）前記流入口から前記流出口に向かって低減する、または（ｉｉｉ）前記流入口から前記流出口に向かって増加する、いずれかである、装置。
【請求項６】
前記流入口は前記エアロゾルを受領するように配置される、請求項５に記載の装置。
【請求項７】
前記エアロゾルは、前記衝突アセンブリの縁部および／または内面に激突するように配置される、請求項６に記載の装置。
【請求項８】
前記エアロゾルは、検体イオンを形成するまたは解放するように前記内面に激突するように配置される、請求項７に記載の装置。
【請求項９】
前記検体イオンは、前記衝突アセンブリから前記流出口を介して出現するように配置される、請求項８に記載の装置。
【請求項１０】
前記衝突アセンブリは、漏斗形状の衝突アセンブリを備える、請求項５〜９のいずれか１項に記載の装置。
【請求項１１】
前記衝突アセンブリは、管状または円筒形の衝突アセンブリを備える、請求項５〜９のいずれか１項に記載の装置。
【請求項１２】
前記エアロゾルを前記衝突アセンブリの長手方向軸と実質的に同軸である軸に沿って前記衝突アセンブリの中に方向付けるように配置され適合された、第１のデバイスをさらに備える、請求項５〜１１のいずれか１項に記載の装置。
【請求項１３】
前記衝突アセンブリは、コイル構造から、または連続した管状もしくは円錐構造から形成される、請求項３〜１２のいずれか１項に記載の装置。
【請求項１４】
前記衝突アセンブリを加熱するために加熱器または加熱コイルをさらに備える、請求項１〜１３のいずれか１項に記載の装置。
【請求項１５】
前記加熱器または前記加熱コイルは前記衝突アセンブリであり、前記衝突アセンブリに前記検体、煙、噴霧、液体、気体、手術煙、エアロゾル、または蒸気が方向付けられてもよい、請求項１４に記載の装置。
【請求項１６】
前記加熱器または前記加熱コイルは、前記衝突アセンブリによって包囲されるか、または前記衝突アセンブリ内に埋め込まれる、請求項１４に記載の装置。
【請求項１７】
前記衝突アセンブリはその中に開口を備えるので、前記加熱器または加熱コイルは前記開口により前記煙、噴霧、液体、気体、手術煙、エアロゾル、または蒸気に曝されてもよい、請求項１６に記載の装置。
【請求項１８】
電力を前記加熱器または前記加熱コイルに供給するために１つまたは複数の電極をさらに備える、請求項１４〜１７のいずれか１項に記載の装置。
【請求項１９】
前記装置は、前記衝突アセンブリを加熱するために電流を前記加熱器または加熱コイルに供給するように構成され、前記電流は、約≧０．５Ａ、約≧１Ａ、約≧１．５Ａ、約≧２Ａ、約≧２．５Ａ、約≧３Ａ、約≧３．５Ａ、約≧４Ａ、約≧４．５Ａ、および約≧５Ａからなる群から選択される、請求項１４〜１８のいずれか１項に記載の装置。
【請求項２０】
前記加熱器または加熱コイルは、（ｉ）約＜１００℃、（ｉｉ）約１００〜２００℃、（ｉｉｉ）約２００〜３００℃、（ｉｖ）約３００〜４００℃、（ｖ）約４００〜５００℃、（ｖｉ）約５００〜６００℃、（ｖｉｉ）約６００〜７００℃、（ｖｉｉｉ）約７００〜８００℃、（ｉｘ）約８００〜９００℃、（ｘ）約９００〜１０００℃、（ｘｉ）約１０００〜１１００℃、および（ｘｉｉ）約＞１１００℃からなる群から選択された温度に前記衝突アセンブリを加熱するように配置される、請求項１４〜１９のいずれか１項に記載の装置。
【請求項２１】
前記加熱器または加熱コイルは、分析される前記サンプルから前記衝突アセンブリ上に堆積された汚染物質を焼き払うように配置され構成される、請求項２０に記載の装置。
【請求項２２】
前記衝突アセンブリは、セラミック、非セラミック、ガラス、ガラスセラミック、石英、鋼鉄もしくはニッケルなどの金属、または鉄クロムアルミニウム（ＦｅＣｒＡｌ）合金、Ｋａｎｔｈａｌ、Ｎｉｋｒｏｔｈａｌ、もしくはＮｉｃｈｒｏｍｅなどの金属合金である、外側衝突面であるか、または外側衝突面を備える、請求項１〜２１のいずれか１項に記載の装置。
【請求項２３】
前記検体、煙、噴霧、液体、気体、手術煙、エアロゾル、または蒸気は、約≧１ｍｍ、約≧２ｍｍ、約≧３ｍｍ、約≧４ｍｍ、約≧５ｍｍ、約≧６ｍｍ、約≧７ｍｍ、および約≧８ｍｍからなる群から選択された軸に直交する最大または最小寸法を有する、および／または約≦８、約≦７、約≦６、約≦５、約≦４、および約≦３からなる群から選択された前記軸に直交する最大または最小寸法を有する、前記衝突アセンブリの領域上の前記軸に沿って方向付けられる、請求項１〜２２のいずれか１項に記載の装置。
【請求項２４】
前記衝突アセンブリの周囲に配置されたシース管を備え、それを通って使用時に前記煙、噴霧、液体、気体、手術煙、エアロゾル、または蒸気が移動してもよい、請求項１〜２３のいずれか１項に記載の装置。
【請求項２５】
前記シース管は、前記衝突アセンブリの上流および／または下流に伸張する、請求項２４に記載の装置。
【請求項２６】
前記衝突アセンブリと前記シース管との間の電位差を維持するために１つまたは複数の電圧源を備える、請求項２４または２５に記載の装置。
【請求項２７】
前記煙、噴霧、液体、気体、手術煙、エアロゾル、または蒸気を前記衝突アセンブリ上に送達するために毛細管またはサンプル管をさらに備える、請求項１〜２６のいずれか１項に記載の装置。
【請求項２８】
前記毛細管またはサンプル管の出口オリフィスは、約０ｍｍ、約≦１ｍｍ、約１〜２ｍｍ、約２〜３ｍｍ、約３〜４ｍｍ、約４〜５ｍｍ、約５〜６ｍｍ、約６〜７ｍｍ、約７〜８ｍｍ、約８〜９ｍｍ、約９〜１０ｍｍ、および約≧１０ｍｍからなる群から選択された距離だけ前記衝突アセンブリの前記衝突面の上流に配置され、かつ／または、
前記毛細管もしくはサンプル管は穴部の中に受領されてもよく、それに取り付けられ、前記毛細管もしくはサンプル管の前記出口を前記衝突面から所定の固定距離に配置するために、前記毛細管またはサンプル管の移動の範囲を前記穴部の中に制限するように、前記装置の別の部分を係合するためにその外面から半径方向外方に伸張する、移動制限部材を備える、請求項２７に記載の装置。
【請求項２９】
前記毛細管またはサンプル管を加熱するために加熱器を備える、請求項２７または２８に記載の装置。
【請求項３０】
前記加熱器は、（ｉ）約＜１００℃、（ｉｉ）約１００〜１５０℃、（ｉｉｉ）約１５０〜２００℃、（ｉｖ）約２００〜２５０℃、（ｖ）約２５０〜３００℃、（ｖｉ）約３００〜３５０℃、（ｖｉｉ）約＞３５０℃からなる群から選択された温度に前記毛細管またはサンプル管を加熱するように構成される、請求項２９に記載の装置。
【請求項３１】
前記衝突アセンブリを支持するために第１の容器をさらに備える、請求項１〜３０のいずれか１項に記載の装置。
【請求項３２】
前記第１の容器は、セラミックまたは非セラミックから形成される、請求項３１に記載の装置。
【請求項３３】
前記加熱器または加熱コイルに電力を供給するための前記１つまたは複数の電極は、前記第１の容器を通過する、請求項３１または３２に記載の装置。
【請求項３４】
主加熱アセンブリまたはユニット筐体をさらに備える、請求項３１、３２または３３に記載の装置。
【請求項３５】
前記第１の容器は、前記主加熱アセンブリまたはユニット筐体に取り外し可能に装着される、請求項３４に記載の装置。
【請求項３６】
前記主加熱アセンブリまたはユニット筐体は、それを通って走る穴部、および前記穴部を選択的に閉じるための第１の遮断弁をさらに備え、恣意的に前記第１の遮断弁はボール弁を備える、請求項３４または３５に記載の装置。
【請求項３７】
前記第１の遮断弁は、１つまたは複数の毛細管またはサンプル管が前記穴部に挿入されると、開くように配置され構成される、請求項３６に記載の装置。
【請求項３８】
前記第１の遮断弁は、前記１つまたは複数の毛細管またはサンプル管が前記穴部から少なくとも部分的にまたは完全に取り除かれると、閉じるように配置される、請求項３７に記載の装置。
【請求項３９】
検体、煙、噴霧、液体、気体、手術煙、エアロゾル、または蒸気を前記衝突アセンブリ上に供給するために、使用時に前記穴部を通って伸張する、または位置付けられる前記１つもしくは複数の毛細管もしくはサンプル管をさらに備える、請求項３７または３８に記載の装置。
【請求項４０】
前記１つまたは複数の毛細管またはサンプル管は、使用時に前記第１の容器を通って伸張する、請求項３９に記載の装置。
【請求項４１】
前記１つまたは複数の毛細管またはサンプル管は、使用時に実質的に前記衝突アセンブリに隣接して、または前記衝突アセンブリに面して配置される出口を有する、請求項４０または４１に記載の装置。
【請求項４２】
前記衝突アセンブリを保護するために、伸張した位置で前記衝突アセンブリを少なくとも部分的に包囲する、１つまたは複数の遮蔽をさらに備える、請求項１〜４１のいずれか１項に記載の装置。
【請求項４３】
前記１つまたは複数の遮蔽は、前記伸張した位置から、前記衝突アセンブリの少なくとも一部が前記１つまたは複数の遮蔽によって包囲されない収縮した位置に、少なくとも部分的にまたは完全に収縮可能である、請求項４２に記載の装置。
【請求項４４】
前記１つまたは複数の遮蔽は、前記伸張した位置に向かって付勢される、請求項４３に記載の装置。
【請求項４５】
源筐体をさらに備える、請求項１〜４４のいずれか１項に記載の装置。
【請求項４６】
前記源筐体は第２の遮断弁をさらに備える、請求項４５に記載の装置。
【請求項４７】
前記主加熱器または取り外し可能なユニット筐体アセンブリは、前記源筐体内に挿入可能であるか、または前記源筐体に連結可能であり、次いで使用時に前記主加熱アセンブリまたは取り外し可能なユニット筐体は、第１の回転位置から第２の回転位置にさらに回転可能である、請求項４６に記載の装置。
【請求項４８】
前記主加熱アセンブリまたは取り外し可能なユニット筐体の、前記第１の位置から前記第２の位置への回転は、使用時に前記第２の遮断弁が第１の作動位置から第２の作動位置に動くように配置され適合される、請求項４７に記載の装置。
【請求項４９】
前記第１の作動位置では、前記第２の遮断弁は実質的に閉じている、請求項４８に記載の装置。
【請求項５０】
前記第２の作動位置では、前記第２の遮断弁は実質的に開いている、請求項４８または４９に記載の装置。
【請求項５１】
前記第１のデバイスまたは前記装置は、周囲イオンもしくはイオン化源の一部を備えるか、もしくは形成し、または前記第１のデバイスもしくは装置は、分析される標的からエアロゾル、煙、もしくは蒸気を発生させるように構成され、前記第１のデバイスもしくは装置は、イオンを含有し、または続いて周囲イオンもしくはイオン化源もしくは他のイオン化源によってイオン化される、請求項１〜５０のいずれか１項に記載の装置。
【請求項５２】
前記標的は、自然のまたは未修正の標的材料を備える、請求項５１に記載の装置。
【請求項５３】
前記自然のまたは未修正の標的材料は、マトリクスまたは試薬の追加によって未修正である、請求項５２に記載の装置。
【請求項５４】
前記第１のデバイスまたは装置は、調合前に前記標的を必要とすることなく、前記標的の１つまたは複数の領域からエアロゾル、煙、または蒸気を発生させるように配置され適合される、請求項５１〜５３のいずれか１項に記載の装置。
【請求項５５】
前記第１のデバイスまたは装置は、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＩＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、請求項５１〜５４のいずれか１項に記載の装置。
【請求項５６】
前記第１のデバイスまたは装置は、１つまたは複数の電極を備え、前記標的を前記１つまたは複数の電極と接触させることにより、前記標的の１つまたは複数の領域からエアロゾル、煙、または蒸気を発生させるように配置し適合される、請求項５１〜５５のいずれか１項に記載の装置。
【請求項５７】
前記１つまたは複数の電極は、（ｉ）恣意的に別個の対極が提供される単極装置、（ｉｉ）双極装置、または（ｉｉｉ）恣意的に別個の少なくとも１つの対極が提供される多相ＲＦ装置のいずれかを備える、請求項５６に記載の装置。
【請求項５８】
前記１つまたは複数の電極は、急速蒸発イオン化質量分析（「ＲＥＩＭＳ」）デバイスを備える、請求項５６または５７に記載の装置。
【請求項５９】
前記エアロゾル、煙、または蒸気を発生させるために、交流電圧または直流電圧を前記１つまたは複数の電極に印加するように配置され適合されたデバイスをさらに備える、請求項５６、５７または５８のいずれか１項に記載の装置。
【請求項６０】
前記交流電圧または直流電圧を前記１つまたは複数の電極に印加するための前記デバイスは、前記交流電圧または直流電圧の１つまたは複数のパルスを前記１つまたは複数の電極に印加するように配置される、請求項５９に記載の装置。
【請求項６１】
前記交流電圧または直流電圧を前記１つまたは複数の電極に印加することにより、熱を前記標的の中に消散させる、請求項５９または６０に記載の装置。
【請求項６２】
前記第１のデバイスまたは装置は、前記標的を照射するためのレーザーを備える、請求項５１〜５５のいずれか１項に記載の装置。
【請求項６３】
前記第１のデバイスまたは装置は、ジュール熱またはジアテルミーにより前記標的から標的材料を直接蒸発または気化させることにより、前記標的の１つまたは複数の領域からエアロゾルを発生させるように配置され適合される、請求項５１〜６２のいずれか１項に記載の装置。
【請求項６４】
前記第１のデバイスまたは装置は、超音波エネルギーを前記標的に方向付けるように配置され適合される、請求項５１〜６３のいずれか１項に記載の装置。
【請求項６５】
前記エアロゾルは、荷電されていない水性液滴を備え、恣意的には細胞物質を備える、請求項５１〜６４のいずれか１項に記載の装置。
【請求項６６】
前記第１のデバイスまたは装置によって発生され、前記エアロゾルを形成する質量または物質の少なくとも５０％、５５％、６０％、６５％、７０％、７５％、８０％、８５％、９０％、または９５％は、液滴の形である、請求項５１〜６５のいずれか１項に記載の装置。
【請求項６７】
前記第１のデバイスは、エアロゾルを発生させるように配置され適合され、前記エアロゾルのザウター平均粒径（「ＳＭＤ」、ｄ３２）は、（ｉ）＜５μｍ、（ｉｉ）５〜１０μｍ、（ｉｉｉ）１０〜１５μｍ、（ｉｖ）１５〜２０μｍ、（ｖ）２０〜２５μｍ、または（ｖｉ）＞２５μｍの範囲内である、請求項５１〜６６のいずれか１項に記載の装置。
【請求項６８】
前記エアロゾルは、（ｉ）＜２０００、（ｉｉ）２０００〜２５００、（ｉｉｉ）２５００〜３０００、（ｉｖ）３０００〜３５００、（ｖ）３５００〜４０００、または（ｖｉ）＞４０００の範囲のレイノルズ数（Ｒｅ）の流域を横切る、請求項５１〜６７のいずれか１項に記載の装置。
【請求項６９】
実質的に前記エアロゾルを発生する点では、前記エアロゾルは、（ｉ）＜５０、（ｉｉ）５０〜１００、（ｉｉｉ）１００〜１５０、（ｉｖ）１５０〜２００、（ｖ）２００〜２５０、（ｖｉ）２５０〜３００、（ｖｉｉ）３００〜３５０、（ｖｉｉｉ）３５０〜４００、（ｉｘ）４００〜４５０、（ｘ）４５０〜５００、（ｘｉ）５００〜５５０、（ｘｉｉ）５５０〜６００、（ｘｉｉｉ）６００〜６５０、（ｘｉｖ）６５０〜７００、（ｘｖ）７００〜７５０、（ｘｖｉ）７５０〜８００、（ｘｖｉｉ）８００〜８５０、（ｘｖｉｉｉ）８５０〜９００、（ｘｉｘ）９００〜９５０、（ｘｘ）９５０〜１０００、および（ｘｘｉ）＞１０００からなる群から選択されたウェーバー数（Ｗｅ）を有する液滴を備える、請求項５１〜６８のいずれか１項に記載の装置。
【請求項７０】
実質的に前記エアロゾルを発生する点では、前記エアロゾルは、（ｉ）１〜５、（ｉｉ）５〜１０、（ｉｉｉ）１０〜１５、（ｉｖ）１５〜２０、（ｖ）２０〜２５、（ｖｉ）２５〜３０、（ｖｉｉ）３０〜３５、（ｖｉｉｉ）３５〜４０、（ｉｘ）４０〜４５、（ｘ）４５〜５０、および（ｘｉ）＞５０の範囲のストークス数（Ｓｋ）を有する液滴を備える、請求項５１〜６９のいずれか１項に記載の装置。
【請求項７１】
実質的に前記エアロゾルを発生する点では、前記エアロゾルは、（ｉ）＜２０ｍ／ｓ、（ｉｉ）２０〜３０ｍ／ｓ、（ｉｉｉ）３０〜４０ｍ／ｓ、（ｉｖ）４０〜５０ｍ／ｓ、（ｖ）５０〜６０ｍ／ｓ、（ｖｉ）６０〜７０ｍ／ｓ、（ｖｉｉ）７０〜８０ｍ／ｓ、（ｖｉｉｉ）８０〜９０ｍ／ｓ、（ｉｘ）９０〜１００ｍ／ｓ、（ｘ）１００〜１１０ｍ／ｓ、（ｘｉ）１１０〜１２０ｍ／ｓ、（ｘｉｉ）１２０〜１３０ｍ／ｓ、（ｘｉｉｉ）１３０〜１４０ｍ／ｓ、（ｘｉｖ）１４０〜１５０ｍ／ｓ、および（ｘｖ）＞１５０ｍ／ｓからなる群から選択された平均軸流速度を有する液滴を備える、請求項５１〜７０のいずれか１項に記載の装置。
【請求項７２】
前記標的は、細菌コロニー、真菌コロニー、または生物組織もしくは生体液体、例えば唾液、血液、または膿などの生物物質を備える、請求項５１〜７１のいずれか１項に記載の装置。
【請求項７３】
前記生物組織は、人間組織または非人間の動物組織を備える、請求項７２に記載の装置。
【請求項７４】
前記生物組織は、体内の生物組織を備える、請求項７２または７３に記載の装置。
【請求項７５】
前記生物組織は、体外の生物組織を備える、請求項７２または７３に記載の装置。
【請求項７６】
前記生物組織は、試験管内の生物組織を備える、請求項７２または７３に記載の装置。
【請求項７７】
前記生物組織は、副腎組織、虫垂組織、膀胱組織、骨、腸組織、脳組織、乳房組織、気管支、冠状組織、耳組織、食道組織、眼組織、胆嚢組織、生殖器組織、心臓組織、視床下部組織、腎臓組織、大腸組織、腸組織、咽頭組織、肝臓組織、肺組織、リンパ節、口腔組織、鼻組織、膵臓組織、副甲状腺組織、下垂体組織、前立腺組織、直腸組織、唾液腺組織、骨格筋組織、皮膚組織、小腸組織、脊髄組織、脾臓組織、胃組織、胸腺組織、気管組織、甲状腺組織、軟組織、結合組織、腹膜組織、血管組織、脂肪組織、尿管組織、尿道組織、段階Ｉ、段階ＩＩ、段階ＩＩＩもしくは段階ＩＶの癌組織、転移性癌の組織、混合段階の癌組織、副段階の癌組織、健常もしくは正常組織、または癌もしくは異常組織を備える、請求項７２〜７６のいずれか１項に記載の装置。
【請求項７８】
前記第１のデバイスまたは装置は、ポイントオブケア（「ＰＯＣ」）、診断、または外科装置を備える、請求項５１〜７７のいずれか１項に記載の装置。
【請求項７９】
検体、煙、噴霧、液体、気体、手術煙、エアロゾル、または蒸気は、複数の検体イオンを発生する、または解放するように、前記衝突アセンブリに方向付けられる、請求項１〜７８のいずれか１項に記載の装置。
【請求項８０】
請求項１〜７９のいずれか１項に記載の装置を備える、質量および／またはイオン移動度分析計。
【請求項８１】
分析計の主筐体またはアセンブリをさらに備え、前記源筐体は、使用時に前記分析計の主筐体に連結される、請求項８０に記載の分析計。
【請求項８２】
イオントラップおよび／またはイオンガイドをさらに備え、恣意的に前記イオンガイドは、イオンを中性種から分離する電界に加えるように構成される、請求項８０または８１に記載の分析計。
【請求項８３】
前記イオントラップ内で検体イオンを捕捉し、かつ／または前記イオンガイドを使用して検体イオンを案内するように配置され適合されるデバイスを備える、請求項８２に記載の分析計。
【請求項８４】
検体イオンを分析するための分析器を備える、請求項８０〜８３のいずれか１項に記載の分析計。
【請求項８５】
前記分析器は、（ｉ）前記検体イオンを質量分析するための質量分析器、（ｉｉ）イオン移動度もしくは異なるイオン移動度分析器、（ｉｉｉ）前記検体イオンのイオン断面もしくは衝突断面を分析するための分析器、（ｉｖ）前記検体イオンをそれらのイオン移動度もしくは異なるイオン移動度に従って分離するための分離器、（ｖ）前記検体イオンを質量分析する前に、前記検体イオンをそれらのイオン移動度もしくは異なるイオン移動度に従って分離するための分離器、または（ｖｉ）検体イオンをそれらのイオン移動度もしくは異なるイオン移動度に基づいて排除するもしくは廃棄するように配置され適合されたデバイスを備える、請求項８４に記載の分析計。
【請求項８６】
マトリクスは、使用時に前記エアロゾル、煙、蒸気、または液体に供給されるが、前記検体、エアロゾル、煙、蒸気、または液体は、気相内にある、蒸気の形である、エアロゾルの形である、または液相内にあり、恣意的に前記エアロゾル、煙、蒸気、もしくは液体、または前記エアロゾル、煙、蒸気、もしくは液体内の少なくとも検体は、前記マトリクス内に溶解されるか、または前記マトリクスによって希釈される、請求項８０〜８５のいずれか１項に記載の分析計。
【請求項８７】
マトリクス分子を前記エアロゾル、煙、または蒸気に供給し、前記マトリクス分子を前記エアロゾル、煙、または蒸気と相互混合するように配置され適合されたデバイスをさらに備えてもよいが、前記マトリクスは気相内にあるか、または固体相内にある、請求項８３に記載の分析計。
【請求項８８】
前記気相マトリクスが冷却し、液体に凝結するように、前記混合物を高圧領域から低圧領域に移送するように配置され適合されたデバイスをさらに備え、かつ／または前記エアロゾル、煙、または蒸気の少なくとも一部は、溶解された検体液滴を形成するように前記液体マトリクス内で溶解し、前記マトリクスによって希釈され、または前記マトリクスでクラスタを形成する、請求項８７に記載の分析計。
【請求項８９】
前記マトリクスは、（ｉ）前記検体、煙、噴霧、液体、気体、手術煙、エアロゾル、または蒸気のための溶媒、（ｉｉ）有機溶媒、（ｉｉｉ）揮発性化合物、（ｉｖ）極性または非極性分子、（ｖ）水、（ｖｉ）１つまたは複数のアルコール、（ｖｉｉ）メタノール、（ｖｉｉｉ）エタノール、（ｉｘ）イソプロパノール、（ｘ）アセトン、（ｘｉ）アセトニトリル、（ｘｉｉ）ジメチル・スルホキシド（ＤＭＳＯ）、（ｘｉｉｉ）グリコール、（ｘｉｖ）１−ブタノール、（ｘｖ）テトラヒドロフラン、（ｘｖｉ）エチルアセトン、（ｘｖｉｉ）エチレン・グリコール、（ｘｖｉｉｉ）アルデヒド、（ｘｉｘ）ケトン、（ｘｘ）ヘキサン、（ｘｘｉ）クロロホルム、および（ｘｘｉｉ）プロパノールからなる群から選択される、請求項８６、８７または８８のいずれか１項に記載の分析計。
【請求項９０】
検体液滴を前記衝突アセンブリ上に加速させるように配置され適合されたデバイスをさらに備える、請求項８９に記載の分析計。
【請求項９１】
検体液滴を前記衝突アセンブリに加速させるために、圧力差を維持するよう配置され適合されたデバイスをさらに備える、請求項９０に記載の分析計。
【請求項９２】
前記衝突アセンブリと衝突する前記検体、煙、噴霧、液体、気体、手術煙、エアロゾル、または蒸気がもたらす、検体イオンを分析するように配置された分析器をさらに備え、前記分析計は、真空チャンバに隣接した大気インターフェースをさらに備え、検体液滴は、前記大気インターフェースの両端の圧力差により前記衝突アセンブリ上に加速される、請求項９１に記載の分析計。
【請求項９３】
前記マトリクスを前記エアロゾル、煙、蒸気、または液体に供給するためのマトリクス導管をさらに備える、請求項８６〜９２のいずれか１項に記載の分析計。
【請求項９４】
検体イオンを分析するためのイオン分析器をさらに備え、前記イオン分析器は、前記マトリクス導管の流出口の下流に配置される、請求項９３に記載の分析計。
【請求項９５】
前記マトリクス導管の前記流出口と前記イオン分析器の流入口との間の距離ｘは、（ｉ）約０．１〜０．５ｍｍ、（ｉｉ）約０．５〜１．０ｍｍ、（ｉｉｉ）約１．０〜１．５ｍｍ、（ｉｖ）約１．５〜２．０ｍｍ、（ｖ）約２．０〜２．５ｍｍ、（ｖｉ）約２．５〜３．０ｍｍ、（ｖｉｉ）約３．０〜３．５ｍｍ、（ｖｉｉｉ）約３．５〜４．０ｍｍ、（ｉｘ）約４．０〜４．５ｍｍ、（ｘ）約４．５〜５．０ｍｍ、（ｘｉ）約５．０〜５．５ｍｍ、（ｘｉｉ）約５．５〜６．０ｍｍ、（ｘｉｉｉ）約６．０〜６．５ｍｍ、（ｘｉｖ）約６．５〜７．０ｍｍ、（ｘｖ）約７．０〜７．５ｍｍ、（ｘｖｉ）約７．５〜８．０ｍｍ、（ｘｖｉｉ）約８．０〜８．５ｍｍ、（ｘｖｉｉｉ）約８．５〜９．０ｍｍ、（ｘｉｘ）約９．０〜９．５ｍｍ、（ｘｘ）９．５〜１０．０ｍｍ、（ｘｘｉ）約０．１〜１０ｍｍ、（ｘｘｉｉ）約０．１〜７．５ｍｍ、（ｘｘｉｉｉ）約０．１〜５．１ｍｍ、（ｘｘｉｖ）約０．５〜５．１ｍｍ、および（ｘｘｖ）約０．５〜５．０ｍｍからなる群から選択される、請求項９４に記載の分析計。
【請求項９６】
（ｉ）約５〜１０μｌ／ｍｉｎ、（ｉｉ）約１０〜２５μｌ／ｍｉｎ、（ｉｉｉ）約２５〜５０μｌ／ｍｉｎ、（ｉｖ）約５０〜１００μｌ／ｍｉｎ、（ｖ）約１００〜１５０μｌ／ｍｉｎ、（ｖｉ）約１５０〜２００μｌ／ｍｉｎ、（ｖｉｉ）約２００〜２５０μｌ／ｍｉｎ、（ｖｉｉｉ）約２５０〜３００μｌ／ｍｉｎ、（ｉｘ）約３００〜３５０μｌ／ｍｉｎ、（ｘ）約３５０〜４００μｌ／ｍｉｎ、（ｘｉ）約４００〜４５０μｌ／ｍｉｎ、（ｘｉｉ）約４５０〜５００μｌ／ｍｉｎ、（ｘｉｉｉ）約５００〜５５０μｌ／ｍｉｎ、（ｘｉｖ）約５５０〜６００μｌ／ｍｉｎ、（ｘｖ）約６００〜６５０μｌ／ｍｉｎ、（ｘｖｉ）約６５０〜７００μｌ／ｍｉｎ、（ｘｖｉｉ）７００〜７５０μｌ／ｍｉｎ、（ｘｖｉｉｉ）約７５０〜８００μｌ／ｍｉｎ、（ｘｉｘ）約８００〜８５０μｌ／ｍｉｎ、（ｘｘ）約８５０〜９００μｌ／ｍｉｎ、（ｘｘｉ）約９００〜９５０μｌ／ｍｉｎ、（ｘｘｉｉ）約９５０〜１０００μｌ／ｍｉｎ、（ｘｘｉｉｉ）約５０μｌ／ｍｉｎ〜１ｍｌ／ｍｉｎ、（ｘｘｉｖ）約１００〜８００μｌ／ｍｉｎ、（ｘｘｖ）約１５０〜６００μｌ／ｍｉｎ、および（ｘｘｖｉ）約２００〜４００μｌ／ｍｉｎからなる群から選択された流量で、前記マトリクス導管を介して前記マトリクスを供給するためのポンプをさらに備える、請求項９３、９４または９５に記載の分析計。
【請求項９７】
前記マトリクス導管の流出口は、イオン分析器の流入口の反対側にあるか、または前記イオン分析器の前記流入口と同軸である、請求項９４、９５または９６に記載の分析計。
【請求項９８】
検体イオンデータを獲得するために検体イオンを分析するための質量および／またはイオン移動度分析器を備え、前記分析器は、ロックマス、ロック移動度、または校正イオンを分析し、前記ロックマス、ロック移動度、または校正イオンを分析することから獲得された前記データに基づいて、前記イオン分析器を校正する、または検体イオンデータを調節するようにさらに配置される、請求項８０〜９７のいずれか１項に記載の分析計。
【請求項９９】
質量および／またはイオン移動度分析の方法であって、
実質的に円筒形、管状、棒形状、コイル形状、螺旋状、または渦巻形状の衝突アセンブリを提供することと、
検体、煙、噴霧、液体、気体、手術煙、エアロゾル、または蒸気を前記衝突アセンブリに方向付けるために第１のデバイスを使用することと含む、方法。
【請求項１００】
質量および／またはイオン移動度分析の方法であって、
衝突アセンブリを提供することと、
検体、煙、噴霧、液体、気体、手術煙、エアロゾル、または蒸気を前記衝突アセンブリに方向付けるために第１のデバイスを使用することと含む、方法。
【請求項１０１】
前記衝突アセンブリは第１の長手方向軸を有し、前記第１のデバイスは前記検体、煙、噴霧、液体、気体、手術煙、エアロゾル、または蒸気を前記第１の軸に実質的に直交する第２の軸に沿って前記衝突アセンブリに方向付ける、請求項９９または１００に記載の方法。
【請求項１０２】
前記衝突アセンブリは第１の長手方向軸を有し、前記第１のデバイスは前記検体、煙、噴霧、液体、気体、手術煙、エアロゾル、または蒸気を前記第１の軸に沿って前記衝突アセンブリに方向付ける、請求項９９または１００に記載の方法。
【請求項１０３】
エアロゾル、煙、または蒸気をイオン化する方法であって、
流入口および流出口を有する中空衝突アセンブリの内面に激突させるように、前記エアロゾル、煙、または蒸気を方向付けるために第１のデバイスを使用することを含み、前記衝突アセンブリの内断面積は、（ｉ）実質的に一定である、または（ｉｉ）前記流入口から前記流出口に向かって低減する、または（ｉｉｉ）前記流入口から前記流出口に向かって増加する、いずれかである方法。
【請求項１０４】
前記流入口を介して前記エアロゾル、煙、または蒸気を受領することをさらに含む、請求項１０３に記載の方法。
【請求項１０５】
検体イオンを形成するように前記エアロゾル、煙、または蒸気を前記内面に激突させることを含む、請求項１０３または１０４に記載の方法。
【請求項１０６】
検体イオンを前記衝突アセンブリから前記流出口を介して出現させることをさらに含む、請求項１０５に記載の方法。
【請求項１０７】
前記衝突アセンブリは、漏斗形状の衝突アセンブリを備える、請求項１０３〜１０６のいずれか１項に記載の方法。
【請求項１０８】
前記衝突アセンブリは、管状または円筒形の衝突アセンブリを備える、請求項１０３〜１０７のいずれか１項に記載の方法。
【請求項１０９】
前記エアロゾル、煙、または蒸気を、前記衝突アセンブリの長手方向軸と実質的に同軸である軸に沿って前記衝突アセンブリの中に方向付けることをさらに含む、請求項１０３〜１０８のいずれか１項に記載の方法。
【請求項１１０】
前記衝突アセンブリは、コイル構造から、または連続した管状もしくは円錐構造から形成される、請求項１０３〜１０９のいずれか１項に記載の方法。
【請求項１１１】
加熱器または加熱コイルを使用して前記衝突アセンブリを加熱することをさらに含む、請求項９９〜１１０のいずれか１項に記載の方法。
【請求項１１２】
前記加熱器または加熱コイルは、前記衝突アセンブリの前記衝突面である、請求項１１１に記載の方法。
【請求項１１３】
前記加熱器または加熱コイルは、前記衝突アセンブリによって包囲されるか、または前記衝突アセンブリ内に埋め込まれる、請求項１１２に記載の方法。
【請求項１１４】
前記衝突アセンブリは、前記加熱器または加熱コイルが開口により前記煙、噴霧、液体、気体、手術煙、エアゾル、または蒸気に曝されるように、その中に前記開口を備える、請求項１１３に記載の方法。
【請求項１１５】
電力を１つまたは複数の電極を介して前記加熱器または前記加熱コイルに供給することをさらに含む、請求項１１２、１１３または１１４に記載の方法。
【請求項１１６】
前記衝突アセンブリを加熱するように電流を前記加熱器または加熱コイルに供給することを含み、前記電流は、約≧０．５Ａ、約≧１Ａ、約≧１．５Ａ、約≧２Ａ、約≧２．５Ａ、約≧３Ａ、約≧３．５Ａ、約≧４Ａ、約≧４．５Ａ、および約≧５Ａからなる群から選択される、請求項１１５に記載の方法。
【請求項１１７】
（ｉ）約＜１００℃、（ｉｉ）約１００〜２００℃、（ｉｉｉ）約２００〜３００℃、（ｉｖ）約３００〜４００℃、（ｖ）約４００〜５００℃、（ｖｉ）約５００〜６００℃、（ｖｉｉ）約６００〜７００℃、（ｖｉｉｉ）約７００〜８００℃、（ｉｘ）約８００〜９００℃、（ｘ）約９００〜１０００℃、（ｘｉ）約１０００〜１１００℃、および（ｘｉｉ）約＞１１００℃からなる群から選択された温度に前記衝突アセンブリを加熱することを含む、請求項１１１〜１１６のいずれか１項に記載の方法。
【請求項１１８】
前記加熱器または加熱コイルは、分析される前記サンプルから前記衝突アセンブリ上に堆積された汚染物質を焼き払う、請求項１１１〜１１７のいずれか１項に記載の方法。
【請求項１１９】
前記衝突アセンブリは、セラミック、非セラミック、ガラス、ガラスセラミック、石英、鋼鉄もしくはニッケルなどの金属、または鉄クロムアルミニウム（ＦｅＣｒＡｌ）合金などの金属合金である外側衝突面であるか、または前記外側衝突面備える、請求項９９〜１１８のいずれか１項に記載の方法。
【請求項１２０】
前記検体、煙、噴霧、液体、気体、手術煙、エアロゾル、または蒸気は、約≧１ｍｍ、約≧２ｍｍ、約≧３ｍｍ、約≧４ｍｍ、約≧５ｍｍ、約≧６ｍｍ、約≧７ｍｍ、および約≧８ｍｍからなる群から選択された軸に直交する最大または最小寸法を有する、および／または約≦８、約≦７、約≦６、約≦５、約≦４、および約≦３からなる群から選択された前記軸に直交する最大または最小寸法を有する、前記衝突アセンブリの領域上の前記軸に沿って方向付けられる、請求項９９〜１１９のいずれか１項に記載の方法。
【請求項１２１】
前記衝突アセンブリの周囲に配置されたシース管を提供することを含み、それを通って前記煙、噴霧、液体、気体、手術煙、エアロゾル、または蒸気が移動する、請求項９９〜１２０のいずれか１項に記載の方法。
【請求項１２２】
前記シース管は前記衝突アセンブリの上流および／または下流に伸張する、請求項１２１に記載の方法。
【請求項１２３】
前記衝突アセンブリと前記シース管との間の電位差を維持することを含む、請求項１２１または１２２に記載の方法。
【請求項１２４】
前記煙、噴霧、液体、気体、手術煙、エアロゾル、または蒸気を前記衝突アセンブリ上に送達するための毛細管またはサンプル管を提供することをさらに含む、請求項９９〜１２３のいずれか１項に記載の方法。
【請求項１２５】
前記毛細管またはサンプル管の前記出口オリフィスは、約０ｍｍ、約≦１ｍｍ、約１〜２ｍｍ、約２〜３ｍｍ、約３〜４ｍｍ、約４〜５ｍｍ、約５〜６ｍｍ、約６〜７ｍｍ、約７〜８ｍｍ、約８〜９ｍｍ、約９〜１０ｍｍ、および約≧１０ｍｍからなる群から選択された距離だけ前記衝突面の上流に配置される、請求項１２４に記載の方法。
【請求項１２６】
前記毛細管またはサンプル管を加熱することを含む、請求項１２４または１２５に記載の方法。
【請求項１２７】
前記加熱器は、（ｉ）約＜１００℃、（ｉｉ）約１００〜１５０℃、（ｉｉｉ）約１５０〜２００℃、（ｉｖ）約２００〜２５０℃、（ｖ）約２５０〜３００℃、（ｖｉ）約３００〜３５０℃、（ｖｉｉ）約＞３５０℃からなる群から選択された温度に前記毛細管またはサンプル管を加熱する、請求項１２６に記載の方法。
【請求項１２８】
前記衝突アセンブリを支持するために第１の容器を使用することをさらに含む、請求項９９〜１２７のいずれか１項に記載の方法。
【請求項１２９】
前記第１の容器をセラミックまたは非セラミックから形成することをさらに含む、請求項１２５に記載の方法。
【請求項１３０】
前記第１の容器を通って前記加熱コイルに電力を供給するための前記１つまたは複数の電極を提供することをさらに含む、請求項１２８または１２９に記載の方法。
【請求項１３１】
主加熱器または取り外し可能なユニット筐体アセンブリを提供することを含む、請求項１２８、１２９または１３０に記載の方法。
【請求項１３２】
前記第１の容器を前記主加熱アセンブリまたは取り外し可能なユニット筐体に取り外し可能に装着することを含む、請求項１３１に記載の方法。
【請求項１３３】
前記主加熱アセンブリまたは取り外し可能なユニット筐体内の穴部を選択的に閉じるために前記穴部内に第１の遮断弁を提供することを含み、恣意的に前記第１の遮断弁はボール弁を備える、請求項１３１または１３２に記載の方法。
【請求項１３４】
前記穴部を通って１つまたは複数の毛細管またはサンプル管を挿入することにより、前記第１の遮断弁を開くことをさらに含む、請求項１３３に記載の方法。
【請求項１３５】
前記穴部から前記１つまたは複数の毛細管またはサンプル管を少なくとも部分的に取り除くことにより、前記第１の遮断弁を閉じることをさらに含む、請求項１３４に記載の方法。
【請求項１３６】
前記検体、煙、噴霧、液体、気体、手術煙、エアロゾル、または蒸気を前記衝突アセンブリ上に供給するために、前記穴部を通って伸張するように前記１つまたは複数の毛細管またはサンプル管を配置することをさらに含む、請求項１３３〜１３５のいずれか１項に記載の方法。
【請求項１３７】
前記第１の容器を通って伸張するように前記１つまたは複数の毛細管またはサンプル管を配置することをさらに含む、請求項１３６に記載の方法。
【請求項１３８】
前記１つまたは複数の毛細管またはサンプル管の出口を実質的に前記衝突アセンブリに隣接してまたは面して配置することをさらに含む、請求項１３６または１３７に記載の方法。
【請求項１３９】
前記衝突アセンブリを保護するために、伸張した位置で前記衝突アセンブリを少なくとも部分的に包囲する１つまたは複数の遮蔽を提供することをさらに含む、請求項９９〜１３８のいずれか１項に記載の方法。
【請求項１４０】
前記１つまたは複数の遮蔽を前記伸張した位置から、前記衝突アセンブリの少なくとも一部が前記１つまたは複数の遮蔽によって包囲されない収縮した位置に、少なくとも部分的にまたは完全に収縮することをさらに含み、恣意的に前記１つまたは複数の遮蔽は、前記伸張した位置に向かって付勢される、請求項１３９に記載の方法。
【請求項１４１】
源筐体を提供することを含む、請求項９９〜１４０のいずれか１項に記載の方法。
【請求項１４２】
前記源筐体は第２の遮断弁をさらに備える、請求項１４１に記載の方法。
【請求項１４３】
前記主加熱アセンブリまたは取り外し可能なユニット筐体を前記源筐体内に挿入すること、または別法により前記主加熱アセンブリまたは取り外し可能なユニット筐体を前記源筐体に連結すること、および前記主加熱アセンブリまたは取り外し可能なユニット筐体をその中で第１の回転位置から第２の回転位置に回転させることを含む、請求項１４２に記載の方法。
【請求項１４４】
前記主加熱アセンブリまたは取り外し可能なユニット筐体を前記第１の位置から前記第２の位置に回転させるステップは、前記第２の遮断弁を第１の作動位置から第２の作動位置に移動させる、請求項１４３に記載の方法。
【請求項１４５】
前記第１の作動位置では、前記第２の遮断弁は実質的に閉じている、請求項１４４に記載の方法。
【請求項１４６】
前記第２の作動位置では、前記第２の遮断弁は実質的に開いている、請求項１４３または１４４に記載の方法。
【請求項１４７】
分析計の主筐体またはアセンブリを提供することを含み、前記源筐体は前記分析計の主筐体に連結される、請求項１４１〜１４６のいずれか１項に記載の方法。
【請求項１４８】
イオントラップおよび／またはイオンガイドを提供することをさらに含み、恣意的に前記イオンガイドは、イオンを中性種から分離する電気を印加する、請求項１４７に記載の方法。
【請求項１４９】
前記イオントラップ内に前記エアロゾル、煙、または蒸気から引き出した検体イオンを捕捉すること、かつ／または前記イオンガイドを使用して検体イオンを案内することを含む、請求項１４８に記載の方法。
【請求項１５０】
分析器を使用して前記エアロゾル、煙、または蒸気から引き出した検体イオンを分析することを含む、請求項９９〜１４９のいずれか１項に記載の方法。
【請求項１５１】
前記分析器は、（ｉ）前記検体イオンを質量分析するための質量分析器、（ｉｉ）イオン移動度または異なるイオン移動度分析器、（ｉｉｉ）前記検体イオンのイオン断面または衝突断面を分析するための分析器、（ｉｖ）前記検体イオンをそれらのイオン移動度または異なるイオン移動度に従って分離するための分離器、（ｖ）前記検体イオンを質量分析する前に、前記検体イオンをそれらのイオン移動度または異なるイオン移動度に従って分離するための分離器、または（ｖｉ）検体イオンをそれらのイオン移動度または異なるイオン移動度に基づいて排除するまたは廃棄するように配置され適合されたデバイスを備える、請求項１５０に記載の方法。
【請求項１５２】
マトリクスを前記エアロゾル、煙、蒸気または液体に供給することをさらに含むが、前記エアロゾル、煙、または蒸気は、気相内にある、蒸気の形である、エアロゾルの形である、または液相内にある、請求項９９〜１５１のいずれか１項に記載の方法。
【請求項１５３】
マトリクス分子を前記エアロゾル、煙、蒸気または液体に供給すること、および前記マトリクス分子を前記エアロゾル、煙、または蒸気と相互混合することをさらに含むが、前記マトリクスは気相内にあるか、または液相内にある、請求項１５２に記載の方法。
【請求項１５４】
前記気相マトリクスが冷却し、液体に凝結するように、前記混合物を高圧領域から低圧領域に移送することをさらに含み、かつ／あるいは前記エアロゾル、煙、蒸気もしくは液体の前記少なくとも一部は、溶解された検体液滴を形成するように前記液体マトリクス内で溶解し、前記マトリクスによって希釈され、または前記マトリクスでクラスタを形成する、請求項１５３に記載の方法。
【請求項１５５】
前記マトリクスは、（ｉ）前記検体、煙、噴霧、液体、気体、手術煙、エアロゾル、または蒸気のための溶媒、（ｉｉ）有機溶媒、（ｉｉｉ）揮発性化合物、（ｉｖ）極性または非極性分子、（ｖ）水、（ｖｉ）１つまたは複数のアルコール、（ｖｉｉ）メタノール、（ｖｉｉｉ）エタノール、（ｉｘ）イソプロパノール、（ｘ）アセトン、（ｘｉ）アセトニトリル、（ｘｉｉ）ジメチル・スルホキシド（ＤＭＳＯ）、（ｘｉｉｉ）グリコール、（ｘｉｖ）１−ブタノール、（ｘｖ）テトラヒドロフラン、（ｘｖｉ）エチルアセトン、（ｘｖｉｉ）エチレン・グリコール、（ｘｖｉｉｉ）アルデヒド、（ｘｉｘ）ケトン、（ｘｘ）ヘキサン、（ｘｘｉ）クロロホルム、および（ｘｘｉｉ）プロパノールからなる群から選択される、請求項１５２、１５３または１５４に記載の方法。
【請求項１５６】
前記検体液滴を前記衝突アセンブリ上に加速させることを含む、請求項１５４または１５５に記載の方法。
【請求項１５７】
前記検体液滴を前記衝突アセンブリ上に加速させるように電位差を維持することをさらに含む、請求項１５５に記載の方法。
【請求項１５８】
大気インターフェースの両端の圧力差により検体液滴を前記衝突アセンブリ上に加速させること、および前記衝突アセンブリと衝突する前記検体液滴によってもたらされる検体イオンを分析することを含む、請求項１５７に記載の方法。
【請求項１５９】
マトリクス導管を介して前記マトリクスを供給すること、およびイオン分析器を使用して前記検体イオンを分析することを含み、前記イオン分析器は前記マトリクス導管の流出口の下流に配置される、請求項１５２に記載の方法。
【請求項１６０】
前記マトリクス導管の前記流出口と前記イオン分析器の流入口との間の距離ｘは、（ｉ）約０．１〜０．５ｍｍ、（ｉｉ）約０．５〜１．０ｍｍ、（ｉｉｉ）約１．０〜１．５ｍｍ、（ｉｖ）約１．５〜２．０ｍｍ、（ｖ）約２．０〜２．５ｍｍ、（ｖｉ）約２．５〜３．０ｍｍ、（ｖｉｉ）約３．０〜３．５ｍｍ、（ｖｉｉｉ）約３．５〜４．０ｍｍ、（ｉｘ）約４．０〜４．５ｍｍ、（ｘ）約４．５〜５．０ｍｍ、（ｘｉ）約５．０〜５．５ｍｍ、（ｘｉｉ）約５．５〜６．０ｍｍ、（ｘｉｉｉ）約６．０〜６．５ｍｍ、（ｘｉｖ）約６．５〜７．０ｍｍ、（ｘｖ）約７．０〜７．５ｍｍ、（ｘｖｉ）約７．５〜８．０ｍｍ、（ｘｖｉｉ）約８．０〜８．５ｍｍ、（ｘｖｉｉｉ）約８．５〜９．０ｍｍ、（ｘｉｘ）約９．０〜９．５ｍｍ、（ｘｘ）９．５〜１０．０ｍｍ、（ｘｘｉ）約０．１〜１０ｍｍ、（ｘｘｉｉ）約０．１〜７．５ｍｍ、（ｘｘｉｉｉ）約０．１〜５．１ｍｍ、（ｘｘｉｖ）約０．５〜５．１ｍｍ、および（ｘｘｖ）約０．５〜５．０ｍｍからなる群から選択される、請求項１５９に記載の方法。
【請求項１６１】
（ｉ）約５０〜１００μｌ／ｍｉｎ、（ｉｉ）約１００〜１５０μｌ／ｍｉｎ、（ｉｉｉ）約１５０〜２００μｌ／ｍｉｎ、（ｉｖ）約２００〜２５０μｌ／ｍｉｎ、（ｖ）約２５０〜３００μｌ／ｍｉｎ、（ｖｉ）約３００〜３５０μｌ／ｍｉｎ、（ｖｉｉ）約３５０〜４００μｌ／ｍｉｎ、（ｖｉｉｉ）約４００〜４５０μｌ／ｍｉｎ、（ｉｘ）約４５０〜５００μｌ／ｍｉｎ、（ｘ）約５００〜５５０μｌ／ｍｉｎ、（ｘｉ）約５５０〜６００μｌ／ｍｉｎ、（ｘｉｉ）約６００〜６５０μｌ／ｍｉｎ、（ｘｉｉｉ）約６５０〜７００μｌ／ｍｉｎ、（ｘｉｖ）７００〜７５０μｌ／ｍｉｎ、（ｘｖ）約７５０〜８００μｌ／ｍｉｎ、（ｘｖｉ）約８００〜８５０μｌ／ｍｉｎ、（ｘｖｉｉ）約８５０〜９００μｌ／ｍｉｎ、（ｘｖｉｉｉ）約９００〜９５０μｌ／ｍｉｎ、（ｘｉｘ）約９５０〜１０００μｌ／ｍｉｎ、（ｘｘ）約５０μｌ／ｍｉｎ〜１ｍｌ／ｍｉｎ、（ｘｘｉ）約１００〜８００μｌ／ｍｉｎ、（ｘｘｉｉ）約１５０〜６００μｌ／ｍｉｎ、および（ｘｘｉｉｉ）約２００〜４００μｌ／ｍｉｎからなる群から選択された流量でマトリクス導管を介して前記マトリクスを前記検体に供給することをさらに含む、請求項１５２〜１６０のいずれか１項に記載の方法。
【請求項１６２】
前記イオン分析器の流入口の反対側または前記イオン分析器の流入口と同軸に前記マトリクス導管の流出口を配置することをさらに含む、請求項１５９、１６０または１６１のいずれか１項に記載の方法。
【請求項１６３】
検体イオンデータを獲得するために前記エアロゾル、煙、または蒸気から引き出された検体イオンを質量分析および／またはイオン移動度分析すること、ロックマス、ロック移動度、または校正イオンを分析すること、ならびに前記ロックマス、ロック移動度、または校正イオンを分析することから獲得された前記データに基づいて、検体イオンデータを調節することを含む、請求項９９〜１６２のいずれか１項に記載の方法。
【請求項１６４】
前記第１のデバイスは、周囲イオンもしくはイオン化源の一部を備えるか、または形成し、あるいは前記第１のデバイスは、分析される標的から前記エアロゾル、煙もしくは蒸気を発生し、前記第１のデバイスは、イオンを含有し、または続いて周囲イオンもしくはイオン化源もしくは他のイオン化源によってイオン化される、請求項９９〜１６３のいずれか１項に記載の方法。
【請求項１６５】
前記標的は、自然のまたは未修正の標的材料を備える、請求項１６４に記載の方法。
【請求項１６６】
前記自然のまたは未修正の標的材料は、マトリクスまたは試薬の追加によって未修正である、請求項１６５に記載の方法。
【請求項１６７】
前記第１のデバイスは、調合前に必要な前記標的なしに、前記標的の１つまたは複数の領域からエアロゾル、煙、または蒸気を発生させるように配置され適合される、請求項１６４〜１６６のいずれか１項に記載の方法。
【請求項１６８】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＩＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたイオン源を備える、請求項１６４〜１６７のいずれか１項に記載の方法。
【請求項１６９】
前記標的の１つまたは複数の領域からエアロゾル、煙、または蒸気を発生させるために前記第１のデバイスを使用する前記ステップは、前記標的を１つまたは複数の電極と接触させることをさらに含む、請求項１６４〜１６８のいずれか１項に記載の方法。
【請求項１７０】
前記１つまたは複数の電極は、（ｉ）その中で前記方法が恣意的に別個の対を提供することをさらに含む単極装置、（ｉｉ）双極装置、または（ｉｉｉ）その中で前記方法が恣意的に別個の１つまたは複数の対極を提供することをさらに含む多相ＲＦ装置のいずれかを備える、請求項１６９に記載の方法。
【請求項１７１】
前記１つまたは複数の電極は、急速蒸発イオン化質量分析（「ＲＥＩＭＳ」）デバイスを備える、請求項１６９または１７０に記載の方法。
【請求項１７２】
前記エアロゾル、煙、または蒸気を発生させるために、交流電圧または直流電圧を前記１つまたは複数の電極に印加することをさらに含む、請求項１６９、１７０または１７１に記載の方法。
【請求項１７３】
前記交流電圧または直流電圧を前記１つまたは複数の電極に印加する前記ステップは、前記交流電圧または直流電圧の１つまたは複数のパルスを前記１つまたは複数の電極に印加することをさらに含む、請求項１７２に記載の方法。
【請求項１７４】
前記交流電圧または直流電圧を前記１つまたは複数の電極に印加する前記ステップにより、熱を前記標的の中に消散させる、請求項１７２または１７３に記載の方法。
【請求項１７５】
前記標的の１つまたは複数の領域からエアロゾル、煙、または蒸気を発生させるために前記第１のデバイスを使用する前記ステップは、前記標的をレーザーで照射することをさらに含む、請求項１６４〜１６８のいずれか１項に記載の方法。
【請求項１７６】
前記第１のデバイスは、ジュール熱またはジアテルミーにより前記標的から標的材料を直接蒸発または気化させることにより、前記標的の１つまたは複数の領域からエアロゾルを発生させるように配置され適合される、請求項１６４〜１７５のいずれか１項に記載の方法。
【請求項１７７】
前記標的の１つまたは複数の領域からエアロゾル、煙、または蒸気を発生させるために前記第１のデバイスを使用する前記ステップは、超音波エネルギーを前記標的に方向付けることをさらに含む、請求項１６４〜１７６のいずれか１項に記載の方法。
【請求項１７８】
前記エアロゾルは、荷電されていない水性液滴を備え、恣意的には細胞物質を備える、請求項９９〜１７７のいずれか１項に記載の方法。
【請求項１７９】
前記第１のデバイスによって発生され、前記エアロゾルを形成する質量または物質の少なくとも５０％、５５％、６０％、６５％、７０％、７５％、８０％、８５％、９０％、または９５％は、液滴の形である、請求項９９〜１７８のいずれか１項に記載の方法。
【請求項１８０】
前記第１のデバイスは、エアロゾルを発生させるように配置され適合され、前記エアロゾルのザウター平均粒径（「ＳＭＤ」、ｄ３２）は、（ｉ）＜５μｍ、（ｉｉ）５〜１０μｍ、（ｉｉｉ）１０〜１５μｍ、（ｉｖ）１５〜２０μｍ、（ｖ）２０〜２５μｍ、または（ｖｉ）＞２５μｍの範囲内である、請求項９９〜１７９のいずれか１項に記載の方法。
【請求項１８１】
前記エアロゾルは、（ｉ）＜２０００、（ｉｉ）２０００〜２５００、（ｉｉｉ）２５００〜３０００、（ｉｖ）３０００〜３５００、（ｖ）３５００〜４０００、または（ｖｉ）＞４０００の範囲のレイノルズ数（Ｒｅ）の流域を横断する、請求項９９〜１８０のいずれか１項に記載の方法。
【請求項１８２】
実質的に前記エアロゾルを発生する点では、前記エアロゾルは、（ｉ）＜５０、（ｉｉ）５０〜１００、（ｉｉｉ）１００〜１５０、（ｉｖ）１５０〜２００、（ｖ）２００〜２５０、（ｖｉ）２５０〜３００、（ｖｉｉ）３００〜３５０、（ｖｉｉｉ）３５０〜４００、（ｉｘ）４００〜４５０、（ｘ）４５０〜５００、（ｘｉ）５００〜５５０、（ｘｉｉ）５５０〜６００、（ｘｉｉｉ）６００〜６５０、（ｘｉｖ）６５０〜７００、（ｘｖ）７００〜７５０、（ｘｖｉ）７５０〜８００、（ｘｖｉｉ）８００〜８５０、（ｘｖｉｉｉ）８５０〜９００、（ｘｉｘ）９００〜９５０、（ｘｘ）９５０〜１０００、および（ｘｘｉ）＞１０００からなる群から選択されたウェーバー数（Ｗｅ）を有する液滴を備える、請求項９９〜１８１のいずれか１項に記載の方法。
【請求項１８３】
実質的に前記エアロゾルを発生する点では、前記エアロゾルは、（ｉ）１〜５、（ｉｉ）５〜１０、（ｉｉｉ）１０〜１５、（ｉｖ）１５〜２０、（ｖ）２０〜２５、（ｖｉ）２５〜３０、（ｖｉｉ）３０〜３５、（ｖｉｉｉ）３５〜４０、（ｉｘ）４０〜４５、（ｘ）４５〜５０、および（ｘｉ）＞５０の範囲のストークス数（Ｓｋ）を有する液滴を備える、請求項９９〜１８２のいずれか１項に記載の方法。
【請求項１８４】
実質的に前記エアロゾルを発生する点では、前記エアロゾルは、（ｉ）＜２０ｍ／ｓ、（ｉｉ）２０〜３０ｍ／ｓ、（ｉｉｉ）３０〜４０ｍ／ｓ、（ｉｖ）４０〜５０ｍ／ｓ、（ｖ）５０〜６０ｍ／ｓ、（ｖｉ）６０〜７０ｍ／ｓ、（ｖｉｉ）７０〜８０ｍ／ｓ、（ｖｉｉｉ）８０〜９０ｍ／ｓ、（ｉｘ）９０〜１００ｍ／ｓ、（ｘ）１００〜１１０ｍ／ｓ、（ｘｉ）１１０〜１２０ｍ／ｓ、（ｘｉｉ）１２０〜１３０ｍ／ｓ、（ｘｉｉｉ）１３０〜１４０ｍ／ｓ、（ｘｉｖ）１４０〜１５０ｍ／ｓ、および（ｘｖ）＞１５０ｍ／ｓからなる群から選択された平均軸流速度を有する液滴を備える、請求項９９〜１８３のいずれか１項に記載の方法。
【請求項１８５】
前記標的は、細菌コロニー、真菌コロニー、または生物組織もしくは生体液体、例えば唾液、血液、または膿などの生物物質を備える、請求項１６４〜１８４のいずれか１項に記載の方法。
【請求項１８６】
前記生物組織は、人間組織または非人間の動物組織を備える、請求項１８５に記載の方法。
【請求項１８７】
前記生物組織は、体内の生物組織を備える、請求項１８５または１８６に記載の方法。
【請求項１８８】
前記生物組織は、体外の生物組織を備える、請求項１８５または１８６に記載の方法。
【請求項１８９】
前記生物組織は、試験管内の生物組織を備える、請求項１８５または１８６に記載の方法。
【請求項１９０】
前記生物組織は、副腎組織、虫垂組織、膀胱組織、骨、腸組織、脳組織、乳房組織、気管支、冠状組織、耳組織、食道組織、眼組織、胆嚢組織、生殖器組織、心臓組織、視床下部組織、腎臓組織、大腸組織、腸組織、咽頭組織、肝臓組織、肺組織、リンパ節、口腔組織、鼻組織、膵臓組織、副甲状腺組織、下垂体組織、前立腺組織、直腸組織、唾液腺組織、骨格筋組織、皮膚組織、小腸組織、脊髄組織、脾臓組織、胃組織、胸腺組織、気管組織、甲状腺組織、軟組織、結合組織、腹膜組織、血管組織、脂肪組織、尿管組織、尿道組織、段階Ｉ、段階ＩＩ、段階ＩＩＩもしくは段階ＩＶの癌組織、転移性癌の組織、混合段階の癌組織、副段階の癌組織、健常もしくは正常組織、または癌もしくは異常組織を備える、請求項１８５〜１８９のいずれか１項に記載の方法。
【請求項１９１】
前記第１のデバイスは、ポイントオブケア（「ＰＯＣ」）、診断、または外科装置、電気手術デバイス、ジアテルミーデバイス、超音波デバイス、ハイブリッド超音波電気手術デバイス、手術水ジェットデバイス、ハイブリッド電気手術アルゴンプラズマ凝固装置、ハイブリッドアルゴンプラズマ凝固および水ジェットデバイス、ならびに／またはレーザーデバイスを備える、請求項９９〜１９０のいずれか１項に記載の方法。
【請求項１９２】
検体イオンを発生させるために前記エアロゾル、煙、または蒸気の少なくとも一部をイオン化することを含む、請求項９９〜１９１のいずれか１項に記載の方法。
【請求項１９３】
前記エアロゾル、煙、または蒸気の少なくとも一部を質量および／またはイオン移動度分析計の真空チャンバの中に方向付けること、または吸引することを含む、請求項９９〜１９２のいずれか１項に記載の方法。
【請求項１９４】
複数の検体イオンを発生させるように、前記質量および／またはイオン移動度分析計の１つまたは前記真空チャンバ内の前記エアゾル、煙、または蒸気の少なくとも一部をイオン化することを含む、請求項１９３に記載の方法。
【請求項１９５】
前記複数の検体イオンを発生させるように、前記エアゾル、煙、または蒸気を恣意的に前記質量および／またはイオン移動度分析計の真空チャンバ内に配置された前記衝突面に激突させることをさらに含む、請求項１９２、１９３または１９４に記載の方法。
【請求項１９６】
分析データ、例えば質量および／またはイオン移動度分析データを獲得するために、前記エアゾル、煙、または蒸気から引き出された前記検体イオンまたはイオンを分析することを含む、請求項１９２〜１９５のいずれか１項に記載の方法。
【請求項１９７】
（ｉ）健常組織と病変組織とを区別するため、（ｉｉ）潜在的な癌組織と非癌組織とを区別するため、（ｉｉｉ）癌組織の異なる型または程度を区別するため、（ｉｖ）標的材料の異なる型またはクラスを区別するため、（ｖ）前記標的内に１つまたは複数の望ましい、または望ましくない物質が存在するか否かを判定するため、（ｖｉ）前記標的の同定または信頼性を確認するため、（ｖｉｉ）前記標的内に１つまたは複数の不純物、不法物質、または望ましくない物質が存在するか否かを判定するため、（ｖｉｉｉ）人間または動物の患者が有害転帰を受ける危険性が増加したか否かを判定するため、（ｉｘ）診断または予後の診断を作成するため、または作成を支援するため、および（ｘ）執刀医、看護師、医師、またはロボットに医療、手術、または診断結果を通知するための、いずれかのために前記分析データを分析することを含む、請求項１９６に記載の方法。
【請求項１９８】
前記分析データを分析する前記ステップは、エアゾル、煙、または蒸気のサンプルを分類するように、１つまたは複数のサンプルスペクトルを分析することを含む、請求項１９６または１９７に記載の方法。
【請求項１９９】
前記エアゾル、煙、または蒸気のサンプルを分類するように、前記１つまたは複数のサンプルスペクトルを分析することは、前記１つまたは複数のサンプルスペクトルの目的変数ありの分析、および／または前記１つまたは複数のサンプルスペクトルの目的変数なしの分析を含む、請求項１９８に記載の方法。
【請求項２００】
前記エアゾル、煙、または蒸気サンプルを分類するように、前記１つまたは複数のサンプルスペクトルを分析することは、（ｉ）単変量解析、（ｉｉ）多変量解析、（ｉｉｉ）主成分分析（ＰＣＡ）、（ｉｖ）線形判別分析（ＬＤＡ）、（ｖ）最大マージン基準（ＭＭＣ）、（ｖｉ）ライブラリに基づいた分析、（ｖｉｉ）クラス分類のためのソフト無しモデリング（ＳＩＭＣＡ）、（ｖｉｉｉ）因子分析（ＦＡ）、（ｉｘ）再帰分割（決定木）、（ｘ）ランダムフォレスト、（ｘｉ）独立成分分析（ＩＣＡ）、（ｘｉｉ）部分最小二乗判別分析（ＰＬＳ−ＤＡ）、（ｘｉｉｉ）潜在構造に対する直行（部分最小二乗）射影（ＯＰＬＳ）、（ｘｉｖ）ＯＰＬＳ判別分析（ＯＰＬＳ−ＤＡ）、（ｘｖ）サポートベクトルマシン（ＳＶＭ）、（ｘｖｉ）（人工）神経回路網、（ｘｖｉｉ）多層パーセプトロン、（ｘｖｉｉｉ）放射基底関数（ＲＢＦ）網、（ｘｉｘ）ベイズ解析、（ｘｘ）クラスタ分析、（ｘｘｉ）カーネル法、（ｘｘｉｉ）部分判別分析、（ｘｘｉｉｉ）ｋ近傍法（ＫＮＮ）、（ｘｘｉｖ）二次判別分析（ＱＤＡ）、（ｘｘｖ）確立的主成分分析（ＰＰＣＡ）、（ｘｘｖｉ）非負値行列因子分解、（ｘｘｖｉｉ）ｋ平均因子分解、（ｘｘｖｉｉｉ）ファジーｃ平均因子分解、および（ｘｘｉｘ）判別分析（ＤＡ）のうちの１つまたは複数を使用することを含む、請求項１９８または１９９に記載の方法。
【請求項２０１】
前記エアゾル、煙、または蒸気のサンプルを分類するように前記１つまたは複数のサンプルスペクトルを分析することは、１つまたは複数の標準サンプルスペクトルを使用して分類モデルまたはライブラリを開発することを含む、請求項１９８、１９９または２００に記載の方法。
【請求項２０２】
前記エアゾル、煙、または蒸気のサンプルを分類するように前記１つまたは複数のサンプルスペクトルを分析することは、主成分分析（ＰＣＡ）を実行した後、線形判別分析（ＬＤＡ）を実行することを含む、請求項１９８〜２０１のいずれか１項に記載の方法。
【請求項２０３】
前記エアゾル、煙、または蒸気のサンプルを分類するように前記１つまたは複数のサンプルスペクトルを分析することは、主成分分析（ＰＣＡ）を実行した後、最大マージン基準（ＭＭＣ）を実行することを含む、請求項１９８〜２０２のいずれか１項に記載の方法。
【請求項２０４】
前記エアゾル、煙、または蒸気のサンプルを分類するように前記１つまたは複数のサンプルスペクトルを分析することは、分類モデルまたはライブラリ内で１つまたは複数のクラスを画定することを含む、請求項１９８〜２０３のいずれか１項に記載の方法。
【請求項２０５】
前記エアゾル、煙、または蒸気のサンプルを分類するように前記１つまたは複数のサンプルスペクトルを分析することは、１つもしくは複数のクラスまたはクラスタ基準に従って、分類モデルまたはライブラリ内の１つまたは複数のクラスを手動的または自動的に画定することを含む、請求項１９８〜２０４のいずれか１項に記載の方法。
【請求項２０６】
各クラスに対する前記１つもしくは複数のクラスまたはクラスタ基準は、モデル空間内の標準サンプルスペクトルに対する１つまたは複数の対の基準点間の距離、モデル空間内の標準サンプルスペクトルに対する基準点の群の間の分散値、ならびにモデル空間内の標準サンプルスペクトルに対する基準点の群内の分散値のうちの１つまたは複数に基づく、請求項２０５に記載の方法。
【請求項２０７】
前記１つまたは複数のクラスは、それぞれが１つまたは複数のクラス定義によって画定される、請求項２０４、２０５または２０６に記載の方法。
【請求項２０８】
前記１つまたは複数のクラス定義は、モデル空間内の標準サンプルスペクトル、値、境界、線、面、超平面、分散、容積、ボロノイ細胞、および／もしくは位置に対する１つもしくは複数の基準点の１組、ならびにクラス階層内の１つもしくは複数の位置の１つまたは複数を含む、請求項２０７に記載の方法。
【請求項２０９】
前記エアゾル、煙、または蒸気のサンプルを分類するように前記１つまたは複数のサンプルスペクトルを分析することは、１つまたは複数の未知のサンプルスペクトルを分類するために分類モデルまたはライブラリを使用することを含む、請求項１９８〜２０８のいずれか１項に記載の方法。
【請求項２１０】
前記エアゾル、煙、または蒸気のサンプルを分類するように前記１つまたは複数のサンプルスペクトルを分析することは、１つまたは複数の分類基準に従って、１つまたは複数のサンプルスペクトルを手動的または自動的に分類することを含む、請求項１９８〜２０９のいずれか１項に記載の方法。
【請求項２１１】
前記１つまたは複数の分類基準は、
モデル空間内の１つまたは複数のサンプルスペクトルに対する１つまたは複数の投影されたサンプル点と、距離閾値より低い、もしくはこのような最低距離である前記モデル空間内の標準サンプルスペクトル、値、境界、線、面、超平面、容積、ボロノイ細胞、または位置に対する１つまたは複数の基準点の１組との間の距離、
モデル空間内の１つまたは複数の標準サンプルスペクトル、値、境界、線、面、超平面、または位置に対する、１つまたは複数の基準点の一方の側面または他方の側面である前記モデル空間内の、１つまたは複数のサンプルスペクトルのための１つまたは複数の投影されたサンプル点に対する位置、
モデル空間内の１つまたは複数の容積またはボロノイ細胞内にある前記モデル空間内の１つまたは複数のサンプルスペクトルに対する、１つまたは複数の投影されたサンプル点のための位置、
確率もしくは分類スコア閾値より高い、またはこのような最高の確率もしくは分類スコアである確率または分類スコアのうちの１つまたは複数を含む、請求項２１０に記載の方法。
【請求項２１２】
前記衝突アセンブリまたは衝突面は、前記毛細管またはサンプル管に対して第１の電位で維持され、かつ／または、
前記衝突アセンブリまたは衝突面は、前記イオン分析器の流入口に対して第２の電位で維持され、かつ／または、
前記衝突アセンブリまたは衝突面は、前記分析計の前記グランドシャーシに対して第３の電位で維持され、かつ／または、
前記衝突アセンブリまたは衝突面は、前記イオンガイドまたはイオントラップに対して第４の電位で維持され、かつ／または、
前記イオン分析器の前記流入口は、前記分析計の前記グランドシャーシに対して第５の電位で維持される、請求項１〜２１１のいずれか１項に記載の方法。
【請求項２１３】
前記第１、第２、第３、第４、および第５の電位の前記いずれか１つまたはあらゆる組合せは、≧２Ｖ、２〜３Ｖ、３〜４Ｖ、４〜５Ｖ、５〜１０Ｖ、１０〜１５Ｖ、１５〜２０Ｖ、２０〜２５Ｖ、２５〜３０Ｖ、３０〜３５Ｖ、３５〜４０Ｖ、４０〜４５Ｖ、４５〜５０Ｖ、５０〜６０Ｖ、６０〜７０Ｖ、７０〜８０Ｖ、８０〜９０Ｖ、９０〜１００Ｖ、１００〜１２０Ｖ、１２０〜１４０Ｖ、１４０〜１６０Ｖ、１６０〜１８０Ｖ、１８０〜２００Ｖ、２００〜２２０Ｖ、２２０〜２４０Ｖ、２４０〜２６０Ｖ、２６０〜２８０Ｖ、２８０〜３００Ｖ、および≧３００Ｖからなる群から選択された陽電位であり、
前記第１、第２、第３、第４、および第５の電位の前記いずれか１つまたはあらゆる組合せは、≧２Ｖ、２〜３Ｖ、３〜４Ｖ、４〜５Ｖ、５〜１０Ｖ、１０〜１５Ｖ、１５〜２０Ｖ、２０〜２５Ｖ、２５〜３０Ｖ、３０〜３５Ｖ、３５〜４０Ｖ、４０〜４５Ｖ、４５〜５０Ｖ、５０〜６０Ｖ、６０〜７０Ｖ、７０〜８０Ｖ、８０〜９０Ｖ、９０〜１００Ｖ、１００〜１２０Ｖ、１２０〜１４０Ｖ、１４０〜１６０Ｖ、１６０〜１８０Ｖ、１８０〜２００Ｖ、２００〜２２０Ｖ、２２０〜２４０Ｖ、２４０〜２６０Ｖ、２６０〜２８０Ｖ、２８０〜３００Ｖ、および≧３００Ｖからなる群から選択された負電位である、請求項２１２に記載の方法。
【請求項２１４】
請求項９９〜２１３のいずれか１項に記載の前記ステップを含む手術または電気手術の方法であって、
生物組織を手術または電気手術用具と接触させること、および前記検体、煙、噴霧、液体、気体、手術煙、エアゾル、または蒸気を発生させるように前記用具を活性化させることと、
前記検体、煙、噴霧、液体、気体、手術煙、エアゾル、または蒸気を吸引することと、
検体イオンを形成するために、前記検体、煙、噴霧、液体、気体、手術煙、エアゾル、または蒸気を前記衝突アセンブリに方向付けることと、
前記検体イオンを質量および／またはイオン移動度分析することとを含む、方法。
【請求項２１５】
請求項１〜９８のいずれか１項に記載の装置を備える手術または電気手術の装置であって、
１つまたは複数の電極を含む手術用具または電気手術用具と、
前記用具が使用時に生物組織と接触する際に、前記検体、煙、噴霧、液体、気体、手術煙、エアゾル、または蒸気を発生させるために、前記用具を活性化させるように配置され適合されたデバイスと、
前記検体、煙、噴霧、液体、気体、手術煙、エアゾル、または蒸気を吸引するように配置され適合されたデバイスと、
（ｉ）前記衝突アセンブリ、（ｉｉ）検体イオンを形成するために、前記検体、煙、噴霧、液体、気体、手術煙、エアゾル、または蒸気を前記衝突アセンブリに方向付けるように配置され適合された前記デバイス、ならびに（ｉｉｉ）前記検体イオンを質量および／またはイオン移動度分析するための質量および／またはイオン移動度分析計を備える、質量および／またはイオン移動度分析計とを備える、装置。
【請求項２１６】
検体源を質量および／またはイオン移動度分析計の真空チャンバと相互接合するための装置であって、
検体を穴部の第１の端部で受領し、前記検体を前記穴部の第２の端部を通り前記真空チャンバに搬送するためにそれを通る前記穴部を有する筐体と、
前記穴部内の遮断弁とを備え、前記遮断弁は、毛細管またはサンプル管が前記穴部を通って挿入されて前記遮断弁と接触するときに開くように構成され、前記毛細管またはサンプル管が前記穴部から引き抜かれると閉じるように構成される、装置。
【請求項２１７】
前記毛細管またはサンプル管を備える、請求項２１６に記載の装置。
【請求項２１８】
前記穴部から出る前記検体または他のサンプルをその上に激突させるために、前記穴部の第２の端部に配置された衝突アセンブリを備える、請求項２１６または２１７に記載の装置。
【請求項２１９】
前記衝突アセンブリは、前記筐体に取り外し可能に装着される、請求項２１８に記載の装置。
【請求項２２０】
前記衝突アセンブリを加熱するための加熱器を備える、請求項２１８または２１９に記載の装置。
【請求項２２１】
前記筐体は、前記衝突アセンブリを保護するために、伸張した位置で前記衝突アセンブリを少なくとも部分的に包囲する１つまたは複数の遮蔽を備える、請求項２１８、２１９または２２０に記載の装置。
【請求項２２２】
前記１つまたは複数の遮蔽は、前記伸張した位置から、前記衝突アセンブリの少なくとも一部が前記１つまたは複数の遮蔽によって包囲されない収縮した位置に、少なくとも部分的に収縮可能である、請求項２２１に記載の装置。
【請求項２２３】
前記１つまたは複数の遮蔽は、前記伸張した位置に向かって付勢される、請求項２２２に記載の装置。
【請求項２２４】
請求項２１６〜２２３のいずれか１項に記載の装置を備える質量および／またはイオン移動度分析計であって、
前記穴部は、第１の圧力で維持されるように構成された真空チャンバを連結するように、また前記遮断弁が開くとより高圧な領域を連結するように配置される、質量および／またはイオン移動度分析計。
【請求項２２５】
検体源を質量および／またはイオン移動度分析計の真空チャンバと相互接合するための装置であって、
検体を穴部の第１の端部で受領し、前記検体を前記穴部の第２の端部を通り前記真空チャンバに搬送するためにそれを通る前記穴部を有する筐体と、
前記穴部から出る前記検体または他のサンプルをその上に激突させるために、前記穴部の第２の端部に隣接して配置された、または前記穴部の前記第２の端部の下流に配置された衝突アセンブリとを備え、前記衝突アセンブリは前記筐体に取り外し可能に装着される、装置。
【請求項２２６】
前記衝突アセンブリを加熱するための加熱器を備える、請求項２２５に記載の装置。
【請求項２２７】
前記衝突アセンブリは、実質的に円筒形、管状、棒形状、コイル形状、螺旋状もしくは渦巻形状、球形、半球形、涙滴形状、板形状、凹形状、皿形状、または円錐形状である、請求項２２５または２２６に記載の装置。
【請求項２２８】
前記筐体は、前記衝突アセンブリを保護するために、伸張した位置で前記衝突アセンブリを少なくとも部分的に包囲する１つまたは複数の遮蔽を備える、請求項２２５、２２６または２２７に記載の装置。
【請求項２２９】
前記１つまたは複数の遮蔽は、前記伸張した位置から、前記衝突アセンブリの少なくとも一部が前記１つまたは複数の遮蔽によって包囲されない収縮した位置に、少なくとも部分的に収縮可能である、請求項２２８に記載の装置。
【請求項２３０】
前記１つまたは複数の遮蔽は、前記伸張した位置に向かって付勢される、請求項２２９に記載の装置。
【請求項２３１】
請求項２２５〜２３０のいずれか１項に記載の装置を備える質量および／またはイオン移動度分析計であって、前記筐体は、前記穴部の第２の端部で真空チャンバに連結される、質量および／またはイオン移動度分析計。
【請求項２３２】
検体源を質量および／またはイオン移動度分析計の真空チャンバと相互接合するための装置であって、
検体を穴部の第１の端部で受領し、前記検体を前記穴部の第２の端部を通り前記真空チャンバに搬送するためにそれを通る前記穴部を有する筐体と、
前記穴部から出る前記検体または他のサンプルをその上に激突させるために、前記穴部の第２の端部に隣接して配置される、または前記穴部の前記第２の端部の下流に配置されるように、前記筐体に装着された衝突アセンブリとを備え、
前記筐体は、前記筐体が少なくとも部分的に前記衝突アセンブリを包囲する伸張した位置、および前記衝突アセンブリの少なくとも一部が１つまたは複数の遮蔽によって包囲されない収縮した位置から、移動可能であるように構成された前記１つまたは複数の遮蔽を備える、装置。
【請求項２３３】
前記１つまたは複数の遮蔽は、前記伸張した位置に向かって付勢される、請求項２３２に記載の装置。
【請求項２３４】
請求項２３２または２３３のいずれか１項に記載の装置を備える質量および／またはイオン移動度分析計であって、前記筐体は、前記穴部の第２の端部で真空チャンバに連結される、質量および／またはイオン移動度分析計。
【請求項２３５】
検体源を質量および／またはイオン移動度分析計の真空チャンバと相互接合するための装置であって、
検体を穴部の第１の端部で受領し、前記検体を前記穴部の第２の端部を通り前記真空チャンバに搬送するためにそれを通る前記穴部を有する筐体と、
前記穴部または前記穴部と連通する経路を選択的に閉じるための遮断弁とを備え、前記遮断弁は、その長手軸を中心とした前記筐体の回転により、前記遮断弁が開位置と閉位置との間を動くように、前記筐体に結合される、装置。
【請求項２３６】
前記遮断弁は、前記弁が前記開位置と前記閉位置との間を動く際に、前記穴部または前記穴部と連通する経路内の開口を横切って摺動するように構成されたカム部材を備える、請求項２３５に記載の装置。
【請求項２３７】
前記穴部から出る前記検体または他のサンプルをその上に激突させるために、前記穴部の第２の端部に配置された衝突アセンブリを備える、請求項２３５または２３６に記載の装置。
【請求項２３８】
前記衝突アセンブリは、前記筐体に取り外し可能に装着される、請求項２３７に記載の装置。
【請求項２３９】
前記衝突アセンブリを加熱するための加熱器を備える、請求項２３７または２３８に記載の装置。
【請求項２４０】
請求項２３５〜２３９のいずれか１項に記載の装置を備える質量および／またはイオン移動度分析計であって、前記穴部は、第１の圧力で維持されるように構成された真空チャンバを連結するように、また前記遮断弁が開くとより高圧な領域を連結するように配置される、質量および／またはイオン移動度分析計。
【発明の詳細な説明】
【技術分野】
【０００１】
関連出願の相互参照
本出願は、２０１５年３月６日に出願された英国特許出願第１５０３８７６．３号、２０１５年３月６日に出願された英国特許出願第１５０３８６４．９号、２０１５年１０月１６日に出願された英国特許出願第１５１８３６９．２号、２０１５年３月６日に出願された英国特許出願第１５０３８７７．１号、２０１５年３月６日に出願された英国特許出願第１５０３８７６．２号、２０１５年３月６日に出願された英国特許出願第１５０３８６３．１号、２０１５年３月６日に出願された英国特許出願第１５０３８７８．９号、２０１５年３月６日に出願された英国特許出願第１５０３８７９．７号、および２０１５年９月９日に出願された英国特許出願第１５１６００３．９号からの優先権および利益を主張する。これらの出願の内容全体が参照により本明細書に組み込まれる。
【０００２】
本発明は、一般に質量および／またはイオン移動度分析に関し、詳細にはサンプルのイオン化を向上させるための装置に関する。実施形態は、急速蒸発イオン化質量および／またはイオン移動度分析、質量および／またはイオン移動度分析、分離器または分析器、急速蒸発イオン化質量分析（「ＲＥＩＭＳ」）の方法、質量および／またはイオン移動度分析の方法、電気手術の方法、ならびに電気手術装置に関する。
【背景技術】
【０００３】
急速蒸発イオン化質量分析（「ＲＥＩＭＳ」）は、物質のリアルタイム同定のため、例えば外科的介入中に生物組織の同定のために最近開発されている技術である。生物組織のＲＥＩＭＳ分析は、マトリクス支援レーザー脱離イオン化（「ＭＡＬＤＩ」）、二次イオン質量分析（「ＳＩＭＳ」）、および脱離エレクトロスプレーイオン化（「ＤＥＳＩ」）撮像と同様の、高い組織学および病理組織学の特異性を有するリン脂質のプロファイルを得るように示されてきた。
【０００４】
ＲＥＩＭＳ技術を携帯サンプリング装置と結合することにより、ｉＫｎｉｆｅサンプリング技術をもたらし、これは術中組織同定を提供することができる。この技術により、執刀医は、腫瘍などを手術中に執刀医が除去する健常組織の量を最小にする支援をできるが、標的組織を切除する役に立つ情報を提供することにより、標的組織をより効果的に切除できる。またｉＫｎｉｆｅサンプリング技術は、標的物体を試験管内の基板から分離するために非外科的方法で非外科的作業者が使用することができる。
【０００５】
公知のｉＫｎｉｆｅサンプリングシステムでは、質量分析信号は、基板が交流電流を無線周波数で受けることによって獲得され、これによりジュール熱を局所化し、細胞を荷電粒子および中性粒子の脱離とともに粉砕する。得られるエアロゾル（例えば「手術煙」）は、オンラインの質量分光分析に対して大気圧イオン化質量分析器計の大気インターフェースに直接導入される。エアロゾルは、質量分析が生物組織を直接フィンガープリントできるように十分な数のイオン化分子を含有する。
【０００６】
蒸発後にイオン化したサンプル内の中性分子を使用して、イオン収量を増進させてもよい。このことに関して、エレクトロスプレーおよびコロナ放電ポストイオン化法を試験した。二次エレクトロスプレーイオン化、溶融液滴エレクトロスプレーイオン化、および抽出エレクトロスプレーイオン化は、イオン収量を増加させるために使用されてきた。これらの３つの技法は、帯電した溶媒液滴が気相内でエアロゾル粒子と溶融され、得られる溶融液滴はエレクトロスプレー様のイオン化工程を受けるという意味で類似している。しかしこれらの技法は、エレクトロスプレーの設置の脆さ、ＤＥＳＩ様現象、溶媒型のエレクトロスプレーに関する制約、および流量によってもたらされたサンプルの持ち越し効果、ならびにこれらの技法に関与した高圧に起因する人間介在の環境における患者の安全性の配慮に煩わされる。
【０００７】
またエアロゾル粒子の、質量分析計の真空領域内の衝突面との衝突を促進することにより、イオン化を高めることも可能である。衝突イオン発生方法が開発され、国際公開第２０１３／０９８６４２号（Ｍｅｄｉｍａｓｓ）（特許文献１）に開示されており、この開示では、エアロゾル粒子が大気インターフェースで分析器に入り、自由噴流型の分析器の真空領域に加速される。自由噴流によって加速されたエアロゾル粒子は、次いで衝突面に方向付けられ、イオン収量を増進させる。
【０００８】
しかしこの増進にもかかわらず、多数の問題が依然として残っている。例えばこの技法に対するイオン化収量は比較的低いままである。また電気手術ジアテルミーを凝固式で使用すると、イオン化が欠如する、または検体イオン形成が抑制されることがある。また高いトリグリセリドの含有を有する組織が切断される際（例えば乳癌の場合）、イオン化が欠如することがある。
【先行技術文献】
【特許文献】
【０００９】
【特許文献１】国際公開第２０１３／０９８６４２号
【発明の概要】
【発明が解決しようとする課題】
【００１０】
改良された装置および方法を提供することが望まれる。
【課題を解決するための手段】
【００１１】
第１の態様から、本発明は、周囲イオン化質量分析および／またはイオン移動度分析を実行するための装置であって、
実質的に円筒形、管状、棒形状、コイル形状、螺旋状、または渦巻形状の衝突アセンブリと、
検体、煙、噴霧、液体、気体、手術煙、エアロゾル、または蒸気を該衝突アセンブリに方向付けるように配置され適合された第１のデバイスとを備える、装置が提供される。
【００１２】
煙、噴霧、液体、気体、手術煙、エアロゾル、または蒸気は検体を備える。
【００１３】
特に曲面を有する円筒の管状の衝突アセンブリは、比較的大きい検体の激突面積を提供する一方で、比較的高いイオン信号を維持することが見出された。コイル形状、螺旋状、または渦巻形状の衝突アセンブリも比較的高いイオン信号を提供することが見出された。さらにこれらの細長い衝突面は、電気抵抗性加熱コイルの上に比較的容易に形成される、または電気抵抗性加熱コイルによって比較的容易に形成され得るので、加熱が望ましい場合は容易に加熱できる。
【００１４】
しかし他の形状の衝突面も使用してよい。したがって別の態様から、本発明は、周囲イオン化質量分析および／またはイオン移動度分析を実行するための装置であって、
衝突アセンブリと、
検体、煙、噴霧、液体、気体、手術煙、エアロゾル、または蒸気を該衝突アセンブリに方向付けるように配置され適合された第１のデバイスとを備える、装置が提供される
【００１５】
衝突面は、金網などのメッシュであってもよい。
【００１６】
衝突面は、球形、半球形、涙滴形状、板形状、凹形、皿形状、または円錐形であってもよい。
【００１７】
衝突アセンブリは第１の長手方向軸を有してもよく、第１のデバイスは、検体、煙、噴霧、液体、気体、手術煙、エアロゾル、または蒸気を実質的に該第１の軸に直交する第２の軸に沿って該衝突アセンブリに方向付けるように配置され適合されてもよい。
【００１８】
別法として、衝突アセンブリは第１の長手方向軸を有してもよく、第１のデバイスは、検体、煙、噴霧、液体、気体、手術煙、エアロゾル、または蒸気を該第１の軸に沿って該衝突アセンブリに方向付けるように配置され適合されてもよい。
【００１９】
また本発明は、エアロゾル、煙、または蒸気をイオン化するための装置であって、
流入口および流出口を有する中空衝突アセンブリを備え、該衝突アセンブリの内断面積は、（ｉ）実質的に一定である、または（ｉｉ）該流入口から該流出口の方向に低減する、または（ｉｉｉ）該流入口から該流出口の方向に増加する、いずれかである、装置も提供する。
【００２０】
中空漏斗形状の衝突アセンブリまたは中空円筒形の衝突アセンブリに関する実施形態も、信号対雑音比における著しい改善と相まって高いイオン収量（または改善されたイオン化効率）をもたらすことも見出された。さらにこれらの実施形態は、分析の関心対象ではない背景クラスタにより、衝突アセンブリおよび下流イオン光学の汚染をもたらすことが少ないことがある。
【００２１】
流入口は該エアロゾルを受領するように配置されてもよい。
【００２２】
エアロゾルは、該衝突アセンブリの内面に激突するように配置されてもよい。
【００２３】
エアロゾルは、検体イオンを形成するまたは解放するように該内面に激突するように配置されてもよい。
【００２４】
検体イオンは、該衝突アセンブリから該流出口を介して出現するように配置されてもよい。
【００２５】
衝突アセンブリは、漏斗形状の衝突アセンブリを備えてもよい。
【００２６】
別法として、衝突アセンブリは、管状または円筒形の衝突アセンブリを備えてもよい。
【００２７】
装置は、該エアロゾルを該衝突アセンブリの長手方向軸と実質的に同軸である軸に沿って該衝突アセンブリの中に方向付けるように配置され適合された、第１のデバイスを備えてもよい。
【００２８】
衝突アセンブリは、コイル構造から、または連続した管もしくは円錐構造から形成されてもよい。
【００２９】
本明細書に説明された様々な装置は、該衝突アセンブリを加熱するために加熱器または加熱コイルを備えてもよい。
【００３０】
加熱器または該加熱コイルは衝突アセンブリであってもよく、衝突アセンブリの上に検体、煙、噴霧、液体、気体、手術煙、エアロゾル、または蒸気が方向付けられてもよい。衝突面としての加熱コイルの使用は、特に安定した熱分配を有することが見出された。
【００３１】
加熱器または該加熱コイルは、衝突アセンブリによって包囲されるか、または衝突アセンブリ内に埋め込まれてもよい。
【００３２】
衝突アセンブリはその中に開口を備えてもよいので、加熱器または加熱コイルは、開口により煙、噴霧、液体、気体、手術煙、エアロゾル、または蒸気に曝されてもよい。
【００３３】
装置は、電力を該加熱器または該加熱コイルに供給するために１つまたは複数の電極を備えてもよい。
【００３４】
装置は、衝突アセンブリを加熱するために電流を加熱器または加熱コイルに供給するように構成されてもよく、電流は、約≧０．５Ａ、約≧１Ａ、約≧１．５Ａ、約≧２Ａ、約≧２．５Ａ、約≧３Ａ、約≧３．５Ａ、約≧４Ａ、約≧４．５Ａ、および約≧５Ａからなる群から選択される。
【００３５】
加熱器または加熱コイルは、（ｉ）約＜１００℃、（ｉｉ）約１００〜２００℃、（ｉｉｉ）約２００〜３００℃、（ｉｖ）約３００〜４００℃、（ｖ）約４００〜５００℃、（ｖｉ）約５００〜６００℃、（ｖｉｉ）約６００〜７００℃、（ｖｉｉｉ）約７００〜８００℃、（ｉｘ）約８００〜９００℃、（ｘ）約９００〜１０００℃、（ｘｉ）約１０００〜１１００℃、および（ｘｉｉ）約＞１１００℃からなる群から選択された温度に該衝突アセンブリを加熱するように配置されてもよい。
【００３６】
加熱器または加熱コイルは、分析されるサンプルから衝突アセンブリ上に堆積された汚染物質を焼き払うように配置され構成されてもよい。
【００３７】
衝突アセンブリは、セラミック、非セラミック、ガラス、ガラスセラミック、石英、鋼鉄もしくはニッケルなどの金属、または鉄クロムアルミニウム（ＦｅＣｒＡｌ）合金、Ｋａｎｔｈａｌ、Ｎｉｋｒｏｔｈａｌ、もしくはＮｉｃｈｒｏｍｅなどの金属合金である、外側衝突面であってもよく、または外側衝突面を備えてもよい。検体、煙、噴霧、液体、気体、手術煙、エアロゾル、または蒸気は、約≧１ｍｍ、約≧２ｍｍ、約≧３ｍｍ、約≧４ｍｍ、約≧５ｍｍ、約≧６ｍｍ、約≧７ｍｍ、および約≧８ｍｍからなる群から選択された軸に直交する最大または最小寸法を有する、および／または約≦８、約≦７、約≦６、約≦５、約≦４、および約≦３からなる群から選択された軸に直交する最大または最小寸法を有する、衝突アセンブリの領域上の軸に沿って方向付けられてもよい。
【００３８】
装置は、衝突アセンブリの周囲に配置されたシース管を備えてもよく、それを通って使用時に煙、噴霧、液体、気体、手術煙、エアロゾル、または蒸気が移動してもよい。
【００３９】
シース管は、衝突アセンブリの上流および／または下流に伸張してもよい。
【００４０】
装置は、衝突アセンブリとシース管との間の電位差を維持するために１つまたは複数の電圧源を備えてもよい。
【００４１】
装置は、煙、噴霧、液体、気体、手術煙、エアロゾル、または蒸気を該衝突アセンブリ上に送達するために毛細管またはサンプル管を備えてもよい。
【００４２】
毛細管またはサンプル管の出口オリフィスは、約０ｍｍ、約≦１ｍｍ、約１〜２ｍｍ、約２〜３ｍｍ、約３〜４ｍｍ、約４〜５ｍｍ、約５〜６ｍｍ、約６〜７ｍｍ、約７〜８ｍｍ、約８〜９ｍｍ、約９〜１０ｍｍ、および約≧１０ｍｍからなる群から選択された距離だけ衝突アセンブリの衝突面の上流に配置されてもよい。別法としてまたは追加として、毛細管またはサンプル管は穴部の中に受領されてもよく、それに取り付けられ、毛細管またはサンプル管の出口を衝突面から所定の固定距離に配置するために、毛細管またはサンプル管の移動の範囲を穴部の中に制限するように、装置の別の部分を係合するためにその外面から半径方向外方に伸張する移動制限部材を備えてもよい。例えば移動制限部材は、毛細管またはサンプル管の周囲に配置された円盤を備えてもよい。
【００４３】
移動制限部材は毛細管もしくはサンプル管に例えば溶接によってしっかりと固定されてもよく、または毛細管もしくはサンプル管の出口と衝突面との間の距離を選択するように、毛細管もしくはサンプル管に沿って選択的に移動可能であってもよい。
【００４４】
装置は、毛細管またはサンプル管を加熱するために加熱器を備えてもよい。
【００４５】
加熱器は、（ｉ）約＜１００℃、（ｉｉ）約１００〜１５０℃、（ｉｉｉ）約１５０〜２００℃、（ｉｖ）約２００〜２５０℃、（ｖ）約２５０〜３００℃、（ｖｉ）約３００〜３５０℃、（ｖｉｉ）約＞３５０℃からなる群から選択された温度に毛細管またはサンプル管を加熱するように構成されてもよい。
【００４６】
装置は、該衝突アセンブリを支持するために第１の容器を備えてもよい。
【００４７】
第１の容器は、セラミックまたは非セラミックから形成されてもよい。
【００４８】
該加熱器または加熱コイルに電力を供給するための１つまたは複数の電極は、該第１の容器を通過してもよい。
【００４９】
装置は、主加熱アセンブリまたはユニット筐体を備えてもよい。
【００５０】
第１の容器は、該主加熱アセンブリまたはユニット筐体に取り外し可能に装着されてもよい。
【００５１】
主加熱アセンブリまたはユニット筐体は、それを通って走る穴部、および該穴部を選択的に閉じるための第１の遮断弁を備えてもよく、恣意的に該第１の遮断弁はボール弁を備える。
【００５２】
第１の遮断弁は、１つまたは複数の毛細管またはサンプル管が該穴部に挿入されると、開くように配置され構成されてもよい。
【００５３】
第１の遮断弁は、該１つまたは複数の毛細管またはサンプル管が該穴部から少なくとも部分的にまたは完全に取り除かれると、閉じるように配置されてもよい。
【００５４】
装置は、検体、煙、噴霧、液体、気体、手術煙、エアロゾル、もしくは蒸気を該衝突アセンブリ上に供給するために、使用時に該穴部を通って伸張する、または位置付けられる該１つもしくは複数の毛細管もしくはサンプル管を備えてもよい。
【００５５】
１つまたは複数の毛細管またはサンプル管は、使用時に該第１の容器を通って伸張してもよい。
【００５６】
１つまたは複数の毛細管またはサンプル管は、使用時に実質的に該衝突アセンブリに隣接しまたは該衝突アセンブリに面して配置される出口を有してもよい。
【００５７】
装置は、該衝突アセンブリを保護するために、伸張した位置で該衝突アセンブリを少なくとも部分的に包囲する、１つまたは複数の遮蔽を備えてもよい。
【００５８】
遮蔽は、例えば該主加熱アセンブリが源筐体内に挿入される、または別法として源筐体に連結される際に（すなわち完全に連結する前に）、伸張した位置にあってもよい。
【００５９】
１つまたは複数の遮蔽は、該伸張した位置から、衝突アセンブリの少なくとも一部が１つまたは複数の遮蔽によって包囲されない収縮した位置に、少なくとも部分的にまたは完全に収縮可能であってもよい。
【００６０】
遮蔽は、例えば一旦主加熱アセンブリが該源筐体内に挿入されるか、または別法として該源筐体に連結されると収縮した位置にあってもよい。
【００６１】
１つまたは複数の遮蔽は、該伸張した位置に向かって付勢されてもよい。
【００６２】
装置は源筐体を備えてもよい。
【００６３】
源筐体は第２の遮断弁を備えてもよい。
【００６４】
主加熱アセンブリまたは取り外し可能なユニット筐体アセンブリは、該第２の源筐体内に挿入可能であるか、または該源筐体に連結可能であってもよく、次いで使用時に該主加熱アセンブリまたは取り外し可能なユニット筐体は、第１の回転位置から第２の回転位置にさらに回転可能であってもよい。
【００６５】
該主加熱アセンブリまたは取り外し可能なユニット筐体の、該第１の位置から該第２の位置への回転は、使用時に該第２の遮断弁が第１の作動位置から第２の作動位置に動くように配置され適合されてもよい。
【００６６】
該第２の遮断弁の第１の作動位置は、実質的に閉じていてもよい。
【００６７】
該第２の遮断弁の第２の作動位置は実質的に開いていてもよい。
【００６８】
該装置の第１のデバイスは、周囲イオンもしくはイオン化源の一部を備えるか、もしくは形成してもよく、または該第１のデバイスもしくは装置は、分析される標的からエアロゾル、煙、もしくは蒸気を発生させるように構成されてもよく、該第１のデバイスもしくは装置は、イオンを含有し、または続いて周囲イオンもしくはイオン化源もしくは他のイオン化源によってイオン化される。
【００６９】
例えば第１のデバイスまたは装置は、標的から検体および／または検体イオンを備えるエアロゾル、煙、もしくは蒸気を発生させるように構成されてもよく、エアロゾル、煙、もしくは蒸気は、検体イオンを形成するかまたは解放するために衝突アセンブリと衝突されてもよい。
【００７０】
標的は、自然のまたは未修正の標的材料を備えてもよい。
【００７１】
自然のまたは未修正の標的は、マトリクスまたは試薬の追加によって未修正であってもよい（すなわちマトリクスまたは試薬が追加されない）。
【００７２】
第１のデバイスまたは装置は、調合前に該標的を必要とすることなく、該標的の１つまたは複数の領域からエアロゾル、煙、または蒸気を発生させるように配置され適合されてもよい。
【００７３】
第１のデバイスまたは装置は、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＩＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成してもよい。
【００７４】
第１のデバイスまたは装置は、１つまたは複数の電極を備えてもよく、該標的を該１つまたは複数の電極と接触させることにより、該標的の１つまたは複数の領域からエアロゾル、煙、または蒸気を発生させるように配置し適合されてもよい。
【００７５】
１つまたは複数の電極は、（ｉ）恣意的に別個の対極が提供される単極装置、（ｉｉ）双極装置、または（ｉｉｉ）恣意的に別個の少なくとも１つの対極が提供される多相ＲＦ装置のいずれかを備えてもよい。
【００７６】
１つまたは複数の電極は、急速蒸発イオン化質量分析（「ＲＥＩＭＳ」）デバイスを備えてもよい。
【００７７】
装置は、該エアロゾル、煙、または蒸気を発生させるために、交流電圧または直流電圧を該１つまたは複数の電極に印加するように配置され適合されたデバイスを備えてもよい。
【００７８】
該交流電圧または直流電圧を該１つまたは複数の電極に印加するためのデバイスは、該交流電圧または直流電圧の１つまたは複数のパルスを該１つまたは複数の電極に印加するように配置されてもよい。
【００７９】
該交流電圧または直流電圧を該１つまたは複数の電極に印加することより、熱を該標的の中に消散させてもよい。
【００８０】
第１のデバイスまたは装置は、該標的を照射するためのレーザーを備えてもよい。
【００８１】
第１のデバイスまたは装置は、ジュール熱またはジアテルミーにより該標的から標的材料を直接蒸発または気化させることにより、該標的の１つまたは複数の領域からエアロゾルを発生させるように配置され適合されてもよい。
【００８２】
第１のデバイスまたは装置は、超音波エネルギーを該標的に方向付けるように配置され適合されてもよい。
【００８３】
エアロゾルは、荷電されていない水性液滴を備えてもよく、恣意的には細胞物質を備える。
【００８４】
該第１のデバイスまたは装置によって発生され、該エアロゾルを形成する質量または物質の少なくとも５０％、５５％、６０％、６５％、７０％、７５％、８０％、８５％、９０％、または９５％は、液滴の形であってもよい。
【００８５】
第１のデバイスは、エアロゾルを発生させるように配置され適合されてもよく、該エアロゾルのザウター平均粒径（「ＳＭＤ」、ｄ３２）は、（ｉ）＜５μｍ、（ｉｉ）５〜１０μｍ、（ｉｉｉ）１０〜１５μｍ、（ｉｖ）１５〜２０μｍ、（ｖ）２０〜２５μｍ、または（ｖｉ）＞２５μｍの範囲内である。
【００８６】
エアロゾルは、（ｉ）＜２０００、（ｉｉ）２０００〜２５００、（ｉｉｉ）２５００〜３０００、（ｉｖ）３０００〜３５００、（ｖ）３５００〜４０００、または（ｖｉ）＞４０００の範囲のレイノルズ数（Ｒｅ）の流域を横切ってもよい。
【００８７】
実質的に該エアロゾルを発生する点では、該エアロゾルは、（ｉ）＜５０、（ｉｉ）５０〜１００、（ｉｉｉ）１００〜１５０、（ｉｖ）１５０〜２００、（ｖ）２００〜２５０、（ｖｉ）２５０〜３００、（ｖｉｉ）３００〜３５０、（ｖｉｉｉ）３５０〜４００、（ｉｘ）４００〜４５０、（ｘ）４５０〜５００、（ｘｉ）５００〜５５０、（ｘｉｉ）５５０〜６００、（ｘｉｉｉ）６００〜６５０、（ｘｉｖ）６５０〜７００、（ｘｖ）７００〜７５０、（ｘｖｉ）７５０〜８００、（ｘｖｉｉ）８００〜８５０、（ｘｖｉｉｉ）８５０〜９００、（ｘｉｘ）９００〜９５０、（ｘｘ）９５０〜１０００、および（ｘｘｉ）＞１０００からなる群から選択されたウェーバー数（Ｗｅ）を有する液滴を備えてもよい。
【００８８】
実質的に該エアロゾルを発生する点では、該エアロゾルは、（ｉ）１〜５、（ｉｉ）５〜１０、（ｉｉｉ）１０〜１５、（ｉｖ）１５〜２０、（ｖ）２０〜２５、（ｖｉ）２５〜３０、（ｖｉｉ）３０〜３５、（ｖｉｉｉ）３５〜４０、（ｉｘ）４０〜４５、（ｘ）４５〜５０、および（ｘｉ）＞５０の範囲のストークス数（Ｓｋ）を有する液滴を備えてもよい。
【００８９】
実質的に該エアロゾルを発生する点では、該エアロゾルは、（ｉ）＜２０ｍ／ｓ、（ｉｉ）２０〜３０ｍ／ｓ、（ｉｉｉ）３０〜４０ｍ／ｓ、（ｉｖ）４０〜５０ｍ／ｓ、（ｖ）５０〜６０ｍ／ｓ、（ｖｉ）６０〜７０ｍ／ｓ、（ｖｉｉ）７０〜８０ｍ／ｓ、（ｖｉｉｉ）８０〜９０ｍ／ｓ、（ｉｘ）９０〜１００ｍ／ｓ、（ｘ）１００〜１１０ｍ／ｓ、（ｘｉ）１１０〜１２０ｍ／ｓ、（ｘｉｉ）１２０〜１３０ｍ／ｓ、（ｘｉｉｉ）１３０〜１４０ｍ／ｓ、（ｘｉｖ）１４０〜１５０ｍ／ｓ、および（ｘｖ）＞１５０ｍ／ｓからなる群から選択された平均軸流速度を有する液滴を備えてもよい。
【００９０】
標的は、生物組織、生物物質、細菌コロニー、または真菌コロニーを備えてもよい。
【００９１】
生物組織は、人間組織または非人間の動物組織を備えてもよい。
【００９２】
生物組織は、体内の生物組織を備えてもよい。
【００９３】
生物組織は、体外の生物組織を備えてもよい。
【００９４】
生物組織は、試験管内の生物組織を備えてもよい。
【００９５】
生物組織は、副腎組織、虫垂組織、膀胱組織、骨、腸組織、脳組織、乳房組織、気管支、冠状組織、耳組織、食道組織、眼組織、胆嚢組織、生殖器組織、心臓組織、視床下部組織、腎臓組織、大腸組織、腸組織、咽頭組織、肝臓組織、肺組織、リンパ節、口腔組織、鼻組織、膵臓組織、副甲状腺組織、下垂体組織、前立腺組織、直腸組織、唾液腺組織、骨格筋組織、皮膚組織、小腸組織、脊髄組織、脾臓組織、胃組織、胸腺組織、気管組織、甲状腺組織、軟組織、結合組織、腹膜組織、血管組織、脂肪組織、尿管組織、尿道組織、段階Ｉ、段階ＩＩ、段階ＩＩＩもしくは段階ＩＶの癌組織、転移性癌の組織、混合段階の癌組織、副段階の癌組織、健常もしくは正常組織、または癌もしくは異常組織を備えてもよい。
【００９６】
第１のデバイスまたは装置は、ポイントオブケア（「ＰＯＣ」）、診断、または外科装置を備えてもよい。
【００９７】
検体、または煙、噴霧、液体、気体、手術煙、エアロゾル、または蒸気は、複数の検体イオンを発生する、または解放するように、該衝突アセンブリに方向付けられてもよい。
【００９８】
本発明は、上文に説明されたような装置を備える質量および／またはイオン移動度分析計も提供する。
【００９９】
質量および／またはイオン移動度分析計は、分析計の主筐体またはアセンブリを備えてもよく、源筐体は、使用時に該分析計の主筐体に連結されてもよい。
【０１００】
質量および／またはイオン移動度分析計は、イオントラップ、イオン移動度分離（ＩＭＳ）デバイス（例えばドリフト管およびＩＭＳ進行波デバイス）、ならびに／または質量分析器もしくはフィルタの１つまたは複数を備えてもよい。１つまたは複数の分析器は、四重極質量分析器および／または飛行時間型（ＴＯＦ）質量分析器を備えてもよい。
【０１０１】
分析計は、イオントラップおよび／またはイオンガイドを備えてもよい。恣意的にイオンガイドは、イオンを中性種から分離する電界に加えるように構成されてもよい。
【０１０２】
分析計は、該イオントラップ内で検体イオンを捕捉し、かつ／または該イオンガイドを使用して検体イオンを案内するように配置され適合されるデバイスを備えてもよい。
【０１０３】
分析計は、検体イオンを分析するための分析器を備えてもよい。
【０１０４】
分析器は、（ｉ）該検体イオンを質量分析するための質量分析器、（ｉｉ）イオン移動度もしくは異なるイオン移動度分析器、（ｉｉｉ）該検体イオンのイオン断面もしくは衝突断面を分析するための分析器、（ｉｖ）該検体イオンをそれらのイオン移動度もしくは異なるイオン移動度に従って分離するための分離器、（ｖ）該検体イオンを質量分析する前に、該検体イオンをそれらのイオン移動度または異なるイオン移動度に従って分離するための分離器、または（ｖｉ）検体イオンをそれらのイオン移動度もしくは異なるイオン移動度に基づいて排除するもしくは廃棄するように配置され適合されたデバイスを備えてもよい。
【０１０５】
マトリクスは、使用時に該検体、エアロゾル、煙、蒸気、または液体に供給されてもよいが、該検体、エアロゾル、煙、蒸気、または液体は、気相内にある、蒸気の形である、エアロゾルの形である、または液相内にある。検体、エアロゾル、煙、蒸気、もしくは液体、またはエアロゾル、煙、蒸気、もしくは液体内の少なくとも検体は、マトリクスによって希釈されてもよく、またはマトリクスでクラスタを形成されてもよい。
【０１０６】
上に説明されたように、検体はマトリクスによって希釈されるか、またはマトリクスに溶解されてもよい。例えば検体は液滴、エアロゾル、または液体の形で提供されてもよく、マトリクスと溶融もしくは合体されてもよく、またはマトリクスに溶解されてもよい。マトリクスは、検体と接触する際に、液滴、固体、エアロゾル、または液体の形であってもよい。検体をマトリクス内で希釈すること、または溶解することは、検体分子の間の分子間結合を実質的に除去する、または低減することがある。したがって希釈された、または溶解された検体液滴が続いて衝突面と衝突すると、検体液滴はより小さい液滴に砕け、あらゆる所与のより小さい液滴は、マトリクスが存在していない場合に含有するはずである検体分子より少ない検体分子を含有する傾向がある。これにより検体イオンの生成がより効率的になる。
【０１０７】
検体の大部分のイオン化は、分析されるサンプル内に存在する対イオンとの相互作用に起因する、溶液相内の検体のイオン解離に起因して起こると考えられる。マトリクス内で検体を希釈すること、または溶解することにより、各液滴内の検体の濃度が下がり、溶液相内のイオン解離が促進され、最終的にはイオン化される検体の比率がより大きくなる。したがって検体を溶解する、または希釈するあらゆるマトリクスを使用してよい。分析計は、マトリクス分子を該検体、エアロゾル、煙、または蒸気に供給し、該マトリクス分子を該検体、エアロゾル、煙、または蒸気と相互混合するように配置され適合されたデバイスを備えてもよいが、該マトリクスは気相内にある。
【０１０８】
分析計は、該気相マトリクスが冷却し、液体に凝結するように、混合物を高圧領域から低圧領域に移送するように配置され適合されたデバイスを備えてもよく、該エアロゾル、煙、または蒸気の少なくとも一部は、溶解された検体液滴を形成するように該液体マトリクス内で溶解する。
【０１０９】
マトリクスは、（ｉ）該検体、煙、噴霧、液体、気体、手術煙、エアロゾル、または蒸気のための溶媒、（ｉｉ）有機溶媒、（ｉｉｉ）揮発性化合物、（ｉｖ）極性または非極性分子、（ｖ）水、（ｖｉ）１つまたは複数のアルコール、（ｖｉｉ）メタノール、（ｖｉｉｉ）エタノール、（ｉｘ）イソプロパノール、（ｘ）アセトン、（ｘｉ）アセトニトリル、（ｘｉｉ）ジメチル・スルホキシド（ＤＭＳＯ）、（ｘｉｉｉ）グリコール、（ｘｉｖ）１−ブタノール、（ｘｖ）テトラヒドロフラン、（ｘｖｉ）エチルアセトン、（ｘｖｉｉ）エチレン・グリコール、（ｘｖｉｉｉ）アルデヒド、（ｘｉｘ）ケトン、（ｘｘ）ヘキサン、（ｘｘｉ）クロロホルム、および（ｘｘｉｉ）プロパノールからなる群から選択されてもよい。
【０１１０】
マトリクスは、まず固体、例えば粉末として供給され、昇華され、または融解され、マトリクスを次いで検体と相互混合される蒸気もしくは気相に形成するように蒸発されてもよい。例えば固体マトリクスを検体と混合してもよい。検体が液体の形で混合される場合、混合物を乾燥させても差し支えなく、例えば結晶を形成してもよい。次いで混合物を加熱してマトリクスおよび／または検体を昇華するかつ／または蒸発させてもよい。適切なマトリクスの例には、ＭＡＬＤＩマトリクスおよび他のマトリクス、例えばクマリン、９−アミノアクリジン、２，５−ジヒドロキシ安息香酸、ＴＨＡＰ、ＣＨＣＡ、およびクェルセチンなどが含まれる。
【０１１１】
マトリクスは、マトリクス内で検体の溶媒化を高めるため、または検体のイオン化を高めるために、１つまたは複数の添加剤でドープされてもよい。
【０１１２】
例として、極性脂質を備える検体に対して、低分子量アルコールは、マトリクス（例えばメタノール、エタノール、イソプロパノール）またはケトン（例えばアセトン）として使用されてもよい。これらのマトリクスは、種のイオン化を高めることが示され、そうでなければ低強度でマトリクスの蒸気がないことが検出されてきた。
【０１１３】
プロトンマトリクス溶媒は、例えば脂質またはトリグリセリドの分析のために使用されてもよい。別法として、無プロトンまたは非プロトンマトリクスの溶媒は、例えばタンパク質の分析のために使用されてもよい。
【０１１４】
マトリクスは、酸性または塩基性添加剤でドープされてもよい。例えばマトリクスはギ酸、ジエチルアミンでドープされてもよい。
【０１１５】
マトリクスは検体の誘導体化を引き起こしてもよい。例えばマトリクスは、検体内でコレステロールまたはステロイドの誘導体化を引き起こしてもよい。これは検体をより容易にイオン化させることがある。
【０１１６】
分析計は、検体液滴を該衝突アセンブリ上に加速させるように配置され適合されたデバイスを備えてもよい。
【０１１７】
分析計は、検体液滴を該衝突面に加速させるために、圧力差を維持するよう配置され適合されたデバイスを備えてもよい。
【０１１８】
衝突アセンブリと衝突後、マトリクスは、該マトリクスから分離された検体イオンを提供するように、液滴からマトリクスを蒸発させてもよい。検体イオンは、次いで衝突面の下流で分析されてもよい。
【０１１９】
方法は、検体または検体イオンが該衝突面の下流でイオン化されることを含んでもよい。恣意的には、イオン化は、衝突面の使用以外にイオン化源によって実行される。分析計は、該衝突アセンブリと衝突する（かつ／または衝突アセンブリの下流でイオン化される）該検体、煙、噴霧、液体、気体、手術煙、エアロゾル、または蒸気がもたらす、検体イオンを分析するように配置された分析器を備えてもよく、該分析計は、真空チャンバに隣接した大気インターフェースをさらに備えてもよく、検体液滴は、該大気インターフェースの両端の圧力差により該衝突アセンブリ上に加速されてもよい。
【０１２０】
分析計は、該マトリクスを該エアロゾル、煙、蒸気、または液体に供給するためのマトリクス導管を備えてもよい。
【０１２１】
分析計は、検体イオンを分析するためのイオン分析器を備えてもよく、該イオン分析器は、該マトリクス導管の流出口の下流に配置される。
【０１２２】
該マトリクス導管の該流出口と該イオン分析器の流入口との間の距離ｘは、（ｉ）約０．１〜０．５ｍｍ、（ｉｉ）約０．５〜１．０ｍｍ、（ｉｉｉ）約１．０〜１．５ｍｍ、（ｉｖ）約１．５〜２．０ｍｍ、（ｖ）約２．０〜２．５ｍｍ、（ｖｉ）約２．５〜３．０ｍｍ、（ｖｉｉ）約３．０〜３．５ｍｍ、（ｖｉｉｉ）約３．５〜４．０ｍｍ、（ｉｘ）約４．０〜４．５ｍｍ、（ｘ）約４．５〜５．０ｍｍ、（ｘｉ）約５．０〜５．５ｍｍ、（ｘｉｉ）約５．５〜６．０ｍｍ、（ｘｉｉｉ）約６．０〜６．５ｍｍ、（ｘｉｖ）約６．５〜７．０ｍｍ、（ｘｖ）約７．０〜７．５ｍｍ、（ｘｖｉ）約７．５〜８．０ｍｍ、（ｘｖｉｉ）約８．０〜８．５ｍｍ、（ｘｖｉｉｉ）約８．５〜９．０ｍｍ、（ｘｉｘ）約９．０〜９．５ｍｍ、（ｘｘ）９．５〜１０．０ｍｍ、（ｘｘｉ）約０．１〜１０ｍｍ、（ｘｘｉｉ）約０．１〜７．５ｍｍ、（ｘｘｉｉｉ）約０．１〜５．１ｍｍ、（ｘｘｉｖ）約０．５〜５．１ｍｍ、および（ｘｘｖ）約０．５〜５．０ｍｍからなる群から選択されてもよい。
【０１２３】
分析計は、（ｉ）約５〜１０μｌ／ｍｉｎ、（ｉｉ）約１０〜２５μｌ／ｍｉｎ、（ｉｉｉ）約２５〜５０μｌ／ｍｉｎ、（ｉｖ）約５０〜１００μｌ／ｍｉｎ、（ｖ）約１００〜１５０μｌ／ｍｉｎ、（ｖｉ）約１５０〜２００μｌ／ｍｉｎ、（ｖｉｉ）約２００〜２５０μｌ／ｍｉｎ、（ｖｉｉｉ）約２５０〜３００μｌ／ｍｉｎ、（ｉｘ）約３００〜３５０μｌ／ｍｉｎ、（ｘ）約３５０〜４００μｌ／ｍｉｎ、（ｘｉ）約４００〜４５０μｌ／ｍｉｎ、（ｘｉｉ）約４５０〜５００μｌ／ｍｉｎ、（ｘｉｉｉ）約５００〜５５０μｌ／ｍｉｎ、（ｘｉｖ）約５５０〜６００μｌ／ｍｉｎ、（ｘｖ）約６００〜６５０μｌ／ｍｉｎ、（ｘｖｉ）約６５０〜７００μｌ／ｍｉｎ、（ｘｖｉｉ）７００〜７５０μｌ／ｍｉｎ、（ｘｖｉｉｉ）約７５０〜８００μｌ／ｍｉｎ、（ｘｉｘ）約８００〜８５０μｌ／ｍｉｎ、（ｘｘ）約８５０〜９００μｌ／ｍｉｎ、（ｘｘｉ）約９００〜９５０μｌ／ｍｉｎ、（ｘｘｉｉ）約９５０〜１０００μｌ／ｍｉｎ、（ｘｘｉｉｉ）約５０μｌ／ｍｉｎ〜１ｍｌ／ｍｉｎ、（ｘｘｉｖ）約１００〜８００μｌ／ｍｉｎ、（ｘｘｖ）約１５０〜６００μｌ／ｍｉｎ、および（ｘｘｖｉ）約２００〜４００μｌ／ｍｉｎからなる群から選択された流量で、マトリクス導管を介して該マトリクスを供給するためのポンプを備えてもよい。
【０１２４】
該マトリクス導管の流出口は、イオン分析器の流入口の反対側にあってもよく、またはイオン分析器の流入口と同軸であってもよい。
【０１２５】
分析計は、検体イオンデータを獲得するために検体イオンを分析するための質量および／またはイオン移動度分析器を備えてもよく、該質量および／またはイオン移動度分析器は、ロックマス、ロック移動度、または校正イオンを分析し、該ロックマス、ロック移動度、または校正イオンを分析することから獲得されたデータに基づいて、該イオン分析器を校正する、または検体イオンデータを調節するようにさらに配置される。
【０１２６】
本発明の第１の態様は、質量および／またはイオン移動度分析の方法であって、
実質的に円筒形、管状、棒形状、コイル形状、螺旋状、または渦巻形状の衝突アセンブリを提供することと、
検体、煙、噴霧、液体、気体、手術煙、エアロゾル、または蒸気を該衝突アセンブリに方向付けるために第１のデバイスを使用することと含む、方法も提供する。
【０１２７】
本発明の別の態様は、質量および／またはイオン移動度分析の方法であって、
衝突アセンブリを提供することと、
検体、煙、噴霧、液体、気体、手術煙、エアロゾル、または蒸気を該衝突アセンブリに方向付けるために第１のデバイスを使用することと含む、方法も提供する。
【０１２８】
衝突アセンブリは第１の長手方向軸を有してもよく、第１のデバイスは検体、煙、噴霧、液体、気体、手術煙、エアロゾル、または蒸気を該第１の軸に実質的に直交する第２の軸に沿って該衝突アセンブリに方向付ける。
【０１２９】
別法として、衝突アセンブリは第１の長手方向軸を有してもよく、第１のデバイスは検体、煙、噴霧、液体、気体、手術煙、エアロゾル、または蒸気を該第１の軸に沿って該衝突アセンブリに方向付ける。
【０１３０】
本発明の別の態様は、エアロゾル、煙、または蒸気をイオン化する方法であって、
流入口および流出口を有する中空衝突アセンブリの内面に激突させるように、該エアロゾル、煙、または蒸気を方向付けるために第１のデバイスを使用することを含み、該衝突アセンブリの内断面積は、（ｉ）実質的に一定である、または（ｉｉ）該流入口から該流出口に向かって低減する、または（ｉｉｉ）該流入口から該流出口に向かって増加する、いずれかである方法を提供する。
【０１３１】
方法は、該流入口を介して該エアロゾル、煙、または蒸気を受領することを含んでもよい。
【０１３２】
方法は、検体イオンを形成するように該エアロゾル、煙、または蒸気を該内面に激突させることを含んでもよい。
【０１３３】
方法は、検体イオンを該衝突アセンブリから該流出口を介して出現させることを含んでもよい。
【０１３４】
衝突アセンブリは、漏斗形状の衝突アセンブリを備えてもよい。
【０１３５】
別法として、衝突アセンブリは、管状または円筒形の衝突アセンブリを備えてもよい。
【０１３６】
方法は、該エアロゾル、煙、または蒸気を、該衝突アセンブリの長手方向軸と実質的に同軸である軸に沿って該衝突アセンブリの中に方向付けることを含んでもよい。
【０１３７】
衝突アセンブリは、コイル構造から、または連続した管状もしくは円錐構造から形成されてもよい。
【０１３８】
本明細書に説明された様々な方法は、加熱器または加熱コイルを使用して該衝突アセンブリを加熱することを含んでもよい。
【０１３９】
加熱器または加熱コイルは、衝突アセンブリの衝突面であってもよい。
【０１４０】
加熱器または加熱コイルは、衝突アセンブリによって包囲されるか、または衝突アセンブリ内に埋め込まれてもよい。
【０１４１】
衝突アセンブリは、加熱器または加熱コイルが開口により煙、噴霧、液体、気体、手術煙、エアゾル、または蒸気に曝されるように、その中に開口を備えてもよい。
【０１４２】
方法は、電力を１つまたは複数の電極を介して該加熱器または該加熱コイルに供給することを含んでもよい。
【０１４３】
方法は、衝突アセンブリを加熱するように電流を加熱器または加熱コイルに供給することを含んでもよく、電流は、約≧０．５Ａ、約≧１Ａ、約≧１．５Ａ、約≧２Ａ、約≧２．５Ａ、約≧３Ａ、約≧３．５Ａ、約≧４Ａ、約≧４．５Ａ、および約≧５Ａからなる群から選択される。
【０１４４】
方法は、（ｉ）約＜１００℃、（ｉｉ）約１００〜２００℃、（ｉｉｉ）約２００〜３００℃、（ｉｖ）約３００〜４００℃、（ｖ）約４００〜５００℃、（ｖｉ）約５００〜６００℃、（ｖｉｉ）約６００〜７００℃、（ｖｉｉｉ）約７００〜８００℃、（ｉｘ）約８００〜９００℃、（ｘ）約９００〜１０００℃、（ｘｉ）約１０００〜１１００℃、および（ｘｉｉ）約＞１１００℃からなる群から選択された温度に該衝突アセンブリを加熱することを含んでもよい。
【０１４５】
加熱器または加熱コイルは、分析されるサンプルから衝突アセンブリ上に堆積された汚染物質を焼き払ってもよい。
【０１４６】
衝突アセンブリは、セラミック、非セラミック、ガラス、ガラスセラミック、石英、鋼鉄もしくはニッケルなどの金属、または鉄クロムアルミニウム（ＦｅＣｒＡｌ）合金などの金属合金である、外側衝突面であってもよく、または外側衝突面を備えてもよい。
【０１４７】
検体、煙、噴霧、液体、気体、手術煙、エアロゾル、または蒸気は、約≧１ｍｍ、約≧２ｍｍ、約≧３ｍｍ、約≧４ｍｍ、約≧５ｍｍ、約≧６ｍｍ、約≧７ｍｍ、および約≧８ｍｍからなる群から選択された軸に直交する最大または最小寸法を有する、および／または約≦８、約≦７、約≦６、約≦５、約≦４、および約≦３からなる群から選択された軸に直交する最大または最小寸法を有する、衝突アセンブリの領域上の軸に沿って方向付けられてもよい。
【０１４８】
方法は、衝突アセンブリの周囲に配置されたシース管を提供することを含んでもよく、それを通って煙、噴霧、液体、気体、手術煙、エアロゾル、または蒸気が移動してもよいい。
【０１４９】
シース管は衝突アセンブリの上流および／または下流に伸張してもよい。
【０１５０】
方法は、衝突アセンブリとシース管との間の電位差を維持することを含んでもよい。
【０１５１】
方法は、該煙、噴霧、液体、気体、手術煙、エアロゾル、または蒸気を該衝突アセンブリ上に送達するための毛細管またはサンプル管を提供することを含んでもよい。
【０１５２】
毛細管またはサンプル管の出口オリフィスは、約０ｍｍ、約≦１ｍｍ、約１〜２ｍｍ、約２〜３ｍｍ、約３〜４ｍｍ、約４〜５ｍｍ、約５〜６ｍｍ、約６〜７ｍｍ、約７〜８ｍｍ、約８〜９ｍｍ、約９〜１０ｍｍ、および約≧１０ｍｍからなる群から選択された距離だけ衝突面の上流に配置されてもよい。
【０１５３】
方法は、毛細管またはサンプル管を加熱することを含んでもよい。
【０１５４】
加熱器は、（ｉ）約＜１００℃、（ｉｉ）約１００〜１５０℃、（ｉｉｉ）約１５０〜２００℃、（ｉｖ）約２００〜２５０℃、（ｖ）約２５０〜３００℃、（ｖｉ）約３００〜３５０℃、（ｖｉｉ）約＞３５０℃からなる群から選択された温度に毛細管またはサンプル管を加熱してもよい。
【０１５５】
方法は、該衝突アセンブリを支持するために第１の容器を使用することを含んでもよい。
【０１５６】
方法は、第１の容器をセラミックまたは非セラミックから形成することを含んでもよい。
【０１５７】
方法は、該第１の容器を通って該加熱コイルに電力を供給するための該１つまたは複数の電極を提供することを含んでもよい。
【０１５８】
方法は、主加熱器または取り外し可能なユニット筐体アセンブリを提供することを含んでもよい。
【０１５９】
方法は、該第１の容器を該主加熱アセンブリまたは取り外し可能なユニット筐体に取り外し可能に装着することを含んでもよい。
【０１６０】
方法は、該主加熱アセンブリまたは取り外し可能なユニット筐体内の穴部を選択的に閉じるために該穴部内に第１の遮断弁を提供することを含んでもよく、恣意的に該第１の遮断弁はボール弁を備える。
【０１６１】
方法は、該穴部を通って１つまたは複数の毛細管またはサンプル管を挿入することにより、該第１の遮断弁を開くことを含んでもよい。
【０１６２】
方法は、該穴部から該１つまたは複数の毛細管またはサンプル管を少なくとも部分的に取り除くことにより、該第１の遮断弁を閉じることを含んでもよい。
【０１６３】
方法は、該検体、煙、噴霧、液体、気体、手術煙、エアロゾル、または蒸気を該衝突アセンブリ上に供給するために、該穴部を通って伸張するように該１つまたは複数の毛細管またはサンプル管を配置することを含んでもよい。
【０１６４】
方法は、該第１の容器を通って伸張するように該１つまたは複数の毛細管またはサンプル管を配置することを含んでもよい。
【０１６５】
方法は、該１つまたは複数の毛細管またはサンプル管の出口を実質的に該衝突アセンブリに隣接してまたは面して配置することを含んでもよい。
【０１６６】
方法は、該衝突アセンブリを保護するために、伸張した位置で該衝突アセンブリを少なくとも部分的に包囲する１つまたは複数の遮蔽を提供することを含んでもよい。
【０１６７】
方法は、該１つまたは複数の遮蔽を該伸張した位置から、衝突アセンブリの少なくとも一部が１つまたは複数の遮蔽によって包囲されない収縮した位置に、少なくとも部分的にまたは完全に収縮することを含んでもよく、恣意的に該１つまたは複数の遮蔽は、該伸張した位置に向かって付勢される。
【０１６８】
方法は、源筐体を提供することを含んでもよい。
【０１６９】
源筐体は第２の遮断弁を備えてもよい。
【０１７０】
方法は、該主加熱アセンブリまたは取り外し可能なユニット筐体を該源筐体内に挿入すること、または別法により該主加熱アセンブリまたは取り外し可能なユニット筐体を該源筐体に連結すること、および該主加熱アセンブリまたは取り外し可能なユニット筐体をその中で第１の回転位置から第２の回転位置に回転させることを含んでもよい。
【０１７１】
該主加熱アセンブリまたは取り外し可能なユニット筐体を該第１の位置から該第２の位置に回転させるステップは、該第２の遮断弁を第１の作動位置から第２の作動位置に移動させてもよい。
【０１７２】
第１の作動位置では、該第２の遮断弁は実質的に閉じていてもよい。
【０１７３】
第２の作動位置では、該第２の遮断弁は実質的に開いていてもよい。
【０１７４】
方法は、分析計の主筐体またはアセンブリを提供することを含んでもよく、該源筐体は該分析計の主筐体に連結される。
【０１７５】
方法は、イオントラップおよび／またはイオンガイドを提供することを含んでもよく、恣意的にイオンガイドは、イオンを中性種から分離する電気を印加する。
【０１７６】
方法は、該イオントラップ内に該エアロゾル、煙、または蒸気から引き出した検体イオンを捕捉すること、かつ／または該イオンガイドを使用して検体イオンを案内することを含んでもよい。
【０１７７】
方法は、分析器を使用して該エアロゾル、煙、または蒸気から引き出した検体イオンを分析することを含んでもよい。
【０１７８】
分析器は、（ｉ）該検体イオンを質量分析するための質量分析器、（ｉｉ）イオン移動度または異なるイオン移動度分析器、（ｉｉｉ）該検体イオンのイオン断面または衝突断面を分析するための分析器、（ｉｖ）該検体イオンをそれらのイオン移動度または異なるイオン移動度に従って分離するための分離器、（ｖ）該検体イオンを質量分析する前に、該検体イオンをそれらのイオン移動度または異なるイオン移動度に従って分離するための分離器、または（ｖｉ）検体イオンをそれらのイオン移動度または異なるイオン移動度に基づいて排除するまたは廃棄するように配置され適合されたデバイスを備えてもよい。
【０１７９】
方法は、マトリクスを該エアロゾル、煙、蒸気または液体に供給することを含んでもよいが、該エアロゾル、煙、蒸気または液体は、気相内にある、蒸気の形である、エアロゾルの形である、または液相内にある。
【０１８０】
方法は、マトリクス分子を該エアロゾル、煙、蒸気または液体に供給すること、および該マトリクス分子を該エアロゾル、煙、または蒸気と相互混合することを含んでもよいが、該マトリクスは気相内にある。
【０１８１】
方法は、該気相マトリクスが冷却し、液体に凝結するように、混合物を高圧領域から低圧領域に移送することを含んでもよく、該エアロゾル、煙、蒸気、または液体の少なくとも一部は、溶解された検体液滴を形成するように該液体マトリクス内で溶解する。
【０１８２】
マトリクスは、（ｉ）該検体、煙、噴霧、液体、気体、手術煙、エアロゾル、または蒸気のための溶媒、（ｉｉ）有機溶媒、（ｉｉｉ）揮発性化合物、（ｉｖ）極性または非極性分子、（ｖ）水、（ｖｉ）１つまたは複数のアルコール、（ｖｉｉ）メタノール、（ｖｉｉｉ）エタノール、（ｉｘ）イソプロパノール、（ｘ）アセトン、（ｘｉ）アセトニトリル、（ｘｉｉ）ジメチル・スルホキシド（ＤＭＳＯ）、（ｘｉｉｉ）グリコール、（ｘｉｖ）１−ブタノール、（ｘｖ）テトラヒドロフラン、（ｘｖｉ）エチルアセトン、（ｘｖｉｉ）エチレン・グリコール、（ｘｖｉｉｉ）アルデヒド、（ｘｉｘ）ケトン、（ｘｘ）ヘキサン、（ｘｘｉ）クロロホルム、および（ｘｘｉｉ）プロパノールからなる群から選択されてもよい。
【０１８３】
方法は、検体液滴を該衝突アセンブリ上に加速させることを含んでもよい。
【０１８４】
方法は、検体液滴を該衝突アセンブリ上に加速させるように電位差を維持することを含んでもよい。
【０１８５】
方法は、大気インターフェースの両端の圧力差により検体液滴を該衝突アセンブリ上に加速させること、および該衝突アセンブリと衝突する該検体液滴によってもたらされる検体イオンを分析することを含んでもよい。
【０１８６】
方法は、マトリクス導管を介してマトリクスを供給すること、およびイオン分析器を使用して該検体イオンを分析することを含んでもよく、該イオン分析器はマトリクス導管の流出口の下流に配置される。
【０１８７】
該マトリクス導管の該流出口と該イオン分析器の流入口との間の距離ｘは、（ｉ）約０．１〜０．５ｍｍ、（ｉｉ）約０．５〜１．０ｍｍ、（ｉｉｉ）約１．０〜１．５ｍｍ、（ｉｖ）約１．５〜２．０ｍｍ、（ｖ）約２．０〜２．５ｍｍ、（ｖｉ）約２．５〜３．０ｍｍ、（ｖｉｉ）約３．０〜３．５ｍｍ、（ｖｉｉｉ）約３．５〜４．０ｍｍ、（ｉｘ）約４．０〜４．５ｍｍ、（ｘ）約４．５〜５．０ｍｍ、（ｘｉ）約５．０〜５．５ｍｍ、（ｘｉｉ）約５．５〜６．０ｍｍ、（ｘｉｉｉ）約６．０〜６．５ｍｍ、（ｘｉｖ）約６．５〜７．０ｍｍ、（ｘｖ）約７．０〜７．５ｍｍ、（ｘｖｉ）約７．５〜８．０ｍｍ、（ｘｖｉｉ）約８．０〜８．５ｍｍ、（ｘｖｉｉｉ）約８．５〜９．０ｍｍ、（ｘｉｘ）約９．０〜９．５ｍｍ、（ｘｘ）９．５〜１０．０ｍｍ、（ｘｘｉ）約０．１〜１０ｍｍ、（ｘｘｉｉ）約０．１〜７．５ｍｍ、（ｘｘｉｉｉ）約０．１〜５．１ｍｍ、（ｘｘｉｖ）約０．５〜５．１ｍｍ、および（ｘｘｖ）約０．５〜５．０ｍｍからなる群から選択されてもよい。
【０１８８】
方法は、（ｉ）約５０〜１００μｌ／ｍｉｎ、（ｉｉ）約１００〜１５０μｌ／ｍｉｎ、（ｉｉｉ）約１５０〜２００μｌ／ｍｉｎ、（ｉｖ）約２００〜２５０μｌ／ｍｉｎ、（ｖ）約２５０〜３００μｌ／ｍｉｎ、（ｖｉ）約３００〜３５０μｌ／ｍｉｎ、（ｖｉｉ）約３５０〜４００μｌ／ｍｉｎ、（ｖｉｉｉ）約４００〜４５０μｌ／ｍｉｎ、（ｉｘ）約４５０〜５００μｌ／ｍｉｎ、（ｘ）約５００〜５５０μｌ／ｍｉｎ、（ｘｉ）約５５０〜６００μｌ／ｍｉｎ、（ｘｉｉ）約６００〜６５０μｌ／ｍｉｎ、（ｘｉｉｉ）約６５０〜７００μｌ／ｍｉｎ、（ｘｉｖ）７００〜７５０μｌ／ｍｉｎ、（ｘｖ）約７５０〜８００μｌ／ｍｉｎ、（ｘｖｉ）約８００〜８５０μｌ／ｍｉｎ、（ｘｖｉｉ）約８５０〜９００μｌ／ｍｉｎ、（ｘｖｉｉｉ）約９００〜９５０μｌ／ｍｉｎ、（ｘｉｘ）約９５０〜１０００μｌ／ｍｉｎ、（ｘｘ）約５０μｌ／ｍｉｎ〜１ｍｌ／ｍｉｎ、（ｘｘｉ）約１００〜８００μｌ／ｍｉｎ、（ｘｘｉｉ）約１５０〜６００μｌ／ｍｉｎ、および（ｘｘｉｉｉ）約２００〜４００μｌ／ｍｉｎからなる群から選択された流量でマトリクス導管を介して該マトリクスを該検体に供給することを含んでもよい。
【０１８９】
方法は、イオン分析器の流入口の反対側またはイオン分析器の流入口と同軸にマトリクス導管の流出口を配置することを含んでもよい。
【０１９０】
マトリクス導管の端部および／もしくはサンプル移送管流出端部は、下流方向に寸法が小さい先細であってもよく、またはＰｉｃｏｔｉｐ（ピコチップ）を備えてもよい。
【０１９１】
マトリクス導管および／またはサンプル移送管は、金属（例えばステンレス鋼もしくは銅）、石英、またはＰＥＥＫ（ポリエーテルエーテルケトン）などの高分子から作成されてもよい。
【０１９２】
方法は、検体イオンデータを獲得するために該エアロゾル、煙、または蒸気から引き出された検体イオンを質量および／またはイオン移動度分析すること、ロックマス、ロック移動度、または校正イオンを分析すること、ならびに該ロックマス、ロック移動度、または校正イオンを分析することから獲得されたデータに基づいて、検体イオンデータを調節することを含んでもよい。
【０１９３】
第１のデバイスは、周囲イオンもしくはイオン化源の一部を備えるか、または形成してもよく、あるいは該第１のデバイスは、分析される標的から前記エアロゾル、煙もしくは蒸気を発生してもよく、該第１のデバイスは、イオンを含有し、または続いて周囲イオンもしくはイオン化源もしくは他のイオン化源によってイオン化されてもよい。
【０１９４】
標的は、自然のまたは未修正の標的材料を備えてもよい。
【０１９５】
自然のまたは未修正の標的材料は、マトリクスまたは試薬の追加によって未修正であってもよい（すなわち修正されなくてもよい）。
【０１９６】
第１のデバイスは、調合前に必要な該標的なしに、該標的の１つまたは複数の領域からエアロゾル、煙、または蒸気を発生させるように配置され適合されてもよい。
【０１９７】
第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＩＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたイオン源を備えてもよい。
【０１９８】
該標的の１つまたは複数の領域からエアロゾル、煙、または蒸気を発生させるために該第１のデバイスを使用するステップは、該標的を１つまたは複数の電極と接触させることをさらに含んでもよい。
【０１９９】
１つまたは複数の電極は、（ｉ）その中で該方法が恣意的に別個の対を提供することをさらに含む単極装置、（ｉｉ）双極装置、または（ｉｉｉ）その中で該方法が恣意的に別個の１つまたは複数の対極を提供することをさらに含む多相ＲＦ装置のいずれかを備えてもよい。
【０２００】
１つまたは複数の電極は、急速蒸発イオン化質量分析（「ＲＥＩＭＳ」）デバイスを備えてもよい。
【０２０１】
方法は、該エアロゾル、煙、または蒸気を発生させるために、交流電圧または直流電圧を該１つまたは複数の電極に印加することを含んでもよい。
【０２０２】
該交流電圧または直流電圧を該１つまたは複数の電極に印加するステップは、該交流電圧または直流電圧の１つまたは複数のパルスを該１つまたは複数の電極に印加することを含んでもよい。
【０２０３】
該交流電圧または直流電圧を該１つまたは複数の電極に印加するステップにより、熱を該標的の中に消散させてもよい。
【０２０４】
該標的の１つまたは複数の領域からエアロゾル、煙、または蒸気を発生させるために該第１のデバイスを使用するステップは、該標的をレーザーで照射することを含んでもよい。
【０２０５】
第１のデバイスは、ジュール熱またはジアテルミーにより該標的から標的材料を直接蒸発または気化させることにより、該標的の１つまたは複数の領域からエアロゾルを発生させるように配置され適合されてもよい。
【０２０６】
該標的の１つまたは複数の領域からエアロゾル、煙、または蒸気を発生させるために該第１のデバイスを使用するステップは、超音波エネルギーを該標的に方向付けることを含んでもよい。
【０２０７】
エアロゾルは、荷電されていない水性液滴を備えてもよく、恣意的には細胞物質を備える。
【０２０８】
該第１のデバイスによって発生され、該エアロゾルを形成する質量または物質の少なくとも５０％、５５％、６０％、６５％、７０％、７５％、８０％、８５％、９０％、または９５％は、液滴の形であってもよい。
【０２０９】
第１のデバイスは、エアロゾルを発生させるように配置され適合されてもよく、該エアロゾルのザウター平均粒径（「ＳＭＤ」、ｄ３２）は、（ｉ）＜５μｍ、（ｉｉ）５〜１０μｍ、（ｉｉｉ）１０〜１５μｍ、（ｉｖ）１５〜２０μｍ、（ｖ）２０〜２５μｍ、または（ｖｉ）＞２５μｍの範囲内である。
【０２１０】
エアロゾルは、（ｉ）＜２０００、（ｉｉ）２０００〜２５００、（ｉｉｉ）２５００〜３０００、（ｉｖ）３０００〜３５００、（ｖ）３５００〜４０００、または（ｖｉ）＞４０００の範囲のレイノルズ数（Ｒｅ）の流域を横断してもよい。
【０２１１】
実質的に該エアロゾルを発生する点では、該エアロゾルは、（ｉ）＜５０、（ｉｉ）５０〜１００、（ｉｉｉ）１００〜１５０、（ｉｖ）１５０〜２００、（ｖ）２００〜２５０、（ｖｉ）２５０〜３００、（ｖｉｉ）３００〜３５０、（ｖｉｉｉ）３５０〜４００、（ｉｘ）４００〜４５０、（ｘ）４５０〜５００、（ｘｉ）５００〜５５０、（ｘｉｉ）５５０〜６００、（ｘｉｉｉ）６００〜６５０、（ｘｉｖ）６５０〜７００、（ｘｖ）７００〜７５０、（ｘｖｉ）７５０〜８００、（ｘｖｉｉ）８００〜８５０、（ｘｖｉｉｉ）８５０〜９００、（ｘｉｘ）９００〜９５０、（ｘｘ）９５０〜１０００、および（ｘｘｉ）＞１０００からなる群から選択されたウェーバー数（Ｗｅ）を有する液滴を備えてもよい。
【０２１２】
実質的に該エアロゾルを発生する点では、該エアロゾルは、（ｉ）１〜５、（ｉｉ）５〜１０、（ｉｉｉ）１０〜１５、（ｉｖ）１５〜２０、（ｖ）２０〜２５、（ｖｉ）２５〜３０、（ｖｉｉ）３０〜３５、（ｖｉｉｉ）３５〜４０、（ｉｘ）４０〜４５、（ｘ）４５〜５０、および（ｘｉ）＞５０の範囲のストークス数（Ｓｋ）を有する液滴を備えてもよい。
【０２１３】
実質的に該エアロゾルを発生する点では、該エアロゾルは、（ｉ）＜２０ｍ／ｓ、（ｉｉ）２０〜３０ｍ／ｓ、（ｉｉｉ）３０〜４０ｍ／ｓ、（ｉｖ）４０〜５０ｍ／ｓ、（ｖ）５０〜６０ｍ／ｓ、（ｖｉ）６０〜７０ｍ／ｓ、（ｖｉｉ）７０〜８０ｍ／ｓ、（ｖｉｉｉ）８０〜９０ｍ／ｓ、（ｉｘ）９０〜１００ｍ／ｓ、（ｘ）１００〜１１０ｍ／ｓ、（ｘｉ）１１０〜１２０ｍ／ｓ、（ｘｉｉ）１２０〜１３０ｍ／ｓ、（ｘｉｉｉ）１３０〜１４０ｍ／ｓ、（ｘｉｖ）１４０〜１５０ｍ／ｓ、および（ｘｖ）＞１５０ｍ／ｓからなる群から選択された平均軸流速度を有する液滴を備えてもよい。
【０２１４】
標的は、細菌コロニー、真菌コロニー、または生物組織もしくは生体液体、例えば唾液、血液、または膿などの生物物質を備てもよい。
【０２１５】
生物組織は、人間組織または非人間の動物組織を備えてもよい。
【０２１６】
生物組織は、体内の生物組織を備えてもよい。
【０２１７】
生物組織は、体外の生物組織を備えてもよい。
【０２１８】
生物組織は、試験管内の生物組織を備えてもよい。
【０２１９】
生物組織は、副腎組織、虫垂組織、膀胱組織、骨、腸組織、脳組織、乳房組織、気管支、冠状組織、耳組織、食道組織、眼組織、胆嚢組織、生殖器組織、心臓組織、視床下部組織、腎臓組織、大腸組織、腸組織、咽頭組織、肝臓組織、肺組織、リンパ節、口腔組織、鼻組織、膵臓組織、副甲状腺組織、下垂体組織、前立腺組織、直腸組織、唾液腺組織、骨格筋組織、皮膚組織、小腸組織、脊髄組織、脾臓組織、胃組織、胸腺組織、気管組織、甲状腺組織、軟組織、結合組織、腹膜組織、血管組織、脂肪組織、尿管組織、尿道組織、段階Ｉ、段階ＩＩ、段階ＩＩＩもしくは段階ＩＶの癌組織、転移性癌の組織、混合段階の癌組織、副段階の癌組織、健常もしくは正常組織、または癌もしくは異常組織を備えてもよい。
【０２２０】
第１のデバイスは、ポイントオブケア（「ＰＯＣ」）、診断、または外科装置を備えてもよい。
【０２２１】
方法は、検体イオンを発生させるために該エアロゾル、煙、または蒸気の少なくとも一部をイオン化することを含んでもよい。
【０２２２】
方法は、該エアロゾル、煙、または蒸気の少なくとも一部を質量および／またはイオン移動度分析計の真空チャンバの中に方向付けること、または吸引することを含んでもよい。
【０２２３】
方法は、複数の検体イオンを発生させるように、該質量および／またはイオン移動度分析計の１つまたは該真空チャンバ内の該エアゾル、煙、または蒸気の少なくとも一部をイオン化することを含んでもよい。
【０２２４】
方法は、複数の検体イオンを発生させるように、該エアゾル、煙、または蒸気を恣意的に該分析計の真空チャンバ内に配置された衝突面に激突させることを含んでもよい。
【０２２５】
方法は、分析データ、例えば質量および／またはイオン移動度分析データを獲得するために、該エアゾル、煙、または蒸気から引き出された該検体イオンまたはイオンを分析することを含んでもよい。
【０２２６】
方法は、（ｉ）健常組織と病変組織とを区別するため、（ｉｉ）潜在的な癌組織と非癌組織とを区別するため、（ｉｉｉ）癌組織の異なる型または程度を区別するため、（ｉｖ）標的材料の異なる型またはクラスを区別するため、（ｖ）該標的内に１つまたは複数の望ましい、または望ましくない物質が存在するか否かを判定するため、（ｖｉ）該標的の同定または信頼性を確認するため、（ｖｉｉ）該標的内に１つまたは複数の不純物、不法物質、または望ましくない物質が存在するか否かを判定するため、（ｖｉｉｉ）人間または動物の患者が有害転帰を受ける危険性が増加したか否かを判定するため、（ｉｘ）診断または予後の診断を作成するため、または作成を支援するため、および（ｘ）執刀医、看護師、医師、またはロボットに医療、手術、または診断結果を通知するための、いずれかのために該分析データを分析することを含んでもよい。
【０２２７】
分析データを分析するステップは、エアゾル、煙、または蒸気のサンプルを分類するように、１つまたは複数のサンプルスペクトルを分析することを含んでもよい。
【０２２８】
エアゾル、煙、または蒸気のサンプルを分類するように、１つまたは複数のサンプルスペクトルを分析することは、１つまたは複数のサンプルスペクトルの目的変数なしの分析（例えば次元縮退のため）、および／または１つまたは複数のサンプルスペクトルの目的変数ありの分析（例えば分類のため）を含んでもよい。
【０２２９】
１つまたは複数のサンプルスペクトルを分析することは、目的変数なしの分析（例えば次元縮退のため）に続いて目的変数ありの分析（例えば分類のため）を含んでもよい。
【０２３０】
１つまたは複数のサンプルスペクトルを分析することは、（ｉ）単変量解析、（ｉｉ）多変量解析、（ｉｉｉ）主成分分析（ＰＣＡ）、（ｉｖ）線形判別分析（ＬＤＡ）、（ｖ）最大マージン基準（ＭＭＣ）、（ｖｉ）ライブラリに基づいた分析、（ｖｉｉ）クラス分類のためのソフト無しモデリング（ＳＩＭＣＡ）、（ｖｉｉｉ）因子分析（ＦＡ）、（ｉｘ）再帰分割（決定木）、（ｘ）ランダムフォレスト、（ｘｉ）独立成分分析（ＩＣＡ）、（ｘｉｉ）部分最小二乗判別分析（ＰＬＳ−ＤＡ）、（ｘｉｉｉ）潜在構造に対する直行（部分最小二乗）射影（ＯＰＬＳ）、（ｘｉｖ）ＯＰＬＳ判別分析（ＯＰＬＳ−ＤＡ）、（ｘｖ）サポートベクトルマシン（ＳＶＭ）、（ｘｖｉ）（人工）神経回路網、（ｘｖｉｉ）多層パーセプトロン、（ｘｖｉｉｉ）放射基底関数（ＲＢＦ）網、（ｘｉｘ）ベイズ解析、（ｘｘ）クラスタ分析、（ｘｘｉ）カーネル法、（ｘｘｉｉ）部分判別分析、（ｘｘｉｉｉ）ｋ近傍法（ＫＮＮ）、（ｘｘｉｖ）二次判別分析（ＱＤＡ）、（ｘｘｖ）確立的主成分分析（ＰＰＣＡ）、（ｘｘｖｉ）非負値行列因子分解、（ｘｘｖｉｉ）ｋ平均因子分解、（ｘｘｖｉｉｉ）ファジーｃ平均因子分解、および（ｘｘｉｘ）判別分析（ＤＡ）のうちの１つまたは複数を使用することを含んでもよい。
【０２３１】
エアゾル、煙、または蒸気のサンプルを分類するように１つまたは複数のサンプルスペクトルを分析することは、１つまたは複数の標準サンプルスペクトルを使用して分類モデルまたはライブラリを開発することを含んでもよい。
【０２３２】
エアゾル、煙、または蒸気のサンプルを分類するように１つまたは複数のサンプルスペクトルを分析することは、（例えば次元縮退のために）主成分分析（ＰＣＡ）を実行した後、（例えば分類のために）線形判別分析（ＬＤＡ）を実行することを含んでもよい。
【０２３３】
エアゾル、煙、または蒸気のサンプルを分類するように１つまたは複数のサンプルスペクトルを分析することは、（例えば次元縮退のために）主成分分析（ＰＣＡ）を実行した後、（例えば分類のために）最大マージン基準（ＭＭＣ）を実行することを含んでもよい。
【０２３４】
エアゾル、煙、または蒸気のサンプルを分類するように１つまたは複数のサンプルスペクトルを分析することは、分類モデルまたはライブラリ内で１つまたは複数のクラスを画定することを含んでもよい。
【０２３５】
エアゾル、煙、または蒸気のサンプルを分類するように１つまたは複数のサンプルスペクトルを分析することは、１つもしくは複数のクラスまたはクラスタ基準に従って、分類モデルまたはライブラリ内の１つまたは複数のクラスを手動的または自動的に画定することを含んでもよい。
【０２３６】
各クラスに対する１つもしくは複数のクラスまたはクラスタ基準は、モデル空間内の標準サンプルスペクトルに対する１つまたは複数の対の基準点間の距離、モデル空間内の標準サンプルスペクトルに対する基準点の群の間の分散値、ならびにモデル空間内の標準サンプルスペクトルに対する基準点の群内の分散値のうちの１つまたは複数に基づいてもよい。
【０２３７】
１つまたは複数のクラスは、それぞれが１つまたは複数のクラス定義によって画定されてもよい。
【０２３８】
１つまたは複数のクラス定義は、モデル空間内の標準サンプルスペクトル、値、境界、線、面、超平面、分散、容積、ボロノイ細胞、および／もしくは位置に対する１つもしくは複数の基準点の１組、ならびにクラス階層内の１つもしくは複数の位置の１つまたは複数を含んでもよい。
【０２３９】
エアゾル、煙、または蒸気のサンプルを分類するように１つまたは複数のサンプルスペクトルを分析することは、１つまたは複数の未知のサンプルスペクトルを分類するために分類モデルまたはライブラリを使用することを含んでもよい。
【０２４０】
エアゾル、煙、または蒸気のサンプルを分類するように１つまたは複数のサンプルスペクトルを分析することは、１つまたは複数の分類基準に従って、１つまたは複数のサンプルスペクトルを手動的または自動的に分類することを含んでもよい。
【０２４１】
１つまたは複数の分類基準は、
モデル空間内の１つまたは複数のサンプルスペクトルに対する１つまたは複数の投影されたサンプル点と、距離閾値より低い、もしくはこのような最低距離であるモデル空間内の標準サンプルスペクトル、値、境界、線、面、超平面、容積、ボロノイ細胞、または位置に対する１つまたは複数の基準点の１組との間の距離、
モデル空間内の１つまたは複数の標準サンプルスペクトル、値、境界、線、面、超平面、または位置に対する１つまたは複数の基準点の一方の側面または他方の側面であるモデル空間内の、１つまたは複数のサンプルスペクトルのための１つまたは複数の投影されたサンプル点に対する位置、
モデル空間内の１つまたは複数の容積またはボロノイ細胞内にあるモデル空間内の１つまたは複数のサンプルスペクトルに対する１つまたは複数の投影されたサンプル点のための位置、
確率もしくは分類スコア閾値より高い、またはこのような最高の確率もしくは分類スコアである確率または分類スコアのうちの１つまたは複数を含んでもよい。
【０２４２】
衝突アセンブリまたは衝突面は、毛細管またはサンプル管に対して第１の電位で維持されてもよい。
【０２４３】
別法としてまたは追加として、衝突アセンブリまたは衝突面は、イオン分析器の流入口に対して第２の電位で維持される。
【０２４４】
別法としてまたは追加として、衝突アセンブリまたは衝突面は、分析計のグランドシャーシに対して第３の電位で維持される。
【０２４５】
別法としてまたは追加として、衝突アセンブリまたは衝突面は、イオンガイドまたはイオントラップに対して第４の電位で維持される。
【０２４６】
別法としてまたは追加として、イオン分析器の流入口は、分析計のグランドシャーシに対して第５の電位で維持される。
【０２４７】
第１、第２、第３、第４、および第５の電位のいずれか１つまたはあらゆる組合せは、≧２Ｖ、２〜３Ｖ、３〜４Ｖ、４〜５Ｖ、５〜１０Ｖ、１０〜１５Ｖ、１５〜２０Ｖ、２０〜２５Ｖ、２５〜３０Ｖ、３０〜３５Ｖ、３５〜４０Ｖ、４０〜４５Ｖ、４５〜５０Ｖ、５０〜６０Ｖ、６０〜７０Ｖ、７０〜８０Ｖ、８０〜９０Ｖ、９０〜１００Ｖ、１００〜１２０Ｖ、１２０〜１４０Ｖ、１４０〜１６０Ｖ、１６０〜１８０Ｖ、１８０〜２００Ｖ、２００〜２２０Ｖ、２２０〜２４０Ｖ、２４０〜２６０Ｖ、２６０〜２８０Ｖ、２８０〜３００Ｖ、および≧３００Ｖからなる群から選択された陽電位であってもよい。
【０２４８】
別法としてまたは追加として、第１、第２、第３、第４、および第５の電位のいずれか１つまたはあらゆる組合せは、≧２Ｖ、２〜３Ｖ、３〜４Ｖ、４〜５Ｖ、５〜１０Ｖ、１０〜１５Ｖ、１５〜２０Ｖ、２０〜２５Ｖ、２５〜３０Ｖ、３０〜３５Ｖ、３５〜４０Ｖ、４０〜４５Ｖ、４５〜５０Ｖ、５０〜６０Ｖ、６０〜７０Ｖ、７０〜８０Ｖ、８０〜９０Ｖ、９０〜１００Ｖ、１００〜１２０Ｖ、１２０〜１４０Ｖ、１４０〜１６０Ｖ、１６０〜１８０Ｖ、１８０〜２００Ｖ、２００〜２２０Ｖ、２２０〜２４０Ｖ、２４０〜２６０Ｖ、２６０〜２８０Ｖ、２８０〜３００Ｖ、および≧３００Ｖからなる群から選択された負電位であってもよい。
【０２４９】
本発明は、本明細書に説明されたあらゆる方法を含む手術または電気手術の方法も提供し、この方法は、
生物組織を手術または電気手術用具と接触させること、および該検体、煙、噴霧、液体、気体、手術煙、エアゾル、または蒸気を発生させるように該用具を活性化させることと、
該検体、煙、噴霧、液体、気体、手術煙、エアゾル、または蒸気を吸引することと、
検体イオンを形成するために、該検体、煙、噴霧、液体、気体、手術煙、エアゾル、または蒸気を該衝突アセンブリに方向付けることと、
該検体イオンを質量および／またはイオン移動度分析することとを含む。
【０２５０】
本発明は、本明細書に説明されたような装置を備える手術または電気手術の装置も提供し、この手術または電気手術の装置は、
１つまたは複数の電極を含む手術用具または電気手術用具と、
該用具が使用時に生物組織と衝突すると、該検体、煙、噴霧、液体、気体、手術煙、エアゾル、または蒸気を発生させるために、該用具を活性化させるように配置され適合されたデバイスと、
該検体、煙、噴霧、液体、気体、手術煙、エアゾル、または蒸気を吸引するように配置され適合されたデバイスと、
（ｉ）該衝突アセンブリ、（ｉｉ）検体イオンを形成するために、該検体、煙、噴霧、液体、気体、手術煙、エアゾル、または蒸気を該衝突アセンブリに方向付けるように配置され適合された該デバイス、ならびに（ｉｉｉ）該検体イオンを質量および／またはイオン移動度分析するための質量および／またはイオン移動度分析計を備える、質量および／またはイオン移動度分析計とを備える。
【０２５１】
本発明は、検体源を質量および／またはイオン移動度分析計の真空チャンバと相互接合するための装置も提供し、
検体を穴部の第１の端部で受領し、検体を穴部の第２の端部を通り真空チャンバに搬送するためにそれを通る穴部を有する筐体と、
穴部内の遮断弁とを備え、遮断弁は、毛細管またはサンプル管が穴部を通って挿入されて遮断弁と接触するときに開くように構成され、毛細管またはサンプル管が穴部から引き抜かれると閉じるように構成される。
【０２５２】
装置は、該毛細管またはサンプル管を備えてもよい。
【０２５３】
装置は、該穴部から出る該検体または他のサンプルをその上に激突させるために、穴部の第２の端部に配置された衝突アセンブリを備えてもよい。
【０２５４】
衝突アセンブリは、筐体に取り外し可能に装着されてもよい。
【０２５５】
装置は、衝突アセンブリを加熱するための加熱器を備えてもよい。
【０２５６】
装置は、該衝突アセンブリを保護するために、伸張した位置で該衝突アセンブリを少なくとも部分的に包囲する１つまたは複数の遮蔽を備えてもよい。
【０２５７】
１つまたは複数の遮蔽は、該伸張した位置から、衝突アセンブリの少なくとも一部が１つまたは複数の遮蔽によって包囲されない収縮した位置に、少なくとも部分的に収縮可能であってもよい。
【０２５８】
１つまたは複数の遮蔽は、該伸張した位置に向かって付勢されてもよい。
【０２５９】
本発明は、上に説明されたような装置を備える質量および／またはイオン移動度分析計も提供し、穴部は、第１の圧力で維持されるように構成された真空チャンバを連結するように、また遮断弁が開くとより高圧な領域を連結するように配置される。
【０２６０】
装置は、本発明の第１の態様に関連して説明された特徴のいずれか１つまたは組合せを含んでもよい。
【０２６１】
本発明は、検体源を質量および／またはイオン移動度分析計の真空チャンバと相互接合するための装置も提供し、
検体を穴部の第１の端部で受領し、検体を穴部の第２の端部を通り真空チャンバに搬送するためにそれを通る穴部を有する筐体と、
該穴部から出る該検体または他のサンプルをその上に激突させるために、穴部の第２の端部に隣接して配置された、または穴部の第２の端部の下流に配置された衝突アセンブリとを備え、衝突アセンブリは筐体に取り外し可能に装着される。
【０２６２】
装置は、衝突アセンブリを加熱するための加熱器を備えてもよい。
【０２６３】
衝突アセンブリは、実質的に円筒形、管状、棒形状、コイル形状、螺旋状もしくは渦巻形状、球形、半球形、涙滴形状、板形状、凹形状、皿形状、または円錐形状であってもよい。
【０２６４】
筐体は、該衝突アセンブリを保護するために、伸張した位置で該衝突アセンブリを少なくとも部分的に包囲する１つまたは複数の遮蔽を備えてもよい。
【０２６５】
１つまたは複数の遮蔽は、該伸張した位置から、衝突アセンブリの少なくとも一部が１つまたは複数の遮蔽によって包囲されない収縮した位置に、少なくとも部分的に収縮可能であってもよい。
【０２６６】
１つまたは複数の遮蔽は、該伸張した位置に向かって付勢されてもよい。
【０２６７】
本発明は、上に説明されたような装置を備える質量および／またはイオン移動度分析計も提供し、筐体は、穴部の第２の端部で真空チャンバに連結される。
【０２６８】
装置は、本発明の第１の態様に関連して説明された特徴のいずれか１つまたは組合せを含んでもよい。
【０２６９】
本発明は、検体源を質量および／またはイオン移動度分析計の真空チャンバと相互接合するための装置も提供し、
検体を穴部の第１の端部で受領し、検体を穴部の第２の端部を通り真空チャンバに搬送するためにそれを通る穴部を有する筐体と、
該穴部から出る該検体または他のサンプルをその上に激突させるために、穴部の第２の端部に隣接して配置される、または穴部の第２の端部の下流に配置されるように、筐体に装着された衝突アセンブリとを備え、
筐体は、筐体が少なくとも部分的に該衝突アセンブリを包囲する伸張した位置、および衝突アセンブリの少なくとも一部が１つまたは複数の遮蔽によって包囲されない収縮した位置から、移動可能であるように構成された１つまたは複数の遮蔽を備える。
【０２７０】
１つまたは複数の遮蔽は、該伸張した位置に向かって付勢されてもよい。
【０２７１】
本発明は、上に説明されたような装置を備える質量および／またはイオン移動度分析計も提供し、筐体は、穴部の第２の端部で真空チャンバに連結される。
【０２７２】
装置は、本発明の第１の態様に関連して説明された特徴のいずれか１つまたは組合せを含んでもよい。
【０２７３】
本発明は、検体源を質量および／またはイオン移動度分析計の真空チャンバと相互接合するための装置も提供し、
検体を穴部の第１の端部で受領し、検体を穴部の第２の端部を通り真空チャンバに搬送するためにそれを通る穴部を有する筐体と、
穴部または穴部と連通する経路を選択的に閉じるための遮断弁とを備え、遮断弁は、その長手軸を中心とした筐体の回転により、遮断弁が開位置と閉位置との間を動くように、筐体に結合される。
【０２７４】
遮断弁は、遮断弁が開位置と閉位置との間を動く際に、穴部または穴部と連通する経路内の開口を横切って摺動するように構成されたカム部材を備えてもよい。
【０２７５】
装置は、該穴部から出る該検体または他のサンプルをその上に激突させるために、穴部の第２の端部に配置された衝突アセンブリを備えてもよい。
【０２７６】
衝突アセンブリは、筐体に取り外し可能に装着されてもよい。
【０２７７】
装置は、衝突アセンブリを加熱するための加熱器を備えてもよい。
【０２７８】
本発明は、上に説明されたような装置を備える質量および／またはイオン移動度分析計も提供し、穴部は、第１の圧力で維持されるように構成された真空チャンバを連結するように、また遮断弁が開くとより高圧な領域を連結するように配置される。
【０２７９】
装置は、本発明の第１の態様に関連して説明された特徴のいずれか１つまたは組合せを含んでもよい。
【０２８０】
本明細書の様々な実施形態は、プラスイオンモードのみで、マイナスイオンモードのみで、またはプラスイオンモードおよびマイナスイオンモードの両方で作動してもよい。
【０２８１】
様々な実施形態は、標的で著しいイオン化を発生しなくてもよい。むしろ標的で発生された煙、エアロゾル、または蒸気内の検体が、標的の下流でイオン化されてもよい。例えば煙、エアロゾル、または蒸気を標的上の１点で発生するために、標的上の該点と接触させる、または標的上の該点に方向付ける用具が提供されてもよく、用具により該点で発生されるイオンは実質的になくてもよい。別法として、実質的に多数のイオンが該標的で発生されてもよいことも本明細書に企図される。
【０２８２】
急速蒸発イオン化質量分析を実行するための装置、質量および／またはイオン移動度分析を実行するための装置、急速蒸発イオン化質量分析（「ＲＥＩＭＳ」）の方法、質量および／またはイオン移動度分析の方法、電気手術の方法ならびに電気手術デバイスが本明細書に提供される。
【０２８３】
１態様は、急速蒸発イオン化質量分析（「ＲＥＩＭＳ」）を実行するための装置を提供する。例示的実施形態では、装置は、第１の長手方向軸を有する実質的に円筒形の衝突アセンブリ、衝突アセンブリを加熱するための加熱器、および検体、煙、噴霧、液体、気体、手術煙、エアゾル、または蒸気を、第１の長手方向軸に実質的に直交する第２の軸に沿って加熱された衝突アセンブリに方向付けるように配置され適合された第１のデバイスを含む。
【０２８４】
国際公開第２０１３／０９８６４２号（Ｍｅｄｉｍａｓｓ）（特許文献１）に開示されたような、公知の衝突イオン発生器のＲＥＩＭＳ技法は、電極脂質で覆われた水性液滴からなる水性液滴のサンプルを発生するものである。水性液滴は、高速液滴が衝突面、または極性脂質分子の気体イオンを生成する他の気体粒子に激突するように、質量分析計の大気流入口内における自由噴流の拡張によって加速される。しかしこの技法のイオン化収量は比較的低い。
【０２８５】
従来の方法のイオン収量は、主に検体分子間の強力な分子間結合が原因で液滴が個々の分子種に変換する率が劣ることに起因して比較的低いと認識されている。
【０２８６】
例示的実施形態による配置には、高いイオン収量をもたらす点から特に有利であることが見出されてきた、エアロゾルまたは検体液滴の激突の方向に実質的に直行して位置合わせされた円筒形の衝突面が含まれる。
【０２８７】
例示的実施形態では、衝突アセンブリはセラミック円筒または非セラミック円筒を含む。
【０２８８】
衝突アセンブリは、加熱器または加熱コイルをさらに備えてもよい。
【０２８９】
加熱器または加熱コイルは、衝突アセンブリ内に配置されてもよい。
【０２９０】
装置は、電力を加熱器または加熱コイルに供給するために１つまたは複数の電極をさらに含んでもよい。
【０２９１】
加熱器または加熱コイルは、（ｉ）約＜１００℃、（ｉｉ）約１００〜２００℃、（ｉｉｉ）約２００〜３００℃、（ｉｖ）約３００〜４００℃、（ｖ）約４００〜５００℃、（ｖｉ）約５００〜６００℃、（ｖｉｉ）約６００〜７００℃、（ｖｉｉｉ）約７００〜８００℃、（ｉｘ）約８００〜９００℃、（ｘ）約９００〜１０００℃、（ｘｉ）約１０００〜１１００℃、および（ｘｉｉ）約＞１１００℃からなる群から選択された温度に衝突アセンブリを加熱するように配置されてもよい。
【０２９２】
装置は、衝突アセンブリを支持するために第１の容器をさらに含んでもよい。
【０２９３】
第１の容器は、セラミックまたは非セラミックから形成されてもよい。
【０２９４】
電力を加熱器または加熱コイルに供給するための１つまたは複数の電極は、第１の容器を通過してもよい。
【０２９５】
例示的実施形態における装置は、主加熱アセンブリをさらに含む。
【０２９６】
第１の容器は、主加熱アセンブリに取り外し可能に装着されてもよい。
【０２９７】
主加熱アセンブリは、第１の遮断弁をさらに含んでもよい。
【０２９８】
第１の遮断弁は、１つまたは複数の毛細管またはサンプル管が主加熱アセンブリ内に位置付けられると開くように配置されてもよい。
【０２９９】
第１の遮断弁は、１つまたは複数の毛細管またはサンプル管が主加熱アセンブリから少なくとも部分的にまたは完全に取り除かれると閉じるように配置されてもよい。
【０３００】
装置は、使用時に主加熱アセンブリを通って伸張する、または位置付けられる１つまたは複数の毛細管またはサンプル管をさらに含んでもよい。
【０３０１】
１つまたは複数の毛細管またはサンプル管は、使用時に第１の容器を通って伸張してもよい。
【０３０２】
１つまたは複数の毛細管またはサンプル管は、使用時に衝突アセンブリに実質的に隣接して配置される出口を有してもよい。
【０３０３】
例示的実施形態によれば、装置は、主加熱アセンブリが源筐体内に挿入されるか、または別法として源筐体に連結されると、衝突アセンブリを保護するために１つまたは複数の遮蔽をさらに含んでもよい。
【０３０４】
１つまたは複数の遮蔽は、主加熱アセンブリが源筐体内に挿入されるか、または別法として源筐体に連結されると、少なくとも部分的にまたは完全に収縮するように配置されてもよい。
【０３０５】
装置は、源筐体をさらに含んでもよい。
【０３０６】
源筐体は第２の遮断弁をさらに含んでもよい。
【０３０７】
例示的実施形態によれば、主加熱アセンブリは、源筐体内に挿入可能であるか、または源筐体に連結可能であり、使用時に主加熱アセンブリは、第１の回転位置から第２の回転位置にさらに回転可能である。
【０３０８】
主加熱アセンブリが第１の位置から第２の位置に回転することにより、使用時に第２の遮断弁が第１の作動位置から第２の作動位置に動くように配置され適合されてもよい。
【０３０９】
第１の作動位置では、第２の遮断弁は実質的に閉じる。
【０３１０】
第２の作動位置では、第２の遮断弁は実質的に開く。
【０３１１】
別の態様は、上に説明されたような装置を備える質量および／またはイオン移動度分析計を提供する。
【０３１２】
分析計は、主筐体またはアセンブリをさらに含んでもよく、源筐体は使用時に主筐体に連結される。
【０３１３】
分析計は、イオントラップおよび／またはイオンガイドをさらに含んでもよい。
【０３１４】
分析計は、検体イオンをイオントラップ内で捕捉するように配置され適合され、かつ／またはイオンガイドを使用して検体イオンを案内するデバイスをさらに含んでもよい。
【０３１５】
例示的実施形態によれば、分析計は、検体イオンを分析するための分析器をさらに含む。
【０３１６】
分析器は、（ｉ）検体イオンを質量分析するための質量分析器、（ｉｉ）イオン移動度または異なるイオン移動度分析器、（ｉｉｉ）検体イオンのイオン断面または衝突断面を分析するための分析器、（ｉｖ）検体イオンをそれらのイオン移動度または異なるイオン移動度に従って分離するための分離器、（ｖ）検体イオンを質量分析する前に、検体イオンをそれらのイオン移動度または異なるイオン移動度に従って分離するための分離器、または（ｖｉ）検体イオンをそれらのイオン移動度または異なるイオン移動度に基づいて排除するまたは廃棄するように配置され適合されたデバイスをさらに備えてもよい。
【０３１７】
マトリクスは、使用時に検体に供給されてもよいが、検体は気相内にある、蒸気の形である、エアロゾルの形である、または液相内にある。
【０３１８】
分析計は、マトリクス分子を検体に供給し、マトリクス分子を検体と相互混合するように配置され適合されたデバイスをさらに含んでもよいが、マトリクスは気相内にある。
【０３１９】
分析計は、気相マトリクスが冷却し、液体に凝結するように、検体とマトリクスの混合物を高圧領域から低圧領域に移送させるように配置され適合されたデバイスをさらに含んでもよく、検体は溶解された検体液滴を形成するように液体マトリクス内に溶解する。
【０３２０】
マトリクスは、（ｉ）検体、煙、噴霧、液体、気体、手術煙、エアゾル、または蒸気のための溶媒、（ｉｉ）有機溶媒、（ｉｉｉ）揮発性化合物、（ｉｖ）極性分子、（ｖ）水、（ｖｉ）１つまたは複数のアルコール、（ｖｉｉ）メタノール、（ｖｉｉｉ）エタノール、（ｉｘ）イソプラパノール、（ｘ）アセトン、および（ｘｉ）アセトニトリルからなる群から選択されてもよい。
【０３２１】
分析計は、検体液滴を衝突アセンブリ上に加速させるように配置され適合されたデバイスをさらに含んでもよい。
【０３２２】
分析計は、検体液滴を衝突アセンブリ上に加速させるために圧力差を保持するように配置され適合されたデバイスをさらに含んでもよい。
【０３２３】
分析計は、衝突アセンブリと衝突する検体、煙、噴霧、液体、気体、手術煙、エアゾル、または蒸気からもたらされる検体イオンを分析するように配置される分析器をさらに含んでもよく、分析計は、真空チャンバに隣接した大気インターフェースをさらに含み、検体液滴は、大気インターフェースの両端の圧力差により衝突アセンブリ上に加速される。
【０３２４】
分析計は、マトリクスを検体に供給するためのマトリクス導管をさらに含んでもよい。
【０３２５】
分析計は、検体イオンを分析するためのイオン分析器をさらに含んでもよく、イオン分析器は、マトリクス導管の流出口の下流に配置される。
【０３２６】
マトリクス導管の流出口とイオン分析器の流入口との間の距離ｘは、（ｉ）約０．１〜０．５ｍｍ、（ｉｉ）約０．５〜１．０ｍｍ、（ｉｉｉ）約１．０〜１．５ｍｍ、（ｉｖ）約１．５〜２．０ｍｍ、（ｖ）約２．０〜２．５ｍｍ、（ｖｉ）約２．５〜３．０ｍｍ、（ｖｉｉ）約３．０〜３．５ｍｍ、（ｖｉｉｉ）約３．５〜４．０ｍｍ、（ｉｘ）約４．０〜４．５ｍｍ、（ｘ）約４．５〜５．０ｍｍ、（ｘｉ）約５．０〜５．５ｍｍ、（ｘｉｉ）約５．５〜６．０ｍｍ、（ｘｉｉｉ）約６．０〜６．５ｍｍ、（ｘｉｖ）約６．５〜７．０ｍｍ、（ｘｖ）約７．０〜７．５ｍｍ、（ｘｖｉ）約７．５〜８．０ｍｍ、（ｘｖｉｉ）約８．０〜８．５ｍｍ、（ｘｖｉｉｉ）約８．５〜９．０ｍｍ、（ｘｉｘ）約９．０〜９．５ｍｍ、（ｘｘ）約９．５〜１０．０ｍｍ、（ｘｘｉ）約０．１〜１０ｍｍ、（ｘｘｉｉ）約０．１〜７．５ｍｍ、（ｘｘｉｉｉ）約０．１〜５．１ｍｍ、（ｘｘｉｖ）約０．５〜５．１ｍｍ、および（ｘｘｖ）約０．５〜５．０ｍｍからなる群から選択されてもよい。
【０３２７】
分析計は、（ｉ）約５０〜１００μｌ／ｍｉｎ、（ｉｉ）約１００〜１５０μｌ／ｍｉｎ、（ｉｉｉ）約１５０〜２００μｌ／ｍｉｎ、（ｉｖ）約２００〜２５０μｌ／ｍｉｎ、（ｖ）約２５０〜３００μｌ／ｍｉｎ、（ｖｉ）約３００〜３５０μｌ／ｍｉｎ、（ｖｉｉ）約３５０〜４００μｌ／ｍｉｎ、（ｖｉｉｉ）約４００〜４５０μｌ／ｍｉｎ、（ｉｘ）約４５０〜５００μｌ／ｍｉｎ、（ｘ）約５００〜５５０μｌ／ｍｉｎ、（ｘｉ）約５５０〜６００μｌ／ｍｉｎ、（ｘｉｉ）約６００〜６５０μｌ／ｍｉｎ、（ｘｉｉｉ）約６５０〜７００μｌ／ｍｉｎ、（ｘｉｖ）７００〜７５０μｌ／ｍｉｎ、（ｘｖ）約７５０〜８００μｌ／ｍｉｎ、（ｘｖｉ）約８００〜８５０μｌ／ｍｉｎ、（ｘｖｉｉ）約８５０〜９００μｌ／ｍｉｎ、（ｘｖｉｉｉ）約９００〜９５０μｌ／ｍｉｎ、（ｘｉｘ）約９５０〜１０００μｌ／ｍｉｎ、（ｘｘ）約５０μｌ／ｍｉｎ〜１ｍｌ／ｍｉｎ、（ｘｘｉ）約１００〜８００μｌ／ｍｉｎ、（ｘｘｉｉ）約１５０〜６００μｌ／ｍｉｎ、および（ｘｘｉｉｉ）約２００〜４００μｌ／ｍｉｎからなる群から選択された流量でマトリクス導管を介してマトリクスを検体に供給するためのポンプをさらに備えてもよい。
【０３２８】
マトリクス導管の流出口は、イオン分析器の流入口の反対側にあってもよく、またはイオン分析器の流入口と同軸であってもよい。
【０３２９】
分析計は、検体イオンデータを獲得するために検体イオンを分析するための質量および／またはイオン移動度分析器をさらに含んでもよく、分析器は、ロックマス、ロック移動度、または校正イオンを分析し、ロックマス、ロック移動度、または校正イオンを分析することから獲得されたデータに基づいてイオン分析器を校正し、または検体イオンデータを調節するようにさらに配置される。
【０３３０】
別の態様は、急速蒸発イオン化質量分析（「ＲＥＩＭＳ」）の方法を提供する。例示的実施形態では、この方法は、第１の長手方向軸を有する実質的に円筒形の衝突アセンブリを提供すること、衝突アセンブリを加熱すること、および検体、煙、噴霧、液体、気体、手術煙、エアゾル、または蒸気を第１の軸に実質的に直交する第２の軸に沿って加熱された衝突アセンブリに方向付けることを含む。
【０３３１】
衝突アセンブリは、セラミック円筒または非セラミック円筒を含んでもよい。
【０３３２】
衝突アセンブリは、加熱器または加熱コイルをさらに含んでもよい。
【０３３３】
方法は、加熱器または加熱コイルを衝突アセンブリ内に配置することをさらに含んでもよい。
【０３３４】
方法は、１つまたは複数の電極を介して加熱器または加熱コイルに電力を供給することを含んでもよい。
【０３３５】
方法は、（ｉ）約＜１００℃、（ｉｉ）約１００〜２００℃、（ｉｉｉ）約２００〜３００℃、（ｉｖ）約３００〜４００℃、（ｖ）約４００〜５００℃、（ｖｉ）約５００〜６００℃、（ｖｉｉ）約６００〜７００℃、（ｖｉｉｉ）約７００〜８００℃、（ｉｘ）約８００〜９００℃、（ｘ）約９００〜１０００℃、（ｘｉ）約１０００〜１１００℃、および（ｘｉｉ）約＞１１００℃からなる群から選択された温度に衝突アセンブリを加熱することを含んでもよい。
【０３３６】
方法は、衝突アセンブリを支持するために第１の容器を使用することをさらに含んでもよい。
【０３３７】
第１の容器は、セラミックまたは非セラミックから形成されてもよい。
【０３３８】
方法は、加熱コイルが第１の容器を通過するように電力を供給するための１つまたは複数の電極を通ることをさらに含んでもよい。
【０３３９】
方法は、主加熱アセンブリを提供することをさらに含んでもよい。
【０３４０】
方法は、第１の容器を主加熱アセンブリに取り外し可能に装着することをさらに含んでもよい。
【０３４１】
方法は、第１の遮断弁を主加熱アセンブリ内に提出することをさらに含んでもよい。
【０３４２】
方法は、１つまたは複数の毛細管またはサンプル管が主加熱アセンブリを通過すると、第１の遮断弁を開くことをさらに含んでもよい。
【０３４３】
方法は、１つまたは複数の毛細管またはサンプル管が主加熱アセンブリから少なくとも部分的にまたは完全に取り除かれると、第１の遮断弁を閉じることをさらに含んでもよい。
【０３４４】
方法は、主加熱アセンブリを通って伸張するように、１つまたは複数の毛細管またはサンプルを配置することをさらに含んでもよい。
【０３４５】
方法は、第１の容器を通って伸張するように１つまたは複数の毛細管またはサンプル管を配置することをさらに含んでもよい。
【０３４６】
方法は、１つまたは複数の毛細管またはサンプル管の出口を衝突アセンブリに実質的に隣接して配置することをさらに含んでもよい。
【０３４７】
方法は、主加熱アセンブリが源筐体内に挿入されるか、または別法として源筐体に連結されると、衝突アセンブリを保護するために１つまたは複数の遮蔽を提供することをさらに含んでもよい。
【０３４８】
方法は、主加熱アセンブリが源筐体内に挿入されるか、または別法として源筐体に連結されると、１つまたは複数の遮蔽を少なくとも部分的にまたは完全に収縮することをさらに含んでもよい。
【０３４９】
方法は、源筐体を提供することをさらに含んでもよい。
【０３５０】
源筐体は第２の遮断弁をさらに備えてもよい。
【０３５１】
方法は、主加熱アセンブリを源筐体内に挿入すること、または別法として主加熱アセンブリを源筐体に連結すること、および主加熱アセンブリを第１の回転位置から第２の回転位置に回転させることをさらに含んでもよい。
【０３５２】
主加熱アセンブリを第１の回転位置から第２の回転位置に回転させるステップは、第２の遮断弁を第１の作動位置から第２の作動位置に移動させてもよい。
【０３５３】
第１の作動位置では、第２の遮断弁は実質的に閉じている。
【０３５４】
第２の作動位置では、第２の遮断弁は実質的に開いている。
【０３５５】
方法は、主筐体またはアセンブリを提供することをさらに含んでもよく、源筐体は主筐体に連結される。
【０３５６】
方法は、イオントラップおよび／またはイオンガイドを提供することをさらに含んでもよい。
【０３５７】
方法は、イオントラップ内で検体イオンを捕捉すること、かつ／またはイオンガイドを使用して検体イオンを案内することをさらに含んでもよい。
【０３５８】
方法は、分析器を使用して検体イオンを分析することをさらに含んでもよい。
【０３５９】
分析器は、（ｉ）検体イオンを質量分析するための質量分析器、（ｉｉ）イオン移動度もしくは異なるイオン移動度分析器、（ｉｉｉ）検体イオンのイオン断面もしくは衝突断面を分析するための分析器、（ｉｖ）検体イオンをそれらのイオン移動度もしくは異なるイオン移動度に従って分離するための分離器、（ｖ）検体イオンを質量分析する前に、検体イオンをそれらのイオン移動度もしくは異なるイオン移動度に従って分離するための分離器、または（ｖｉ）検体イオンをそれらのイオン移動度もしくは異なるイオン移動度に基づいて排除するもしくは廃棄するように配置され適合されたデバイスを備えてもよい。
【０３６０】
方法は、マトリクスを検体に供給することをさらに含んでもよいが、検体は、気相内にある、蒸気の形である、エアロゾルの形である、または液相内にある。
【０３６１】
方法は、マトリクス分子を検体に供給すること、およびマトリクス分子を検体と相互混合することをさらに含んでもよいが、マトリクスは気相内にある。
【０３６２】
方法は、気相マトリクスが冷却し、液体に凝結するように、検体とマトリクスとの混合物を高圧領域から低圧領域に移送することをさらに含んでもよく、検体は、溶解された検体液滴を形成するように液体マトリクス内で溶解する。
【０３６３】
マトリクスは、（ｉ）検体、煙、噴霧、液体、気体、手術煙、エアゾル、または蒸気のための溶媒、（ｉｉ）有機溶媒、（ｉｉｉ）揮発性化合物、（ｉｖ）極性分子、（ｖ）水、（ｖｉ）１つまたは複数のアルコール、（ｖｉｉ）メタノール、（ｖｉｉｉ）エタノール、（ｉｘ）イソプラパノール、（ｘ）アセトン、および（ｘｉ）アセトニトリルからなる群から選択されてもよい。
【０３６４】
方法は、検体液滴を衝突アセンブリ上に加速させることをさらに含んでもよい。
【０３６５】
方法は、検体液滴を衝突アセンブリ上に加速させるように電位差を維持することをさらに含んでもよい。
【０３６６】
方法は、衝突アセンブリと衝突する検体、煙、噴霧、液体、気体、手術煙、エアゾル、または蒸気からもたらされる検体イオンを分析すること、および大気インターフェースの両端の圧力差により、検体液滴を衝突アセンブリ上に加速させることをさらに含んでもよい。
【０３６７】
方法は、マトリクスを検体に供給することをさらに含んでもよい。
【０３６８】
方法は、イオン分析器を使用して検体イオンを分析することをさらに含んでもよく、イオン分析器は、マトリクス導管の流出口の下流に配置される。
【０３６９】
マトリクス導管の流出口とイオン分析器の流入口との間の距離ｘは、（ｉ）約０．１〜０．５ｍｍ、（ｉｉ）約０．５〜１．０ｍｍ、（ｉｉｉ）約１．０〜１．５ｍｍ、（ｉｖ）約１．５〜２．０ｍｍ、（ｖ）約２．０〜２．５ｍｍ、（ｖｉ）約２．５〜３．０ｍｍ、（ｖｉｉ）約３．０〜３．５ｍｍ、（ｖｉｉｉ）約３．５〜４．０ｍｍ、（ｉｘ）約４．０〜４．５ｍｍ、（ｘ）約４．５〜５．０ｍｍ、（ｘｉ）約５．０〜５．５ｍｍ、（ｘｉｉ）約５．５〜６．０ｍｍ、（ｘｉｉｉ）約６．０〜６．５ｍｍ、（ｘｉｖ）約６．５〜７．０ｍｍ、（ｘｖ）約７．０〜７．５ｍｍ、（ｘｖｉ）約７．５〜８．０ｍｍ、（ｘｖｉｉ）約８．０〜８．５ｍｍ、（ｘｖｉｉｉ）約８．５〜９．０ｍｍ、（ｘｉｘ）約９．０〜９．５ｍｍ、（ｘｘ）約９．５〜１０．０ｍｍ、（ｘｘｉ）約０．１〜１０ｍｍ、（ｘｘｉｉ）約０．１〜７．５ｍｍ、（ｘｘｉｉｉ）約０．１〜５．１ｍｍ、（ｘｘｉｖ）約０．５〜５．１ｍｍ、および（ｘｘｖ）約０．５〜５．０ｍｍからなる群から選択されてもよい。
【０３７０】
方法は、（ｉ）約５０〜１００μｌ／ｍｉｎ、（ｉｉ）約１００〜１５０μｌ／ｍｉｎ、（ｉｉｉ）約１５０〜２００μｌ／ｍｉｎ、（ｉｖ）約２００〜２５０μｌ／ｍｉｎ、（ｖ）約２５０〜３００μｌ／ｍｉｎ、（ｖｉ）約３００〜３５０μｌ／ｍｉｎ、（ｖｉｉ）約３５０〜４００μｌ／ｍｉｎ、（ｖｉｉｉ）約４００〜４５０μｌ／ｍｉｎ、（ｉｘ）約４５０〜５００μｌ／ｍｉｎ、（ｘ）約５００〜５５０μｌ／ｍｉｎ、（ｘｉ）約５５０〜６００μｌ／ｍｉｎ、（ｘｉｉ）約６００〜６５０μｌ／ｍｉｎ、（ｘｉｉｉ）約６５０〜７００μｌ／ｍｉｎ、（ｘｉｖ）７００〜７５０μｌ／ｍｉｎ、（ｘｖ）約７５０〜８００μｌ／ｍｉｎ、（ｘｖｉ）約８００〜８５０μｌ／ｍｉｎ、（ｘｖｉｉ）約８５０〜９００μｌ／ｍｉｎ、（ｘｖｉｉｉ）約９００〜９５０μｌ／ｍｉｎ、（ｘｉｘ）約９５０〜１０００μｌ／ｍｉｎ、（ｘｘ）約５０μｌ／ｍｉｎ〜１ｍｌ／ｍｉｎ、（ｘｘｉ）約１００〜８００μｌ／ｍｉｎ、（ｘｘｉｉ）約１５０〜６００μｌ／ｍｉｎ、および（ｘｘｉｉｉ）約２００〜４００μｌ／ｍｉｎからなる群から選択された流量でマトリクス導管を介してマトリクスを検体に供給することをさらに含んでもよい。
【０３７１】
方法は、イオン分析器の流入口の反対側またはイオン分析器の流入口と同軸にマトリクス導管の流出口を配置することをさらに含んでもよい。
【０３７２】
方法は、検体イオンデータを獲得するために検体イオンを質量および／またはイオン移動度分析すること、ロックマス、ロック移動度、または校正イオンを分析すること、ならびにロックマス、ロック移動度、または校正イオンを分析することから獲得されたデータに基づいて、検体イオンデータを調節することをさらに含んでもよい。
【０３７３】
さらなる態様は、電気手術の方法を提供する。例示的実施形態では、方法は、生物組織を急速蒸発イオン化質量分析（「ＲＥＩＭＳ」）電気手術用具と接触させること、および検体、煙、噴霧、液体、気体、手術煙、エアゾル、または蒸気を発生させるように電気手術用具を活性化させることと、検体、煙、噴霧、液体、気体、手術煙、エアゾル、または蒸気を吸引することと、第１の長手方向軸を有する実質的に円筒形の衝突アセンブリを提供することと、衝突アセンブリを加熱することと、検体イオンを形成するために検体、煙、噴霧、液体、気体、手術煙、エアゾル、または蒸気を第１の長手方向軸に実質的に直交する第２の軸に沿って、加熱された衝突アセンブリに方向付けることと、検体イオンを質量および／またはイオン移動度分析することとを含む。
【０３７４】
さらなる態様は、電気手術の装置を提供する。例示的実施形態では、装置は、１つまたは複数の電極を備える急速蒸発イオン化質量分析（「ＲＥＩＭＳ」）電気手術用具と、検体、煙、噴霧、液体、気体、手術煙、エアゾル、または蒸気を発生させるように、電気手術用具が、使用時に生物組織と接触すると、電気手術用具を活性化させるように配置され適合されたデバイスと、検体、煙、噴霧、液体、気体、手術煙、エアゾル、または蒸気を吸引するように配置され適合されたデバイスと、（ｉ）第１の長手方向軸を有する実質的に円筒形の衝突アセンブリ、（ｉｉ）衝突アセンブリを加熱するための加熱器、（ｉｉｉ）検体イオンを形成するために検体、煙、噴霧、液体、気体、手術煙、エアゾル、または蒸気を、第１の軸に実質的に直交する第２の軸に沿って、該加熱された衝突アセンブリに方向付けるように配置され適合された第１のデバイス、ならびに（ｉｖ）該検体イオンを質量および／またはイオン移動度分析するための質量および／またはイオン移動度分析器を備える、質量および／またはイオン移動度分析計とを含む。
【０３７５】
検体をマトリクス内で溶解することにより、検体分子の間の分子間結合を実質的に除去し、性能が改善されることも見出されてきた。溶解された検体を続いて液滴に砕くように加熱された（円筒形の）衝突面と衝突させると、あらゆる所与の液滴は、マトリクスが存在していない場合に含有するはずである検体分子より少ない検体分子を含有する傾向がある。
【０３７６】
したがって例示的実施形態による手法により、各液滴内のマトリクスが蒸発するとイオンの発生がより有効になる。
【０３７７】
溶解された検体液滴を（円筒形の）衝突面と衝突させるステップは、検体およびマトリクスの運動エネルギーを熱に変質させることにより、検体からマトリクスを蒸発させるステップをもたらしてもよい。
【０３７８】
検体液滴を衝突させるステップにより、発生される溶解された検体液滴がより小さくなることがあり、その少なくとも一部は、その中に単一の検体分子のみを有する。これによりイオン化工程が向上する。
【０３７９】
検体は、例えば極性脂質を含んでもよく、蒸気またはエアロゾルは、極性脂質で覆われた水性液滴を含んでもよい。
【０３８０】
検体はトリグリセリドを含んでもよい。
【０３８１】
マトリクスが供給される検体は、イオン化された検体分子を含んでもよい。
【０３８２】
方法は、分析されるサンプルから気相検体、蒸気検体、エアゾル、または液体を発生させるステップをさらに含んでもよい。
【０３８３】
気相検体、蒸気検体、またはエアロゾルは、検体を含有するサンプルを加熱することによって、例えばサンプルのジアテルミー蒸発によって発生されてもよい。
【０３８４】
方法は、手術方法または非手術方法のいずれの一部であってもよい。例えば方法は、サンプルが検体を含有する人間または動物の組織であってもよい手術方法であってもよい。サンプルは、気相検体、蒸気検体、もしくはエアゾルを形成するために、電気手術ジアテルミー蒸発、または急速蒸発の他の形を受けてもよい。例のみとして、デバイスおよび方法は、乳癌手術において人間細胞を同定するために使用されてもよい。検体イオンを分析することにより、組織が癌であるか否かを判定することができる。
【０３８５】
別法として、方法は、非手術方法を含んでもよい。例えば、人間または動物の身体の一部でない（すなわち予め摘出した、堆積された、もしくは除去された）人間または動物組織を分析してもよく、あるいは人間もしくは動物組織以外のサンプルまたは生物組織を分析してもよい。やはり検体イオンを分析することにより、サンプルが癌組織を含有するか否かなどの、サンプルの特性または成分を判定することができる。
【０３８６】
開示された方法は、原産国識別、薬剤試験、食品安全試験（例えば乳製品）、化粧品試験、軍事的利用、大気汚染試験、事後分析、微生物識別（例えば細菌）、および自動サンプリングなどの他の非手術方法に使用されてもよい。
【０３８７】
上に開示された様々な方法は、非生物サンプルおよび化合物を分析するために使用されてもよい。
【０３８８】
サンプルから形成される検体は、部分的に荷電されてもよく、かつ／または比較的高い有機含有量を有してもよい。
【０３８９】
装置は、実質的にマトリクスから分離した検体イオンを提供するように、第２のより小さい溶解された検体液滴内の検体からマトリクスを蒸発させることをさらに含んでもよい。
【０３９０】
検体からマトリクスを蒸発させるステップは、検体イオンを形成するために検体をイオン化するように、検体にまたは検体から電荷移動をもたらしてもよい。
【０３９１】
マトリクスを検体から蒸発させるステップの後、方法は、イオントラップ内で検体イオンを捕捉すること、および／またはイオンガイドを使用して検体イオンを案内することをさらに含んでもよい。
【０３９２】
マトリクスは、まず固体、例えば粉末として供給され、昇華され、または融解され、検体と相互混合される蒸気または気相内でマトリクスを形成するように蒸発されてもよい。
【０３９３】
別法として、マトリクスは、液体、エアロゾル、または蒸気として検体に供給されてもよく、または検体と相互混合されてもよい。検体および／またはマトリクスが液体の形である場合は、検体とマトリクスの混合物は、続いて例えば噴射することにより第１の溶解された検体液滴に変換される必要があることがある。
【０３９４】
マトリクスの誘電率は、検体の溶媒化がイオン溶解に関わることにより、凝縮相内に検体の溶媒和イオンが存在するように非常に高いことがある。これらの場合、衝突面への激突は、気相内に溶媒和イオンを生成する可能性がより高く、これは最終的に（マイナスイオンモード、すなわち［Ｍ−Ｈ］−で）脱プロトン化によって形成されたイオン、（プラスイオンモード、すなわち［Ｍ＋Ｈ］＋で）プロトン化によって形成されたイオン、および／または分子イオンを生じることがある。
【０３９５】
イソプラパノールは、例えば脂質種のために使用する特に好都合なマトリクスであることが見出された。
【０３９６】
例として、極性脂質を備える検体に対して、マトリクスは、低分子量アルコール（例えばメタノール、エタノール、イソプロパノール）またはケトン（例えばアセトン）であってもよく、または低分子量アルコール（例えばメタノール、エタノール、イソプロパノール）またはケトン（例えばアセトン）を含んでもよい。これらのマトリクスは、そうでなければ低強度ではマトリクスの蒸気が検出されない、すべてのまたはある特定の種のイオン化を高めることが示されてきた。
【０３９７】
検体とマトリクスの混合物は、均一混合物であっても、または不均一混合物であってもよい。
【０３９８】
イオンをそれぞれが捕捉するまたは案内するように、イオントラップまたはイオンガイドに電圧が印加されてもよい。次いでイオンは、イオンの質量および／またはイオン移動度を分析するために、イオントラップまたはイオンガイドからイオン分析器に送達されてもよい。
【０３９９】
イオンは、質量分析される前にイオン移動度に従って分離されてもよい。イオンは、次いでそれらのイオン移動度に基づいて排除されてもよく、または廃棄されてもよい。
【０４００】
上記の範囲のいずれも、距離ｘに対する範囲の一覧におけるいずれと組み合わされてもよい。
【０４０１】
イオン分析器の流入口は、イオン分析器の真空チャンバをイオン分析器の上流のより高い圧力領域から分離させる開口またはオリフィスを含んでもよい。例えば流入口は大気圧インターフェースであってもよい。
【０４０２】
代替手段では、マトリクス導管は、検体を提供するステップを実行するサンプル移送管の中にマトリクスを送達してもよい。
【０４０３】
別法として、検体を提供するステップを実行するサンプル移送管が提供されもよく、マトリクス導管の流出口は、サンプル移送管の周囲の場所に配置されてもよい。気体流は、流出口からイオンを分析するイオン分析器の流入口までマトリクスを一掃するように配置されてもよい。
【０４０４】
サンプルを蒸発させるためのデバイスは、ジアテルミーデバイスなどの電気手術用具を備えてもよい。
【０４０５】
装置は、サンプルを蒸発させるためにサンプル上に挿入するための端部、点または領域を有してもよく、検体流入口は端部、点または領域に隣接する。
【０４０６】
装置は、マトリクス化合物を導管に供給するためのマトリクス化合物の源を含んでもよい。
【０４０７】
加速する手段は、第１の領域と第２の領域との間の第１の溶解された検体液滴を衝突面に加速するために、２つの領域の間に圧力差を生成するための真空ポンプを含んでもよい。
【０４０８】
装置は、第１の領域と第２の領域との間に配置された大気インターフェースを有する質量および／またはイオン移動度分析計を含んでもよく、第２の領域は、真空ポンプに連結され、衝突面を収納する真空チャンバを含んでもよい。
【０４０９】
装置は、検体イオンを捕捉するまたは案内するために、イオントラップまたはイオンガイドを含んでもよい。
【０４１０】
イオン分析器は、質量および分析器もしくは分析計、ならびに／またはイオン移動度分析器もしくは分析計を含んでもよい。
【０４１１】
装置は、本明細書に説明されたあらゆる方法を実行するように配置され構成されてもよい。
【０４１２】
混合領域は、イオン分析器の流入口の上流に提供されてもよく、または混合領域は、イオン分析器の下流の少なくとも一部に提供されてもよい。
【０４１３】
イオン分析器の流入口は、イオン分析器の上流のより高い圧力領域からイオン分析器の真空チャンバを分離する開口またはオリフィスを含んでもよい。例えば流入口は大気圧インターフェースを含んでもよい。
【０４１４】
マトリクス導管は、検体を提供するステップを実行する、サンプル移送管にマトリクスを直接送達してもよい。
【０４１５】
別法として、検体を提供するステップを実行するサンプル移送管が提供されてもよく、マトリクス導管の流出口は、サンプル移送管の周囲の場所に提供されてもよい。気体流は、流出口からイオンを分析するイオン分析器の流入口までマトリクスを一掃するように配置されてもよい。
【０４１６】
装置は、ロックマス、ロック移動度、または校正化合物イオンもしくはイオンの源を含んでもよい。
【０４１７】
ロックマス、ロック移動度または校正化合物／イオンは、マトリクス導管、検体導管の中に導入されてもよく、または分離管の中に供給されてもよい。
【０４１８】
検体（または気相検体分子）を含有するエアロゾル粒子は、揮発性マトリクス化合物と一緒に質量および／またはイオン移動度分析計の中に導入されてもよく、揮発性マトリクス化合物は有機溶媒を含んでもよい。揮発性マトリクス化合物は、固体（例えば粉末）、液体、エアロゾル、または蒸気として検体に導入されてもよい。検体とマトリクスの混合物は、流入口から分析計に亘る圧力差により分析計の中に吸引されてもよい。分析計の内側の圧力が低いことにより、拡大する検体およびマトリクスを混入する気体をもたらし、自由噴流領域内の温度が降下する。これにより、気体もしくは蒸発された検体および／またはマトリクスが凝結するので、検体がマトリクス内に溶解する。マトリクス化合物の役割は、検体分子を超えるマトリクスを含有し、溶媒の形で検体分子を組み込むエアロゾル粒子を生成することであってもよい。溶媒化は、それぞれの溶解された検体分子がマトリクス分子によって完全に包囲されるので、検体分子の間の分子間二次結合力を実質的に取り除く。凝結相内で検体分子を分離することにより、エアロゾル粒子が衝突面に激突する際、エアロゾル粒子が単一の検体分子のみをそれぞれが含有するクラスタを形成する確率が増加する。マトリクス分子は高い誘電率および／または高い蒸気圧を有しても、有さなくてもよい。
【０４１９】
次に例示のみとして、添付図面を参照に、本発明の様々な実施形態について説明する。
【図面の簡単な説明】
【０４２０】
【図１】直流電圧がエアロゾルまたは手術の噴煙の生成をもたらす双極鉗子に印加され、これは双極鉗子の洗浄部を通して捉えられ、次いでイオン化ならびに質量および／またはイオン移動度分析のための質量および／またはイオン移動度分析計に移送される、急速蒸発イオン化質量分析（「ＲＥＩＭＳ」）の方法を示す図である。
【図２】検体およびマトリクスが気相または蒸気相内に提供されてもよい、一実装形態を示す図である。
【図３】検体およびマトリクスが液相に提供されてもよい、別の実施形態を示す図である。
【図４Ａ】マトリクスを使用することなく獲得される質量スペクトルを示す図である。
【図４Ｂ】マトリクスを使用して獲得される質量スペクトルを示す図である。
【図５Ａ】検体エアロゾルおよびマトリクスを質量分析計の中に導入するためのベンチュリデバイスを備える、質量分析計インターフェースの一実施形態を示す図である。
【図５Ｂ】図５Ｂの拡大図である。
【図５Ｃ】インターフェース内のサンプリングデバイスの近接図である。
【図６Ａ】取り外し可能な衝突面アセンブリを備える実施形態の異なる図である。
【図６Ｂ】取り外し可能な衝突面アセンブリを備える実施形態の異なる図である。
【図７Ａ】図６Ａ〜図６Ｂに示されたアセンブリの断面図である。
【図７Ｂ】図７Ａにおける断面の一部の拡大図である。
【図８Ａ】伸張した位置において収縮可能な遮蔽を備えた図６Ａ〜図６Ｂの装置を示す図である。
【図８Ｂ】収縮した位置における収縮可能な遮蔽を示す図である。
【図９Ａ】衝突面アセンブリを示す図である。
【図９Ｂ】衝突面アセンブリの断面図である。
【図１０】衝突面アセンブリおよび関連したセラミック容器を示す図である。
【図１１Ａ】閉位置において回転可能な遮断弁を備えたＲＥＩＭＳ源アセンブリを示す図である。
【図１１Ｂ】開位置において真空遮断弁を備えたＲＥＩＭＳ源アセンブリを示す図である。
【図１２Ａ】遮断弁の構成要素を示す図である。
【図１２Ｂ】遮断弁の構成要素を示す図である。
【図１２Ｃ】遮断弁の構成要素を示す図である。
【図１２Ｄ】遮断弁の構成要素を示す図である。
【図１２Ｅ】遮断弁の構成要素を示す図である。
【図１３Ａ】カム弁シールを含むＲＥＩＭＳ源アセンブリの拡大図である。
【図１３Ｂ】シールの斜視図である。
【図１３Ｃ】シールの側断面図である。
【図１３Ｄ】図１３Ｃにおけるシールの一部の拡大図である。
【図１４】一実施形態による質量分析器の主加熱アセンブリ、ＲＥＩＭＳ源筐体、および主アセンブリを示す図である。
【図１５】漏斗形状の衝突アセンブリが提供され、エアロゾルが検体イオンを形成するために衝突アセンブリの内面に激突するように配置された、さらなる実施形態を示す図である。
【図１６】中空円筒形の衝突アセンブリが提供され、エアロゾルが検体イオンを形成するために衝突アセンブリの内面に激突するように配置された、別の実施形態を示す図である。
【図１７Ａ】衝突面が球形である配置を示す図である。
【図１７Ｂ】衝突面がコイル形状である実施形態を示す図である。
【図１８Ａ】加熱されていない衝突面を使用して獲得した質量スペクトルを示す図である。
【図１８Ｂ】加熱された衝突面を使用して獲得した質量スペクトルを示す図である。
【図１９Ａ】マイナスイオンモードにおけるロイシン・エンケファリンに対する衝突面の最大直径の関数として獲得されたイオン信号強度を示す図である。
【図１９Ｂ】プラスイオンモードにおけるロイシン・エンケファリンに対して獲得されたイオン信号強度を示す図である。
【図２０Ａ】マイナスイオンモードにおける脂質に対して獲得されたイオン信号強度を示す図である。
【図２０Ｂ】プラスイオンモードにおける脂質に対して獲得されたイオン信号強度を示す図である。
【図２１】非加熱の球形衝突面を使用して獲得された質量スペクトルを示す図である。
【図２２】非加熱の円筒形の衝突面を使用して獲得された質量スペクトルを示す図である。
【図２３】加熱されたｋａｔｈａｌ（登録商標）のコイル形状の衝突面を使用して獲得された質量スペクトルを示す図である。
【図２４】円筒内に配置されたコイルによって加熱された、石英の円筒形の衝突面を使用して獲得された質量スペクトルを示す図である。
【図２５】円筒内に配置されたコイルによって加熱された、ガラスセラミックのＭＡＣＯＲ（登録商標）の円筒形の衝突面を使用して獲得された質量スペクトルを示す図である。
【図２６Ａ】その中に埋め込まれた加熱コイルによって加熱されたセラミックの衝突面を使用して獲得された質量スペクトルを示す図である。
【図２６Ｂ】６００〜９００の質量範囲内の図２６Ａの質量スペクトルを示す図である。
【図２７Ａ】加熱されたニッケルのコイル形状の衝突面を使用して獲得された質量スペクトルを示す図である。
【図２７Ｂ】６００〜９００の質量範囲内の図２７Ａの質量スペクトルを示す図である。
【図２８Ａ】サンプル移送毛細管の出口とｋａｔｈａｌコイルの衝突面との間の異なる距離に対して検出されたイオン信号強度を示す図である。
【図２８Ｂ】３ｍｍの距離における質量スペクトルを示す図である。
【図２８Ｃ】５ｍｍの距離における質量スペクトルを示す図である。
【図２９Ａ】衝突面として錐体を使用して獲得された質量スペクトルを示す図である。
【図２９Ｂ】円錐面が円筒形部に外方に先細であるときに獲得された質量スペクトルを示す図である。
【図３０Ａ】円盤形状の衝突部材を使用して獲得された質量スペクトルを示す図である。
【図３０Ｂ】円盤形状の衝突部材を使用して獲得された質量スペクトルを示す図である。
【図３１Ａ】半球の平面が上流に面する、半球である衝突面を使用して獲得された質量スペクトルを示す図である。
【図３１Ｂ】半球の平面が下流に面する、半球である衝突面を使用して獲得された質量スペクトルを示す図である。
【図３１Ｃ】平坦な上流面および円錐の下流面を有する衝突面を使用して獲得された質量スペクトルを示す図である。
【図３２Ａ】５ｍｍの外径を有する衝突アセンブリを使用して獲得された質量スペクトルを示す図である。
【図３２Ｂ】３．５ｍｍの外径を有する衝突アセンブリを使用して獲得された質量スペクトルを示す図である。
【図３２Ｃ】２ｍｍの外径を有する衝突アセンブリを使用して獲得された質量スペクトルを示す図である。
【図３３Ａ】異なる外径の球形の衝突アセンブリを使用して獲得された質量スペクトルを示す図である。
【図３３Ｂ】球形の衝突面の外径の関数として総イオン電流を示す図である。
【図３４Ａ】衝突アセンブリの周囲に円筒形のシース管を配置することからもたらされる総イオン電流への効果を示す図である。
【図３４Ｂ】この構成を使用して獲得された質量スペクトルを示す図である。
【図３５Ａ】衝突面とシース管との間の異なる相対電圧の効果を示す図である。
【図３５Ｂ】衝突面とシース管との間の異なる電圧差で獲得されたスペクトルの詳細を示す図である。
【図３５Ｃ】衝突面とシース管との間の異なる電圧差で獲得されたスペクトルの詳細を示す図である。
【図３５Ｄ】衝突面とシース管との間の異なる電圧差で獲得されたスペクトルの詳細を示す図である。
【図３６Ａ】異なる温度でサンプル送達毛細管を維持する間に獲得されたスペクトルを示す図である。
【図３６Ｂ】異なる温度でサンプル送達毛細管を維持する間に獲得されたスペクトルを示す図である。
【図３６Ｃ】異なる温度でサンプル送達毛細管を維持する間に獲得されたスペクトルを示す図である。
【図３６Ｄ】異なる温度でサンプル送達毛細管を維持する間に獲得されたスペクトルを示す図である。
【図３６Ｅ】異なる温度でサンプル送達毛細管を維持する間に獲得されたスペクトルを示す図である。
【図３６Ｆ】異なる温度でサンプル送達毛細管を維持する間に獲得されたスペクトルを示す図である。
【図３７Ａ】サンプル毛細管出口と衝突面との間の異なる距離で獲得されたスペクトルを示す図である。
【図３７Ｂ】これらの距離の一部に対するスペクトルの詳細を示す図である。
【図３７Ｃ】これらの距離の一部に対するスペクトルの詳細を示す図である。
【図３７Ｄ】これらの距離の一部に対するスペクトルの詳細を示す図である。
【図３８Ａ】様々な異なる電流を使用してコイルを加熱する間に、Ｋａｔｈａｌ−Ｄコイルの衝突面を使用してサンプルを分析する際に検出されたイオン信号を示す図である。
【図３８Ｂ】様々な異なる電流を使用してコイルを加熱する間に、ニクロタルコイルの衝突面を使用してサンプルを分析する際に検出されたイオン信号を示す図である。
【図３８Ｃ】様々な異なる電流を使用してコイルを加熱する間に、別のコイルの衝突面を使用してサンプルを分析する際に検出されたイオン信号を示す図である。
【図３９】衝突アセンブリが、その中に開口を有する実質的に円球ボール内に覆われたＫａｔｈａｌコイルを備える、別の実施形態を示す図である。
【図４０Ａ】衝突面がコイルの内面である、別の実施形態を示す図である。
【図４０Ｂ】コイルに対するサンプル毛細管出口の様々な異なる場所に対して、図４０Ａの衝突アセンブリを使用して測定されたイオン信号を示す図である。
【図４０Ｃ】コイルに対するサンプル毛細管出口の様々な異なる場所に対して図４０Ａの衝突アセンブリを使用して獲得されたスペクトルの詳細を示す図である。
【図４０Ｄ】コイルに対するサンプル毛細管出口の様々な異なる場所に対して図４０Ａの衝突アセンブリを使用して獲得されたスペクトルの詳細を示す図である。
【図４０Ｅ】コイルに対するサンプル毛細管出口の様々な異なる場所に対して図４０Ａの衝突アセンブリを使用して獲得されたスペクトルの詳細を示す図である。
【図４０Ｆ】コイルに対するサンプル毛細管出口の様々な異なる場所に対して図４０Ａの衝突アセンブリを使用して獲得されたスペクトルの詳細を示す図である。
【図４０Ｇ】コイルに対するサンプル毛細管出口の様々な異なる場所に対して図４０Ａの衝突アセンブリを使用して獲得されたスペクトルの詳細を示す図である。
【図４０Ｈ】コイルに対するサンプル毛細管出口の様々な異なる場所に対して図４０Ａの衝突アセンブリを使用して獲得されたスペクトルの詳細を示す図である。
【図４０Ｉ】コイルに対するサンプル毛細管出口の様々な異なる場所に対して図４０Ａの衝突アセンブリを使用して獲得されたスペクトルの詳細を示す図である。
【図４０Ｊ】コイルに対するサンプル毛細管出口の様々な異なる場所に対して図４０Ａの衝突アセンブリを使用して獲得されたスペクトルの詳細を示す図である。
【図４０Ｋ】コイルに対するサンプル毛細管出口の様々な異なる場所に対して図４０Ａの衝突アセンブリを使用して獲得されたスペクトルの詳細を示す図である。
【図４０Ｌ】コイルに対するサンプル毛細管出口の様々な異なる場所に対して図４０Ａの衝突アセンブリを使用して獲得されたスペクトルの詳細を示す図である。
【図４０Ｍ】コイルに対するサンプル毛細管出口の様々な異なる場所に対して図４０Ａの衝突アセンブリを使用して獲得されたスペクトルの詳細を示す図である。
【図４１Ａ】異なる加熱コイル電流に対して、図４０Ａの実施形態を使用して獲得された総イオン電流を示す図である。
【図４１Ｂ】図４１Ａにおいて、それぞれのコイル電流で獲得されたスペクトルを示す図である。
【図４１Ｃ】図４１Ａにおいて、それぞれのコイル電流で獲得されたスペクトルを示す図である。
【図４１Ｄ】図４１Ａにおいて、それぞれのコイル電流で獲得されたスペクトルを示す図である。
【図４１Ｅ】図４１Ａにおいて、それぞれのコイル電流で獲得されたスペクトルを示す図である。
【図４１Ｆ】図４１Ａにおいて、それぞれのコイル電流で獲得されたスペクトルを示す図である。
【図４１Ｇ】図４１Ａにおいて、それぞれのコイル電流で獲得されたスペクトルを示す図である。
【図４１Ｈ】図４１Ａにおいて、それぞれのコイル電流で獲得されたスペクトルを示す図である。
【図４１Ｉ】図４１Ａにおいて、それぞれのコイル電流で獲得されたスペクトルを示す図である。
【図４１Ｊ】図４１Ａにおいて、それぞれのコイル電流で獲得されたスペクトルを示す図である。
【図４１Ｋ】図４１Ａにおいて、それぞれのコイル電流で獲得されたスペクトルを示す図である。
【図４１Ｌ】図４１Ａにおいて、それぞれのコイル電流で獲得されたスペクトルを示す図である。
【図４１Ｍ】図４１Ａにおいて、それぞれのコイル電流で獲得されたスペクトルを示す図である。
【図４２Ａ】コイルに対するサンプル毛細管出口の様々な異なる場所に対して別の衝突コイルを使用して測定されたイオン信号を示す図である。
【図４２Ｂ】様々な異なる場所に対して衝突アセンブリを使用して獲得されたスペクトルの詳細を示す図である。
【図４２Ｃ】様々な異なる場所に対して衝突アセンブリを使用して獲得されたスペクトルの詳細を示す図である。
【図４２Ｄ】様々な異なる場所に対して衝突アセンブリを使用して獲得されたスペクトルの詳細を示す図である。
【図４２Ｅ】様々な異なる場所に対して衝突アセンブリを使用して獲得されたスペクトルの詳細を示す図である。
【図４２Ｆ】様々な異なる場所に対して衝突アセンブリを使用して獲得されたスペクトルの詳細を示す図である。
【図４２Ｇ】様々な異なる場所に対して衝突アセンブリを使用して獲得されたスペクトルの詳細を示す図である。
【図４２Ｈ】異なる加熱コイル電流に対して獲得された総イオン電流を示す図である。
【図４２Ｉ】図４２Ｈにおいてそれぞれのコイル電流で獲得されたスペクトルを示す図である。
【図４２Ｊ】図４２Ｈにおいてそれぞれのコイル電流で獲得されたスペクトルを示す図である。
【図４２Ｋ】図４２Ｈにおいてそれぞれのコイル電流で獲得されたスペクトルを示す図である。
【図４２Ｌ】図４２Ｈにおいてそれぞれのコイル電流で獲得されたスペクトルを示す図である。
【図４２Ｍ】図４２Ｈにおいてそれぞれのコイル電流で獲得されたスペクトルを示す図である。
【図４２Ｎ】図４２Ｈにおいてそれぞれのコイル電流で獲得されたスペクトルを示す図である。
【図４２Ｏ】図４２Ｈにおいてそれぞれのコイル電流で獲得されたスペクトルを示す図である。
【図４３Ａ】コイルに対するサンプル毛細管出口の様々な異なる場所に対して、別の衝突コイルを使用して測定されたイオン信号を示す図である。
【図４３Ｂ】様々な異なる場所に対して獲得されたスペクトルの詳細を示す図である。
【図４３Ｃ】様々な異なる場所に対して獲得されたスペクトルの詳細を示す図である。
【図４３Ｄ】様々な異なる場所に対して獲得されたスペクトルの詳細を示す図である。
【図４３Ｅ】様々な異なる場所に対して獲得されたスペクトルの詳細を示す図である。
【図４３Ｆ】様々な異なる場所に対して獲得されたスペクトルの詳細を示す図である。
【図４３Ｇ】異なる加熱コイル電流に対して獲得された総イオン電流を示す図である。
【図４３Ｈ】図４３Ｈにおいてそれぞれのコイル電流で獲得されたスペクトルを示す図である。
【図４３Ｉ】図４３Ｈにおいてそれぞれのコイル電流で獲得されたスペクトルを示す図である。
【図４３Ｊ】図４３Ｈにおいてそれぞれのコイル電流で獲得されたスペクトルを示す図である。
【図４３Ｋ】図４３Ｈにおいてそれぞれのコイル電流で獲得されたスペクトルを示す図である。
【図４３Ｌ】図４３Ｈにおいてそれぞれのコイル電流で獲得されたスペクトルを示す図である。
【図４４Ａ】衝突面に対する毛細管出口の様々な異なる場所に対して、サンプル毛細管出口と同軸に配置された管状の衝突面を使用して測定されたイオン信号を示す図である。
【図４４Ｂ】衝突アセンブリを使用して異なる質量範囲に亘るスペクトルの詳細を示す図である。
【図４４Ｃ】衝突アセンブリを使用して異なる質量範囲に亘るスペクトルの詳細を示す図である。
【図４４Ｄ】異なる加熱コイル電流に対して獲得された総イオン電流を示す図である。
【図４５Ａ】衝突面に対する毛細管出口の様々な異なる場所に対して、サンプル毛細管出口と同軸に配置された別の管状の衝突面を使用して測定されたイオン信号を示す図である。
【図４５Ｂ】衝突アセンブリを使用して獲得されたフルスペクトルを示す図である。
【図４５Ｃ】図４５Ｂにおけるスペクトルの一部の詳細を示す図である。
【図４５Ｄ】異なる加熱コイル電流に対して獲得された総イオン電流を示す図である。
【図４６Ａ】衝突面に対するサンプル毛細管出口の様々な異なる場所に対して、毛細管出口と同軸に配置された別の管状の衝突面を使用して測定されたイオン信号を示す図である。
【図４６Ｂ】衝突アセンブリを使用して獲得されたフルスペクトルを示す図である。
【図４６Ｃ】図４６Ｂにおけるスペクトルの一部の詳細を示す図である。
【図４６Ｄ】異なる加熱コイル電流に対して獲得された総イオン電流を示す図である。
【図４７Ａ】衝突面に対する毛細管出口の様々な異なる場所に対して、サンプル毛細管出口と同軸に配置された円錐状の衝突面を使用して測定されたイオン信号を示す図である。
【図４７Ｂ】衝突アセンブリを使用して獲得されたフルスペクトルを示す図である。
【図４７Ｃ】図４７Ｂにおけるスペクトルの一部の詳細を示す図である。
【図４７Ｄ】異なる加熱コイル電流に対して獲得された総イオン電流を示す図である。
【図４８】様々な実施形態による分類モデルを構築することを含む、分析方法を示す図である。
【図４９】公知の基準サンプルの２つのクラスから獲得された、１組の基準サンプルスペクトルを示す図である。
【図５０】強度軸によって画定された三次元を有する多変量空間を示す図であり、多変量空間は複数の基準点を備え、各基準点は標準サンプルスペクトルから引き出した１組の３つのピーク強度値に対応する。
【図５１】累積分散とＰＣＡモデルの成分数との間の一般的関係を示す図である。
【図５２】主成分軸によって画定された二次元を有するＰＣＡ空間を示す図であり、ＰＣＡ空間は複数の変換された基準点またはスコアを含み、それぞれの変換された基準点またはスコアは図５０の基準点に対応する。
【図５３】一次元または軸を有するＰＣＡ−ＬＤＡ空間を示す図であり、ＬＤＡは図５２のＰＣＡ空間に基づいて実行され、ＰＣＡ−ＬＤＡ空間は複数のさらに変換された基準点またはクラススコアを含み、それぞれのさらに変換された基準点またはクラススコアは図５２の変換された基準点またはスコアに対応する。
【図５４】様々な実施形態による分類モデルを使用することを含む、分析方法を示す図である。
【図５５】未知のサンプルから獲得されたサンプルスペクトルを示す図である。
【図５６】図５３のＰＣＡ−ＬＤＡ空間を示す図であり、ＰＣＡ−ＬＤＡ空間は、図５５のサンプルスペクトルのピーク強度値から引き出したＰＣＡ−ＬＤＡの投影されたサンプル点をさらに備える。
【図５７】様々な実施形態による分類ライブラリを構築することを含む、分析方法を示す図である。
【図５８】様々な実施形態による分類ライブラリを使用することを含む、分析方法を示す図である。
【発明を実施するための形態】
【０４２１】
次に周囲イオン化イオン源を使用して標的（例えば体内の組織）の１つまたは複数の領域からエアロゾル、手術煙、または蒸気を発生することに概して関する、様々な実施形態についてより詳細に以下に説明する。
【０４２２】
エアロゾル、手術煙、または蒸気は、次いで質量および／またはイオン移動度質量分析計の真空チャンバの中に吸引され、衝突面に激突することにより、エアロゾル、煙、または蒸気が激突イオン化によってイオン化され、検体イオンの発生を引き起こす。
【０４２３】
得られる検体イオン（または検体イオンから引き出された破片もしくは生成イオン）は、次いで質量および／またはイオン移動度を分析され、得られる質量および／またはイオン移動度分析データは、次いでリアルタイムで標的の１つまたは複数の特性を決定するために、多変量解析を受けてもよい。
【０４２４】
例えば多変量解析は、現在切除されている組織の一部が癌であるか否かに関して判定することができることがある。
【０４２５】
周囲イオン化イオン源
様々な実施形態によれば、デバイスは、標的（例えば体内の組織）の１つまたは複数の領域からエアロゾル、煙、または蒸気を発生させるために使用される。デバイスは、例えば自然のまたは未修正の標的から検体のエアロゾル、煙、または蒸気を発生する機能によって特徴付けられる、周囲イオン化イオン源を備えてもよい。エアロゾル、煙、または蒸気は、次いでマトリクスと混合され、質量および／またはイオン移動度分析計の真空チャンバの中に吸引されてもよい。混合物は、衝突面に激突されることにより、エアロゾル、煙、または蒸気が激突イオン化によってイオン化され、検体イオンの発生を引き起こす。得られる検体イオン（または検体イオンから引き出された破片もしくは生成イオン）は、次いで質量および／またはイオン移動度を分析されてもよく、得られる質量および／またはイオン移動度分析データは、例えばリアルタイムで標的の１つまたは複数の特性を決定するために、多変量解析または他の数理処理を受けてもよい。例えば多変量解析は、現在切除されている組織の一部が癌であるか否かに関して判定することができることがある。
【０４２６】
マトリクスまたは試薬を直接サンプルに加えることが必要であることにより、組織の分析を体内で実行することができなくなり、またより一般的に標的材料の迅速で単純な分析を提供することができなくなることが理解されよう。
【０４２７】
したがって逆に、周囲イオン化技法が特に好都合であるのは、第１に周囲イオン化技法は、マトリクスまたは試薬を追加する必要がなく（またそれゆえ体内の組織の分析に適する）、第２に周囲イオン化技法は、標的材料の迅速で単純な分析を実行することができるからである。例えばマトリクス支援レーザー脱離イオン化（「ＭＡＬＤＩ」）イオン源などの他の型のイオン化イオン源は、イオン化する前にマトリクスまたは試薬をサンプルに加える必要がある。
【０４２８】
多数の異なる周囲イオン化技法が公知であり、本発明の範囲内に収まることが意図される。歴史的記録として、脱離エレクトロスプレーイオン化（「ＤＥＳＩ」）が開発された最初の周囲イオン化技法であり、２００４年に開示された。２００４年以来、多数の他の周囲イオン化技法が開発されてきた。これらの周囲イオン化技法はそれらの厳密なイオン化方法において異なるが、それらの技法は自然の（すなわち未処理のまたは未修正の）サンプルから直接気相イオンを発生する能力と同じ一般能力を共有する。本発明の範囲内に収まることが意図される様々な周囲イオン化技法の特別な利点は、様々な周囲イオン化技法がいかなる事前のサンプルの調合も必要としないことである。その結果、様々な周囲イオン化技法は、体内の組織および体外の組織サンプルのどちらも、マトリクスまたは試薬を組織サンプルまたは他の標的材料に追加する時間および出費を必要とすることなく、分析することができる。
【０４２９】
本発明の範囲内に収まることが意図される周囲イオン化技法の一覧が、以下の表に提供されている。
【０４３０】
【表１】
2018508964.tif 000003
2018508964.tif 000004
2018508964.tif 000005
【０４３１】
一実施形態によれば、周囲イオン化イオン源は、急速蒸発イオン化質量分析（「ＲＥＩＭＳ」）イオン源を含んでもよく、ジュール熱によりエアロゾルまたは手術煙の噴煙を発生させるために、１つまたは複数の電極に電圧が印加される。
【０４３２】
しかし上に言及されたものを含む他の周囲イオン源も利用してよいことが理解されよう。例えば別の実施形態によれば、周囲イオン化イオン源は、レーザーアブレーションイオン源を備えてもよい。一実施形態によれば、レーザーイオン化イオン源は、中赤外レーザーイオン化イオン源を備えてもよい。例えば吸水スペクトル内のピークと対応する、２．９４μｍまたはその付近に放射線を放出する、いくつかのレーザーが存在する。様々な実施形態によれば、周囲イオン化イオン源は、２．９４μｍで水の高い吸水係数に基づいて２．９４μｍに近い波長を有する、レーザーアブレーションイオン源を備えてもよい。一実施形態によれば、レーザーアブレーションイオン源は、２．９４μｍで放射線を放出するＥｒ：ＹＡＧレーザーを備えてもよい。
【０４３３】
他の実施形態は、中赤外光パラメトリック発振器（「ＯＰＯ」）を使用して、２．９４μｍより長い波長を有するレーザーアブレーションイオン源を生成してもよいことが企図される。例えばＥｒ：ＹＡＧでポンピングされるＺＧＰ−ＯＰＯを使用して、例えば６．１μｍ、６．４５μｍ、または６．７３μｍの波長を有するレーザー照射線を生成してもよい。一部の状況では、表層のみが切断され、熱損傷を生じることが少ないので、２．９４μｍより短い、または長い波長を有するレーザーアブレーションイオン源を使用することが有利であることがある。一実施形態によれば、Ｃｏ：ＭｇＦ２レーザーをレーザーアブレーションイオン源として使用してもよく、レーザーは１．７５〜２．５μｍに調整されてもよい。別の実施形態によれば、Ｎｄ：ＹＡＧレーザーによってポンピングされた光パラメトリック発振器（「ＯＰＯ」）システムを使用して、２．９〜３．１μｍの波長を有するレーザーアブレーションイオン源を生成してもよい。別の実施形態によれば、１０．６μｍの波長を有するＣＯ２レーザーを使用して、エアロゾル、煙、または蒸気を発生してもよい。
【０４３４】
レーザーイオン化イオン源は、水の高い吸収係数に近くない波長、すなわち水と共鳴しない波長で放射線を放出してもよい。このようなレーザーは、分析のために標的から煙、エアロゾル、または蒸気を依然として発生させることがあるが、水と共鳴するレーザー波長より標的に損傷を与えることが少ないことがある。例えば共鳴しないレーザーは、標的の表層（複数可）を除去するのみであることがある。
【０４３５】
他の実施形態によれば、周囲イオン化イオン源は、超音波アブレーションイオン源、またはハイブリッド電気手術、すなわち超音波アブレーション源を備えてもよく、超音波アブレーション源は液体サンプルを生成し、液体サンプルは次いでエアロゾルとして吸引される。超音波アブレーションイオン源は、集中または非集中超音波を備えてもよい。
【０４３６】
一実施形態によれば、標的の１つまたは複数の領域からエアロゾル、煙、または蒸気を発生するための第１のデバイスは、連続したＲＦ波形などの直流電圧を利用する用具を備えてもよい。他の実施形態によれば、パルスプラズマＲＦエネルギーを器具に供給するように配置された、無線周波数の組織解剖システムを使用してもよい。用具は、例えばＰｌａｓｍａＢｌａｄｅ（登録商標）を備えてもよい。パルスプラズマＲＦ用具は、従来の電気手術用具より低い温度（例えば４０〜１７０℃に対して２００〜３５０℃）で作動し、それによって熱傷の深さが低減する。パルス波形およびデューティサイクルは、薄い絶縁体電極の刃先（複数可）に沿って電気プラズマを誘起することにより、切断および作動の凝固モードの両方に使用されてもよい。一実施形態によれば、第１のデバイスは、切除デバイス、本明細書のあらゆる他のデバイスと合成したこのようなデバイス、電気手術アルゴンプラズマ凝固デバイス、ハイブリッドアルゴンプラズマ凝固および水／生理食塩水ジェットデバイスなどの、手術水／生理食塩水ジェットデバイスを備える。
【０４３７】
他の実施形態は、標的からエアロゾル、煙、または蒸気を発生するための第１のデバイスが、アルゴンプラズマ凝固（「ＡＰＣ」）デバイスを備えてもよいことが企図される。アルゴンプラズマ凝固デバイスは、プローブを通って方向付けられるイオン化アルゴンガス（プラズマ）のジェットを使用するものである。プローブは内視鏡を通過してもよい。アルゴンプラズマ凝固は、プローブが標的から少し離れて置かれるので基本的に非接触工程である。アルゴンガスはプローブから放出され、次いで高圧放電（例えば６ｋＶ）でイオン化される。次いで高周波電流が気体のジェットを通して伝えられ、ジェットの他端に標的の凝固がもたらされる。凝固の深さは通常数ミリメートルに過ぎない。
【０４３８】
第１のデバイス、手術もしくは電気手術用具、本明細書のあらゆる態様あるいは実施形態に開示されたデバイスまたはプローブまたは他のサンプリングデバイスもしくはプローブは、１つまたは複数の水力手術デバイス、手術水ジェットデバイス、アルゴンプラズマ凝固デバイス、ハイブリッドアルゴンプラズマ凝固デバイス、水ジェットデバイス、およびレーザーデバイスなどの非接触手術デバイスを備えてもよい。
【０４３９】
非接触手術デバイスは、組織に物理的に接触することなく、切断する、砕く、液化する、吸引する、放電する、または別法として生物組織を破壊するように配置され適合された手術デバイスと定義されてもよい。例には、レーザーデバイス、水力手術デバイス、アルゴンプラズマ凝固デバイス、およびハイブリッドアルゴンプラズマ凝固デバイスが含まれる。
【０４４０】
非接触デバイスは組織と物理的に接触しなくてもよいので、治療は比較的安全であると見られることがあり、皮膚または脂肪などの細胞間の接着が低い繊細な組織を処置するために使用できる。
【０４４１】
急速蒸発イオン化質量分析（「ＲＥＩＭＳ」）
図１は、急速蒸発イオン化質量分析（「ＲＥＩＭＳ」）の方法を示し、双極鉗子１を患者３の体内の組織２と接触させてもよい。図１に示された例では、双極鉗子１を、患者の脳における外科手術の課程の間に患者３の脳組織２と接触させてもよい。直流電圧発生器４から直流電圧を双極鉗子１に印加してもよく、双極鉗子１は組織２のジュール熱またはジアテルミー熱を局所化させる。結果として、エアロゾルまたは手術煙５が発生する。エアロゾルまたは手術煙５は、次いで捕捉され、または別法として双極鉗子１の洗浄ポートを通って吸引されてもよい。したがって双極鉗子１の洗浄ポートは、吸引ポートとして再利用される。次いでエアロゾルまたは手術煙５を、双極鉗子１の洗浄（吸引）ポートから管６（例えば１／８インチすなわち３．２ｍｍの直径のテフロン（Ｔｅｆｌｏｎ）（登録商標）管）に通過させてもよい。管６は、エアロゾルまたは手術煙５を質量分析計８の大気圧インターフェース７に移送するように配置される。
【０４４２】
様々な実施形態によれば、イソプラパノールなどの有機溶媒を備えるマトリクスは、大気圧インターフェース７でエアロゾルまたは手術煙５に追加されてもよい。次いでエアゾル３と有機溶媒の混合物は、質量分析計８の真空チャンバ内で衝突面に激突するように配置されてもよい。一実施形態によれば、衝突面は加熱されてもよい。エアロゾルは衝突面に激突するときにイオン化され、検体イオンの発生をもたらす。検体イオンを発生するイオン化効率は、有機溶媒の追加によって向上されることがある。しかし有機溶媒の追加は必須ではない。
【０４４３】
エアゾル、煙、または蒸気５を衝突面に激突させることにより発生する検体イオンは、次いで質量分析計の次の段階に通過され、質量分析器内で質量分析を受ける。質量分析器は、例えば四重極質量分析器または飛行時間型質量分析器を備えてもよい。
【０４４４】
図２は、例えば標的から発生されたエアロゾル、手術煙、または蒸気を分析するために使用してもよい、一実施形態の概略図を示す。デバイスは、流入口２０６、真空領域２０８、固体の衝突面２０９、および真空領域２０８内に配置されたＳｔｅｐｗａｖｅ（登録商標）イオンガイドなどのイオン光学２１２を有する、イオン分析器または質量分析計２０７を備えてもよい。またデバイスは、サンプル移送管２０２およびマトリクス導管２０３も含んでもよい。サンプル移送管２０２は、調査されるサンプルからエアロゾルサンプル２０１（これは図１に関して説明された手術煙、蒸気、またはエアロゾルに対応してもよい）を受領するための流入口、およびイオン分析器２０７の流入口２０６に連結された流出口を有する。マトリクス導管２０３は、マトリクス化合物を受領するための流入口、およびマトリクス２０４がサンプル移送管２０２内でエアロゾルサンプル２０１と相互混合できるようにサンプル移送管２０２と交差する流出口を有する。
【０４４５】
次に図２のデバイスの操作方法について説明する。生物サンプルなどのサンプルは、ＲＥＩＭＳ技法を受ける。例えばジアテルミーデバイスを使用して、例えば図１に関して上に説明したように、エアロゾルを形成するようにサンプルから生物組織を蒸発させてもよい。次いでエアロゾル粒子２０１は、サンプル移送管２０２の流入口の中に導入される。マトリクス化合物２０４は、マトリクス導管２０３の流入口の中に導入される。エアロゾル粒子２０１およびマトリクス化合物２０４は、管２０２、２０３に流入口より低圧である真空チャンバ２０８によってもたらされる圧力差により、イオン分析器２０７の流入口２０６に向かって引き寄せられる。エアロゾル粒子２０１は、サンプル移送管２０２がマトリクス導管２０３と交差する領域の中、およびサンプル移送管２０２がマトリクス導管２０３と交差する領域の下流でマトリクス化合物２０４の分子に遭遇してもよい。エアロゾル粒子２０１は、エアロゾルサンプル２０１およびマトリクス化合物２０４の両方の分子成分が存在する、マトリクス分子２０５を含有するエアロゾル粒子を形成するように、マトリクス２０４と相互混合する。マトリクス分子２０４は、エアロゾルサンプル２０１の分子成分に比べて過剰であってもよい。
【０４４６】
粒子２０５はサンプル移送管２０２から出て、イオン分析器２０７の流入口２０６に入ってもよい。次いで粒子２０５は低減した圧力領域２０８の中に入り、サンプル移送管２０２から真空領域２０８に入る気体の断熱膨張に起因して、また関連した自由噴流形成に起因して、実質的な線速度を取得する。加速された粒子２０５は固体の衝突面２０９に激突してもよく、激突事象により粒子２０５を砕き、最終的にエアロゾルサンプル２０１の分子成分の気相イオン２１０の形成およびマトリクス分子２１１の形成をもたらす。固体の衝突面２０９は制御され、周辺温度より実質的に高い温度に維持されてもよい。
【０４４７】
マトリクス２０４は、検体２０１がマトリクス２０４によって溶解するように検体２０１のための溶媒を含み、それによって検体分子２０１の間の分子内の接着を除去する。したがって溶解された検体２０５が次いで衝突面２０９と衝突すると、溶解された検体２０５は液滴に砕け、あらゆる所与の液滴は、マトリクスが存在していなかったら含有していたはずである検体分子より少ない検体分子を含有する傾向がある。これにより、次に各液滴内のマトリクスが蒸発すると、検体イオン２１０の発生がより効率的になる。マトリクスは、有機溶媒および／または揮発性化合物を含んでもよい。マトリクスは、極性分子、水、１つまたは複数のアルコール、メタノール、エタノール、イソプラパノール、アセトン、またはアセトニトリルを含んでもよい。イソプラパノールは特に興味深い。
【０４４８】
マトリクス分子２１１は真空内に自由に拡散してもよい。逆にエアロゾルサンプル２０１の分子成分の気相イオン２１０は、イオン光学２１２によりイオン分析器２０７の分析領域（図示せず）に移送されてもよい。イオン２１０は、電圧をイオン光学２１２に印加することにより分析領域に案内されてもよい。次いでイオンはイオン分析器２０７によって分析されてもよく、イオン分析器２０７は、質量分析計もしくはイオン移動度分析計、またはその２つの組合せを備えてもよい。分析の結果として、サンプル２０１についての化学情報が獲得されることがある。
【０４４９】
図２は、流入口２０６と同軸のサンプル移送管２０２を示すが、別法としてマトリクス導管２０３が流入口２０６と同軸であってもよく、サンプル移送管２０２が流入口２０６と直交してもよいことが企図される。図３は、図２に関して示され説明された実施形態と実質的に同様の実施形態の概略図を示す。但しサンプル２０１は流体／液体移送ポンプまたはベンチュリポンプ２４０によって送達され、マトリクス２０４は液体の形で送達されてもよい。これによりマトリクス化合物２０４を、イオン分析器２０７の中に導入する前に水蒸気として、または液体としてエアロゾル２０１の中に混合することができる。
【０４５０】
ベンチュリポンプ２４０は流入管２４２を備えてもよく、流入管２４２はデバイスまたはプローブ（例えばＲＥＩＭＳデバイスまたは本明細書に説明されたようなプローブ）に連結されてもよく、エアロゾル粒子または液体をサンプル（例えば生物組織）からベンチュリポンプ２４０に移送するように構成されてもよい。
【０４５１】
ベンチュリポンプ２４０は気体流入口２４４を備えてもよく、気体流入口２４４は、気体（例えば窒素または標準医療用空気）をエアロゾル粒子２０１または流入管２４２によりベンチュリポンプ２４０に移送される液体の流路の中に導入されるように配置され適合されてもよい。したがってベンチュリポンプ２４０は、エアロゾル粒子２０１または別法として検体を含有する他の気体サンプルの吸引を促進してもよい。またベンチュリポンプ２４０は、ベンチュリガスが分析計２０７の真空チャンバ２０８の中に方向付けられないように、ベンチュリガスをシステムから排出するための排出部２４６を備えてもよい。
【０４５２】
ベンチュリポンプ２４０は、サンプル移送部または毛細管２０２を備えてもよく、サンプル移送部または毛細管２０２は、ベンチュリポンプ２４０によって生成されたサンプルと気体の混合物を接点２４８に方向付けるように配置され適合されてもよい。マトリクス導管２０３はマトリクス化合物２０４を接点２４８の中に導入し、マトリクス化合物２０４の流れを流入管２０６に方向付けるように配置され適合される。
【０４５３】
エアロゾル粒子２０１およびマトリクス２０４は、接点２４８で内部混合してもよく、得られるエアロゾル粒子２０５は、真空チャンバ２０８から呼気により流入管２０６の中に運ばれてもよい。より大きいエアロゾル粒子２０１は重過ぎるので流入管２０６の中に運ばれないことがあり、接点２４８を通過し排出部２４６を介して装置から出ることがある。
【０４５４】
図３では連続しているように示されているが、サンプル移送部２０２は、接点２４８および流入管２０６から分離した構成要素であってもよい。接点２４８は、個別のサンプル移送部２０２を連結するための連結具または連結部（図示せず）を備えてもよい。接点２４８とサンプル移送部２０６との間の連結は流体で封止されてもよく、かつ／またはリングクランプを備えてもよい。
【０４５５】
上に説明したように、重要な態様は元の検体エアロゾル成分２０１およびマトリクス化合物２０４を含有する分子クラスタ２０５の形成に続いて、これらのクラスタ２０５の表面誘起解離である。
【０４５６】
マトリクスを使用する恩恵は、図４Ａおよび図４Ｂから見ることができる。
【０４５７】
図４は、サンプルがＲＥＩＭＳ技法を受けることによって獲得された質量スペクトルを示す。このＲＥＩＭＳ技法で、エアロゾルが標的から発生し、エアロゾルは加熱した衝突面と衝突し、そこから発生した得られたイオンが質量分析された。図４Ｂの質量スペクトルは、同じサンプルが同じ分析技法を受けることによって獲得された。但しエアロゾルは、衝突面に衝突する前にマトリクス（イソプラパノール）と混合され、次いで質量分析された。マトリクスの使用は検出されたイオン強度を実質的に高めたことが、図４Ａおよび図４Ｂの２つの質量スペクトルから見ることができる。
【０４５８】
図５Ａは、検体エアロゾルおよびマトリクスを質量分析計の中に導入するための質量分析計インターフェースの別の実施形態を示す。この器具はベンチュリポンプ５０１を備える。ベンチュリポンプ５０１は管５０２を備え、管５０２は、デバイスまたはプローブ（例えば本明細書に説明されたようなＲＥＩＭＳデバイスまたはプローブ）に連結されてもよく、エアロゾル粒子をサンプル（例えば生物組織）からベンチュリポンプ５０１に移送するように構成されてもよい。ベンチュリポンプ５０１は気体流入口５０３を備えてもよく、気体流入口５０３は、気体（例えばベンチュリガス）を管５０２によりベンチュリポンプ５０１の中に移送されるエアロゾル粒子の流路の中に導入するように配置され適合されてもよい。ベンチュリポンプ５０１は、拡大されたサンプル移送管５０４を備えてもよく、サンプル移送管５０４は、サンプルと気体の混合物を管５０２からサンプル移送管５０４の流出口端部５０６を介してサンプリングデバイス５１０上に移送するように配置され適合されてもよい。
【０４５９】
サンプリングデバイス５１０は、中空管またはホイッスル５１２、マトリクス導管５３０、および流入管５４０を広く備えてもよい。マトリクス導管５３０は、マトリクス導管５３０内のチャネル５３４（図５Ｂ）を通ってマトリクスを液体または気体の形で導入するように配置され適合されてもよい。マトリクスはホイッスル５１２内に配置されまたは置かれた端部５３４を通ってマトリクス導管５３０から離れ、マトリクスは流入管５４０の中に引き寄せられる気体によって噴霧されてもよい。マトリクスの噴霧化の品質は、以下により詳細に説明されるように、サンプリングデバイス５１０の様々な部分の間の寸法および／または相対距離によって制御され影響されてもよい。
【０４６０】
流入管５４０はイオン分析器または質量分析計に繋がり、サンプルと気体とマトリクスの混合物が、ホイッスル５１２内に配置され、または置かれた流入管５４０の端部５４２を通過し、イオン分析器または質量分析計に移送される通路５４４を通過するように配置され適合されてもよい。これらの配置において、衝突面２０９は流入管５４０の下流に配置される。
【０４６１】
図５Ｃは、（その中にマトリクス導管５３０がない）サンプリングデバイス５１０の近接図を示す。
【０４６２】
ホイッスル１２は、サンプル移送管５０４の流出口端部５０６に面するように配置されてもよい第１の側面５２２、およびサンプル移送管５０４の流出口端部５０６から恣意的に逸れる第２の反対側面５２４を恣意的に有する、中空管の形で提供されてもよい。
【０４６３】
ホイッスル５１２は第１の端部５１８を備えてもよく、第１の端部５１８は、流入管５４０を中心に同軸に配置されてもよく、それと封止係合されてもよい。ホイッスル５１２は、第２の端部５２０を備えてもよく、第２の端部５２０は、マトリクス導管５３０を中心に同軸に配置されてもよく、それと封止係合されてもよい。
【０４６４】
窪み、開口、または切欠き５１４が、ホイッスル５１２の第２の側面５２４上に提供されてもよく、切欠き５１４は、サンプル移送管５０４の流出口端部５０６からホイッスル５１２を通って流れるサンプルと気体の混合物が、ホイッスル５１２の内部に移送され得るように流入口を形成してもよい。
【０４６５】
サンプル移送管５０４の流出口端部５０６から出るサンプルと気体の混合物は、ホイッスル５１２の第１の側面５２２に衝突し、次いで外側面の周囲を移送され、切欠き５１４の中に入ってもよい。サンプルと気体の混合物が一旦ホイッスル５１２の内部に入ると、サンプルと気体の混合物が恣意的に流入管５４０の端部５４２を通って流入管５４０の中に移送される前に、サンプルと気体の混合物は、マトリクス導管５３０から出現する霧状のマトリクスと混合されてもよい。サンプルと気体とマトリクスの混合物は、次いで通路５４４を介してイオン分析器または質量分析計に移送されてもよい。
【０４６６】
切欠き５１４をホイッスル５１２の第２の側面５２４上に位置付けることは、サンプルと気体の混合物の最初の激突が、質量分析計の真空に直接曝されない表面上であることを意味する。したがって様々な実施形態では、サンプリングデバイス５１０は、サンプルと気体の混合物の最初の激突が、質量分析計の真空に直接曝されない表面上であるように配置され適合される。
【０４６７】
切欠き５１４は、ホイッスル５１２が（例えば図５Ａおよび図５Ｂに示されたように）断面内に見られるときに実質的に半円輪郭を有してもよい。これは、ホイッスル５１２の第２の側面５２４に面する方向から見ると、切欠き５１４の縁部５１７は長円形であることを意味する（図５Ｃ参照）。別法として、切欠き５１４は、ホイッスル５１２が断面において例えば正方形、三角形、または不規則な形状輪郭に見えるときは、異なる形状の輪郭を有することがある。切欠き５１４の縁部５１７も、ホイッスル５１２がホイッスル５１２の第２の側面５２４に面する方向から見たときに、正方形、三角形、または不規則であることがある（図５Ｃ参照）。
【０４６８】
ホイッスル５１２の位置および配向は、質量分析計の中に移送されるサンプルの量および質に影響を与えることができる。切欠き５１４は中心点５１６を備えてもよく、中心点５１６はサンプル移送管５０４の長手方向中心線５０８と一致してもよい。図５Ｃはホイッスル５１２（ホイッスル５１２は図５Ｃに切り離して示されている）の第２の側面５２４の図を示し、中心点５１６は長円形の中心点として見ることができる。
【０４６９】
ホイッスル５１２は、ホイッスル５１２の長手軸５２６が切欠き５１４の対称軸と一致して位置するように配向されてもよい。中心点５１６は、ホイッスル５１２の長手方向軸５２６および／または切欠き５１４の対称軸上に位置してもよい。切欠き５１４の対称軸は、長手方向の対称軸を備えてもよく、長手方向は長手方向軸５２６に沿った方向と定義されてもよい。
【０４７０】
またサンプリングデバイス５１０の様々な部分の位置も、質量分析計の中に移送されるサンプルの量および質に影響を与えることができる。
【０４７１】
次に図５Ｂを参照すると、距離ｘは、マトリクス導管５３０の端部５３２と流入管５４０の端部５４２との距離（例えば最短距離）と定義される。
【０４７２】
距離ｙは、切欠き５１４の中心点５１６と流入管５４０の端部５４２との距離（例えば最短距離）と定義される。
【０４７３】
距離ｚは、サンプル移送管５０４の流出口端部５０６とホイッスル５１２（例えばホイッスル５１２の第１の側面５２２）との距離（例えば最短距離）と定義される。
【０４７４】
マトリクス導管５３０の直径ａは、質量分析計によって検出されたスペクトルの質およびスペクトルのピーク強度に影響を与えることができ、またマトリクスがマトリクス導管５３０の端部から出る際に、（液体状態で送達される場合）マトリクスの噴霧化に影響を与えることもできる。
【０４７５】
流入管５４０の直径ｂおよびサンプル移送管５０４の直径ｃも、質量分析計によって検出されたスペクトルの質およびスペクトルのピーク強度に影響を与えることができる。流入管５４０の直径は、そこを通る最大流を提供するために調整されてもよく、これは真空チャンバの下流にポンピング系を受容することができる。
【０４７６】
直径ａ、ｂ、およびｃは、マトリクス導管５３０の端部５３２、流入管５４０の端部５４２、およびサンプル移送管５０４の流出口端部５０６のそれぞれの直径に対応してもよい。
【０４７７】
あらゆるまたはすべての直径ａ、ｂ、およびｃは、０．００５ｍｍ、０．０１０ｍｍ、０．０２５ｍｍ、０．０５０ｍｍ、０．０７５ｍｍ、０．１ｍｍ、０．２ｍｍ、０．４ｍｍ、０．６ｍｍ、０．８ｍｍ、１ｍｍ、１．２ｍｍ、１．４ｍｍ、１．６ｍｍ、１．８ｍｍ、２ｍｍ、２．２ｍｍ、２．４ｍｍ、２．６ｍｍ、２．８ｍｍ、３ｍｍ、３，２ｍｍ、３，４ｍｍ、３．６ｍｍ、３．８ｍｍ、４ｍｍ、４．２ｍｍ、４．４ｍｍ、４．６ｍｍ、４．８ｍｍ、または５ｍｍより長い、短い、または実質的に等しくてもよい。
【０４７８】
あらゆるまたはすべての直径／距離ａ、ｂ、ｃ、ｘ、ｙ、およびｚは、質量分光計の中に移送されるサンプルの量および質、および／または質量分析計によって獲得されたスペクトルの質を最適化するように変更されてもよい。
【０４７９】
マトリクス導管５３０の端部５３２および／または流入管５４０の端部５４２および／またはサンプル移送管５０４の流出端部５０６は、下流方向に小さい寸法になる先細であってもよい。本開示の態様は、サンプリングデバイス５１０および／または質量分析計と関連付けられた１つまたは複数のパラメータ（例えばイオン存在度、イオン信号強度、もしくは質量分析応答）を同定すること、ならびに１つまたは複数のパラメータが最適化される、最大化される、または最小化されるまで１つまたは複数の距離ａ、ｂ、ｃ、ｘ、ｙ、およびｚを変えることを含む、サンプリングデバイス５１０を最適化する方法に及んでもよい。
【０４８０】
ベンチュリポンプ５０１は、エアロゾル粒子をサンプル移送管５０４の中に導入するためのものであってもよい。サンプリングデバイス５１０は、エアロゾルをサンプリングするために提供されてもよい。マトリクス導管５３０は、マトリクス（イソプロパノールなど）をサンプリングデバイス５１０の中に導入するように配置されてもよく、流入管５４０は、エアロゾル粒子とマトリクスの混合物をイオン分析器または質量分析計に向かって前方に方向付けるように配置されてもよい。
【０４８１】
ベンチュリポンプ５０１は、エアロゾルまたは検体を含有する他の気体サンプルの吸引を促進してもよく、窒素または標準医療用空気によって駆動されてもよい。エアロゾルサンプリングは、図５Ａおよび図５Ｂから示されたようにベンチュリポンプ５０１の流出口端部５０６に直交して起きるように配置されてもよい。マトリクス導管５３０の流出口５３２は、流入管５４０からイオン分析器または質量分析計に距離ｘだけ離間されてもよい。距離ｘは、例えばリン脂質などの分析される範囲内で最適なイオン強度を達成するために必要に応じて修正されることが可能である。
【０４８２】
距離ｘの値を変えることにより、流入管５４０の中に引き寄せられる気体の速度を変えることができ、噴霧化条件に影響を与えることができる。噴霧化条件があまり好ましくない場合は、マトリクス液滴は検体エアロゾルと相互作用するための適正な大きさからならなくてもよく、かつ／またはエアロゾルが衝突面と衝突するときに効果的に砕けなくてもよい。
【０４８３】
マトリクスがイオン分析器への流入口の反対に、サンプル移送管の下流に導入されるように図５に説明されてきたが、マトリクスは別法としてサンプル移送管５０４の中に導入されてもよい。
【０４８４】
別法として、マトリクスは、イオン分析器に流入口と同軸に導入されてもよい。
【０４８５】
別法として、マトリクスは、移送管の周囲の場所で導入されてもよく、気体流によりイオン分析器の流入口に向かって、また流入口の中に一掃されてもよい。
【０４８６】
校正、ロックマスまたはロック移動度化合物は、イオン分析器を校正する、または基準質量をイオン分析器に提供するために、本明細書に説明された様々な技法に使用されてもよい。校正、ロックマス、またはロック移動度化合物は、マトリクス導管を介して、サンプル移送管を介して、または別の場所に導入されてもよい。
【０４８７】
流入口またはサンプル管および衝突面２０９または衝突アセンブリ２１５は、筐体内に装着されてもよく、これは以下にさらに説明されるように、質量分析器またはＲＥＩＭＳ源の筐体から取り除かれてもよい。
【０４８８】
図６Ａおよび図６Ｂは、取り外し可能な加熱された衝突面アセンブリ２１５および毛細管もしくはサンプル管２０６を備える、一実施形態の異なる角度からの概略的３Ｄ図を示す。ユニット全体は自己充足型であり、用具を使用することなく、また真空を破壊することなく、質量分析計の筐体から、またはＲＥＩＭＳ源筐体から取り除かれてもよい。ユニットは、サンプル管２０６をその一端で受領し、他端に配置された衝突面またはアセンブリ２１５を有する、本体２１４を備える。ユニット筐体２１４は、ＰＥＥＫから形成されてもよく、主加熱アセンブリを備えてもよい。サンプル管２０６は質量分析計２０７への流入口２０６に対応してもよく、衝突面アセンブリ２１５は、図２および図３に関連して説明された衝突面２０９を備えてもよい。サンプル管２０６は、エアロゾルを衝突面２０９に送達するために、ユニットを通って衝突面アセンブリ２１５に隣接した領域に走る。収縮可能な遮蔽２１７は、ユニットが質量分析計またはＲＥＩＭＳ源から取り除かれたときは、衝突面アセンブリ２１５を遮蔽し保護するために提供されてもよい。遮蔽２１７は、収縮した位置、すなわちユニットが質量分析計またはＲＥＩＭＳ源に挿入されたときに遮蔽２１７がある位置に示されている。しかしユニットが取り除かれたとき、遮蔽は、衝突面アセンブリ２１５を包囲し保護するように自動的に伸張してもよい。遮蔽２１７は金属であってもよく、以下にさらにより詳しく説明する。図６Ｂは衝突面アセンブリ２１５をより詳細に示し、衝突面アセンブリ２１５はセラミック容器２２９を備えるアセンブリによりユニット内に装着されてもよい。これについては以下にさらにより詳細に説明する。
【０４８９】
毛細管またはサンプル管２０６は、毛細管またはサンプル管２０６を筐体２１４から単に出すことによりユニット筐体２１４から取り除かれてもよい。また衝突面アセンブリ２１５はユニット筐体２１４から取り除くことができてもよく、用具を使用することなく速やかに交換されてもよい。次にこれらの機能が可能な構造について説明する。
【０４９０】
図７Ａおよび図７Ｂは、図６Ｂに示された取り外し可能なユニットを通る断面図を示す。ユニット筐体２１４は、流入毛細管２０６がユニット筐体２１４の第１の端部に挿入され、ユニット筐体２１４を通過し、流入毛細管２０６の出口端部が衝突面アセンブリ２１５に隣接して配置されるように、ユニット筐体２１４の対向する第２の端部から出ることができるように、その中心軸に沿った穴部２７１を備える。穴部２７１の一部はユニット筐体２１４の第１の端部で、固定した場所に毛細管２０６を固定させるように構成されてもよい。例えば穴部２７１の一部は第１の端部で、軸方向に固定された場所で毛細管２０６を保持するように毛細管２０６上にネジで螺合された連結具（図示せず）と係合するように構成されてもよい。
【０４９１】
毛細管２０６がユニット筐体２１４内に配置されていないときに、穴部２７１を封止することが望ましい。例えばユニットは、衝突面アセンブリ２１５を備えるユニットの第２の端部が、質量分析器２０７また質量分析計１０２の真空領域にあり、毛細管２０６を受領するユニットの第１の端部が高圧領域にあるように、質量分析器２０７または質量分析計１０２に連結されてもよい。このような配置では、ユニット筐体２１４から毛細管２０６を取り除くことによって、望ましくない気体流がユニット筐体２１４を通り、分析計の真空領域に入ることがある。したがってユニットは、毛細管またはサンプル管２０６が取り除かれると、自動的に作動できる（第１の）真空遮断機構を有してもよい。真空遮断機構はボール弁を備えてもよい。ボール弁は、遮断ボール２１６を備えてもよく、外気から質量分析計の真空チャンバを遮断するために閉じた穴部２７１を封止するように、毛細管２０６が穴部２７１内にないときに、遮断ボール２１６がユニット筐体２１４を通って穴部２７１の中に移動するように配置され構成されてもよい。遮断ボール２１６は、穴部２７１と相互連結された導管または凹部２７２内に提供されてもよく、ボール２１６は、重力、バネ、または何らなの他の機構により穴部２７１の中に移動するように付勢されてもよい。別法としてまたは追加として、ボール２１６は、質量分析計の真空圧力からの吸引により穴部２７１の中に付勢されてもよい。
【０４９２】
毛細管またはサンプル管２０６がユニットの中に挿入されると、弁は自動的に開いてもよい。例えば遮断弁は、毛細管またはサンプル管２０６の挿入により、遮断ボール２１６を押すか、または別法としてずらし、穴部２７１を開き、毛細管またはサンプル管２０６を正しい位置にさらに押し戻すことができるように構成されてもよい。
【０４９３】
図７Ｂは、毛細管またはサンプル管２０６、遮蔽２１７、衝突面アセンブリ２１５、およびボール２１６を備える真空遮断機構なしに、ユニット筐体２１４を通る断面図を示す。ユニット筐体２１４内の穴部２７１の寸法Ｙは、一旦毛細管またはサンプル管２０６が筐体２１４に挿入されると、次いで気体漏れは最小または実質的にゼロになるように、毛細管またはサンプル管２０６の外径と実質的に同様であってもよい。
【０４９４】
上に説明され、図７Ａに示されたように、衝突面アセンブリ２１５は、収縮可能な遮蔽２１７によって保護されてもよい。収縮可能な遮蔽２１７は、以下により詳細に説明する衝突面アセンブリ２１５に対して、比較的脆弱な支持機構および関連した電線を包囲し保護する伸張した位置に遮蔽２１７を付勢する、１つまたは複数のバネなどの付勢機構２７３によりユニット筐体２１４に装着されてもよい。ユニットがまず質量分析器もしくは分析計の主筐体と係合されるか、またはＲＥＩＭＳ源アセンブリ（図示せず）に挿入されると、収縮可能な遮蔽２１７は、自動的に図７Ａに示された位置まで完全に収縮され、それによって衝突面アセンブリ２１５が露出する。
【０４９５】
図８Ａおよび図８Ｂは、それぞれ遮蔽２１７が伸張した位置および収縮した位置にある、図６Ａ、図６Ｂ、図７Ａ、および図７Ｂの取り外し可能なユニットを示す。図８Ａでは、遮蔽２１７は、衝突面または衝突面アセンブリ２１５を完全に保護するように伸張している。図８Ｂでは、遮蔽２１７は、例えばユニットがＲＥＩＭＳ源アセンブリに１回挿入され、完全に収縮している。
【０４９６】
図９Ａおよび図９Ｂは、衝突アセンブリ２１５の斜視図および断面図を示す。衝突アセンブリ２１５は加熱された激突面２０９を備え、加熱された激突面２０９はアルミナ（セラミック）円筒部２２６から形成されてもよい。円筒部２２６は、使用時に円筒部２２６および衝突面を加熱するために加熱コイル２２７の周囲に装着されてもよい。コイル２２７に熱を発生させるように２つの電極２２８を介して加熱コイル２２７に電力が供給されてもよい。コイル２２７は、Ｋａｎｔｈａｌ（登録商標）などの材料から形成されてもよく、ほぼ１０Ｗ程度の電力が供給されてもよい。衝突面は作動中に７００〜１１００℃の範囲の温度に加熱されてもよい。
【０４９７】
図１０は衝突アセンブリ２１５の概略を示し、衝突アセンブリ２１５はユニット筐体２１４から取り外してもよい。アセンブリ２１５は、加熱された激突面円筒部２２６、コイルアセンブリ２２７、電極２２８、２つの導体管、および機械的安定性をアセンブリに加えるための容器２２９を備える。容器２２９により、焼けたまたは汚染された衝突面を容易に交換できる。容器２２９はセラミックでもよい。
【０４９８】
上に説明されたように、衝突アセンブリ２１５を備える取り外し可能なユニットは、質量分析器または分析計またはＲＥＩＭＳ源の筐体に挿入されても、または除去されてもよい。
【０４９９】
図１１Ａおよび図１１Ｂは、ＲＥＩＭＳ源筐体２１９に連結されたときのユニット筐体２１４および衝突アセンブリ２１５を備えるユニットの断面図を示す。ＲＥＩＭＳ源筐体２１９はそれを通る軸導管を備える。軸導管の第１の端部は、取り外し可能なユニットを受領するために開いている。（第２の）遮断弁は、導管を通る気体流を選択的に塞ぐために導管の第２の端部に配置される。図１１Ａは、遮断弁２２０が閉じているときの器具を示す一方で、図１１Ｂは遮断弁２２０が開いているときの器具を示す。またＲＥＩＭＳ源筐体２１９は、導管内に配置され、弁２２０を作動させるために遮断弁２２０に連結された遮断弁作動バレル２１８も備える。
【０５００】
使用時に、取り外し可能なユニット筐体２１４は、衝突面アセンブリ２１５が遮断弁２２０に隣接して配置されるように、ＲＥＩＭＳ源筐体２１９の導管の中に挿入される。取り外し可能なユニットを挿入中に、遮蔽２１７は、衝突面アセンブリ２１５を曝すように収縮する。示されていないが、流入毛細管２０６は、遮断ボール２１６を移動させ、その出口オリフィスが衝突面アセンブリ２１５に隣接するまで伸張されるように、取り外し可能なユニット内で穴部２７１の中に挿入される。取り外し可能なユニットをＲＥＩＭＳ源筐体２１９の中に挿入中に、ユニット筐体２１４は、遮断弁作動バレル２１８と相互連結している。
【０５０１】
図１１Ａは待機構成の器具を示す。このモードでは、質量分析計の真空は遮断弁２２０を介して大気から隔離され、遮断弁２２０はＲＥＩＭＳ源筐体２１９内で導管を横切って閉じたカム２２０ａを備える。取り外し可能なユニット筐体２１４と作動バレル２１８との間の相互連結、および作動バレル２１８と弁カム２２０ａとの間の相互連結は、取り外し可能なユニットがその長手方向軸を中心に回転することにより弁２２０が開くように構成される。取り外し可能なユニット筐体２１４の回転により、作動バレル２１８がその長手方向軸を中心に回転してもよく、これにより導管を塞がないようにカム２２０ａがその長手方向軸を中心に回転してもよい。例えば取り外し可能なユニットは、弁２２０を開くために２７０度だけ回転されてもよい。
【０５０２】
図１２Ａ〜図１２Ｅは、ＲＥＩＭＳ源筐体２１９および弁２２０の斜視図を示す。図１２Ａは、遮断弁２２０およびＲＥＩＭＳ源筐体２１９の構成要素の分解図を示す。より具体的には、図１２Ａは、遮断弁２２０がＲＥＩＭＳ源筐体２１９の中に挿入中の作動バレル２１８を示し、取付け前の遮断弁２２０のカム２２０ａを示す。例えばステンレス鋼から作成された熱遮蔽２６０は、カム２２０ａと遮断弁２２０との間に提供されてもよい。熱遮蔽２６０が確実に筐体２１９と同じ電位に維持されるために、電気接点２６２を熱遮蔽２６０と接触させてもよい。電気接点２６２は、作動バレル２１８（これは筐体２１９に電気的に接続される）に提供されてもよく、熱遮蔽２６０と接触するように例えばバネによって付勢されてもよい。図１２Ｂは、遮断弁２２０の挿入後のＲＥＩＭＳ源筐体２１９を示し、ＲＥＩＭＳ源筐体２１９を通る導管を閉じるように閉位置にある、すなわち待機モードにあるカム２２０ａを示す。図１２Ｃは、待機モードにある作動バレル２１８およびカム２２０ａの位置を示す。図１２Ｄは、遮断弁２２０の挿入後のＲＥＩＭＳ源筐体２１９を示し、ＲＥＩＭＳ源筐体２１９を通る導管を開くように開位置にある、すなわち作動モードにあるカム２２０ａを示す。図１２Ｅは、作動モードにある作動バレル２１８およびカム２２０ａの位置を示す。
【０５０３】
図１３Ａ〜図１３Ｄは、遮断弁２２０のカム２２０ａを封止するために使用されてもよいカムシール２３０を示す。より具体的には、図１３Ａは、取り外し可能なユニット筐体２１４をＲＥＩＭＳ源筐体２１９に挿入前の装置の分解図を示す。また衝突面２０９を加熱する電気フィードスルー２３２も示されている。カムシール２３０は、ＲＥＩＭＳ源筐体２１９上のカム２２０ａと接合板２３４との間に配置され、カム２２０ａが開閉時にＲＥＩＭＳ源筐体２１９内で開く導管の周囲に封止を提供する役目を果たす。図１３Ｂおよび図１３Ｃは、シール２３０の斜視図および側断面図を示す。図１３Ｄは、図１３Ｃにおけるシール２３０の一部の拡大図を示す。シール２３０の輪郭により、追加の固定具を含む必要なしに、遮断弁２２０および真空系によって加えられる力に起因して圧縮を引き起こすことができる。図１３Ｄに示されたような弁シール２３０の特定の輪郭により、標準Ｏリングに対する場合にシールの確保を維持できるはずであるものと同じＯリング溝を使用できる。ＲＥＩＭＳ源筐体２１９に接触するシール２３０の表面は、軸から導管を通って半径方向外方に移動するとき、ＲＥＩＭＳ源筐体２１９から離れて湾曲する。これにより、カム２２０ａは、そうでなければシール２３０の損傷または移動をもたらすことがある著しい摩擦力なしに、シール２３０を超えて摺動することができる。これは標準Ｏリングを使用してはできない。
【０５０４】
図１４は、図１１Ａおよび図１１ＢのＲＥＩＭＳ源筐体２１９および筐体２１４を備える取り外し可能なユニットを示し、毛細管２０６は取り外し可能なユニットの穴部２７１の中に挿入されている。ＲＥＩＭＳ源筐体２１９は、遮断弁２２０を介して質量分析器２０７に連結されている。毛細管２０６の流入端部は、ベンチュリポンプ２２３から検体およびマトリクスを受領し、これは図５Ａ〜図５Ｄに関して示され説明されたのと同じ配置である。器具は、例えば図２、図３、および図５に関して本明細書で上に説明したような方式で操作されてもよい。
【０５０５】
上に説明したように、検体サンプルとマトリクスの混合物は、流入毛細管２０６から通過して移送されてもよく、流入毛細管２０６から出現し、衝突面２１５に激突してもよい。衝突面２１５は、例えば誘導加熱器によって加熱されてもよい。サンプルとマトリクスの混合物が流入毛細管２０６に沿って移動する際に、サンプルとマトリクスの混合物を加熱するためにさらに加熱器が提供されてもよい。この加熱器は誘導加熱器であってもよく、流入毛細管２０６の周囲を包む誘導性金属（例えばタングステン）を備えてもよい。
【０５０６】
検体とマトリクスの混合成分は、衝突面２１５に激突することによってイオン化されるように配置されてもよい。このステップは、動力学的イオン化、さらに二次化学イオン化も実行するように配置されてもよい。上に説明したように、混合物は加熱されてもよく、混合物は、熱イオン化も引き起こす程度に加熱されてもよい。得られる検体イオンは、次いでイオンガイド２２５の中に通されてもよい。イオンガイド２２５は、公知の手法、例えば電界を使用してイオンを操作することにより、検体イオンを中性フラックスまたは背景ガスから分離するように配置されてもよい。
【０５０７】
様々な実施形態は、質量分析計または他の気相イオン分析様式を使用して、検体を含有するエアロゾルおよび気体サンプルの化学分析のための装置および関連方法を提供する。この方法は、閉囲空間の中に検体を含有するエアロゾルまたは他の気体サンプル２０１を導入することで開始し、閉囲空間内で、サンプルは低分子量のマトリクス化合物２０４と混合される。この同質または異質の混合物は、次いで流入毛細管２０６を介して質量分析計またはイオン移動度分析計の大気インターフェースの中に導入される。マトリクスを分析器具の低圧領域の中に導入時に、サンプルとマトリクス化合物の分子成分を含有するエアロゾル粒子が形成され、これは自由噴流の拡散によって加速される。混合された成分のエアロゾル粒子２０５は、続いて固体の衝突面２０９、２１５の衝突を介して溶解される。溶解事象は、サンプル２１０の化学成分の分子イオンを含む、中性および荷電種を生成する。イオン２１０は、イオン２１０を中性種と異なる経路に案内するように電界を使用することにより、例えばＳｔｅｐｗａｖｅ（登録商標）イオンガイドなどのイオンガイド２１２、２２５を使用することにより、中性種から分離されてもよい。分子イオン２１０は、次いで質量または移動度分析を受ける。これは、高い電圧またはレーザーを印加することなく、オンライン様式でエアロゾルの分性成分の分析のために単純な解決策を提供する。
【０５０８】
上に開示された方法およびデバイスは、気相またはエアロゾル型サンプルのオンラインの質量分析計およびイオン移動度分光分析器のための解決策を提供する。
【０５０９】
様々なさらなる実施形態によれば、マトリクス化合物は、サンプルがイオン分析器デバイスの中に導入される前に、あらゆる点で蒸気としてまたは液体としてサンプルエアロゾルに混合されてもよい。
【０５１０】
クラスタの表面誘起解離を実行するための特定の固体の衝突面形状が、上に説明されたが、他の形状を企図することができる（クラスタが溶解を誘起するために十分な高速で衝突面に激突すると仮定して）ことが理解されよう。
【０５１１】
図１５は、衝突面２０９または衝突アセンブリ２１５が中空衝突アセンブリ３５０によって置換される、一実施形態の単純化された概略図を示す。毛細管２０６は毛細管３５４によって表されている。中空衝突アセンブリ３５０は、比較的大きい流入口３５２および比較的小さい流出口３５３を有する漏斗形状のアセンブリ３５１を備えてもよい。漏斗形状の衝突アセンブリ３５０は、流入端部３５２から流出端部３５３に向かって、すなわちエアロゾル粒子および得られる検体イオンの流れる方向にアセンブリの軸に沿って内径が次第に先細になるか、または低減する。
【０５１２】
エアロゾル粒子または分子は、エアロゾル粒子または分子が次いで衝突アセンブリ３５０の流入口３５２に向かって方向付けられるので、次いでエアロゾルの少なくとも一部が衝突アセンブリ３５０の縁部および／または内面３５５に激突するように、毛細管３５４の出口または他のエアロゾルの導入部から出現するように配置される一実施形態に従ってもよい。衝突アセンブリ３５０の縁部および／または内面３５５に激突するエアロゾルにより、激突時にイオン化されることがあり、それによって検体イオンが発生する。得られる検体イオンは、次いで例えば気体流により衝突アセンブリ３５０の流出口３５３から出現するように配置される。この実施形態は、望ましくないまたは非検体クラスタがイオン化されるのを低減させることができ、それゆえ不要な背景イオンが発生するのを低減させることができる。具体的には、比較的大きい質量背景クラスタは、比較的大きい質量背景クラスタが中空衝突アセンブリ３５０に入って通過する際に、軸上に留まることがあり、それによって衝突アセンブリ３５０の縁部または内面３５５に激突することを避ける。結果として、大きい質量の背景クラスタは衝突アセンブリ３５０の縁部または内面３５５に激突しないことがあり、それゆえ衝突アセンブリ３５０の縁部または内面３５５に激突することによってイオン化しないことがある。
【０５１３】
衝突アセンブリ３５０の流出口３５３から（衝突アセンブリ３５０の縁部または内面３５５に激突することなく）出現する非イオン化または中性の（不要な）背景クラスタを、次いで電界を使用することにより関心対象の電荷された検体イオンから有効に分離することができる。例えば衝突アセンブリ３５０の流出口３５３から（衝突アセンブリ３５０の縁部または内面３５５に激突することなく）出現する、非イオン化または中性の（不要な）背景クラスタを、（例えば図１４に示されたような）ＳｔｅｐＷａｖｅ（登録商標）イオンガイド２１２、２２２５を通る検体イオンおよび望ましくない中性の背景クラスタの両方を通すことにより、関心対象の電荷された検体イオンから分離してもよい。上に説明したように、ＳｔｅｐＷａｖｅ（登録商標）イオンガイドは、結合されたリング電極から形成されたイオンガイドを備える。（不要な背景クラスタなどの）中性粒子または分子および検体イオンは、どちらもイオンガイドの第１の部分内に受領されてもよい。イオンガイドの第１の部分内のリング電極は、比較的大きい内径を有するように配置されてもよい。過渡直流電圧または電位は、イオンガイドの長さに沿って検体を付勢する効果を有する電極に印加されてもよい。一定の半径方向の直流電圧勾配は、イオンガイドの次の部分を横切って、例えばイオンガイドの中心部を横切って維持されてもよい。一定の半径方向の直流電圧勾配は、検体イオンをイオンガイドの１つの部分からイオンガイドの別の部分に方向付ける効果を有する。例えば検体イオンを、結合されたリング電極が比較的小さい直径を有してもよいイオンガイドの第２の部分に方向付けてもよい。半径方向の直流電圧勾配は、中性の（不要な）粒子または分子に影響を及ぼさないことが理解されよう。結果として、不要な中性の背景クラスタは、イオンガイドを通ってまっすぐに連続し、ポンプを介して排出されることが可能である。同時に、検体イオンを、イオンガイドの第２の部分内で半径方向に制限することができる。第２の部分のリング電極が比較的小さい直径を有するように配置される場合は、検体イオンを狭い直径に制限することができ、続くビームを前方に、例えば差動ポンピング開口を通ってまたは比較的狭い許容角度を有するイオンガイドの中に伝送する助けとなる。最終的に検体イオンまたは検体イオンから引き出された断片イオン、生成イオン、もしくは娘イオンを、ＳｔｅｐＷａｖｅ（登録商標）イオンガイドの下流に配置された質量分析器２０７によって質量分析することができる。
【０５１４】
図１５に関して上に示され説明された実施形態は、信号対雑音比を向上させることを含む複数の恩恵を有する。さらに、中空衝突アセンブリ３５０の利用は、エアロゾルのイオン化効率を向上させることが見出された。
【０５１５】
図１５を参照に上に示され説明された実施形態の別の恩恵は、中空衝突アセンブリ３５０が、中空衝突アセンブリ３５０への望ましくない粒子または分子の激突に起因する汚染を被ることが少ないことである。結果として、中空衝突アセンブリ３５０は洗浄または他の保守を必要とする頻度が少ない。さらに不要な粒子または分子の衝突アセンブリ３５０への激突、および望ましくない背景クラスタを排出部に方向付けるために中空衝突アセンブリ３５０の下流でのＳｔｅｐＷａｖｅ（登録商標）イオンガイドの使用が低減することにより、中空衝突アセンブリ３５０および／またはＳｔｅｐＷａｖｅ（登録商標）イオンガイドの下流に配置された、イオンガイド、四重極質量フィルタ、イオントラップ、イオン移動度分析デバイス、ならびに差動ポンピング開口などのイオン光学の汚染が大幅に低減する。
【０５１６】
衝突アセンブリ３５０は、例えばアセンブリ３５１の周囲を包んだ電気抵抗性加熱コイルによって加熱されてもよい。強いイオン信号は、≧２．５Ａ、恣意的に≧３Ａ、および恣意的に≧４Ａの加熱コイルの電流を使用することによって獲得されてもよい。強いイオン信号は、毛細管３５４の出口から２〜３ｍｍにアセンブリ３５１を配置することによって獲得されてもよい。
【０５１７】
別の実施形態によれば、図１５に示された漏斗形状の衝突アセンブリ３５１は、図１６に示されたような中空円筒形状の衝突アセンブリ３６１に置換されてもよい。この実施形態によれば、衝突アセンブリ３６０の内径は、衝突アセンブリ３６０の長手方向の長さに沿って基本的に一定のままである。中空円筒形状の衝突アセンブリは流入口３６２および流出口３６３を有する。エアロゾル粒子または分子は、エアロゾル粒子または分子が次いで衝突アセンブリ３６０の流入口３６２に向かって方向付けられるように、毛細管３６４または他のエアロゾル導管の出口から出現するように配置されてもよい。エアロゾルは、衝突アセンブリ３６１の縁部および／または内面３６５に激突するように配置される。またこの実施形態も、中空漏斗形状の衝突アセンブリ３５１の恩恵と同じ恩恵を示す、すなわちイオン化効率を向上させ、信号対雑音比を向上させ、イオン光学の汚染を低減することが見出された。
【０５１８】
衝突アセンブリ３６１は、例えば衝突アセンブリ３６１の周囲を包んだ電気抵抗性加熱コイルによって加熱されてもよい。イオン信号は、≧３．５Ａ、恣意的に≧４Ａ、および恣意的に≧５Ａの加熱コイルの電流を使用することによって最適化されることが見出された。最適なイオン信号は、毛細管３５４の出口から３〜４ｍｍにアセンブリ３５１を配置することによって獲得されてもよい。
【０５１９】
したがって中空漏斗形状の衝突アセンブリ３５１および中空円筒形状の衝突アセンブリ３６１は、どちらも特に有益であり、国際公開第２０１３／０９８６４２号（Ｍｅｄｉｍａｓｓ）（特許文献１）に開示された公知の配置より著しい改善を表すことは明らかである。
【０５２０】
衝突面は球形、円筒形、または漏斗形状であるように説明されたが、他の構成も企図される。
【０５２１】
図１７Ａおよび図１７Ｂは、あり得る衝突面の例示的構成の概略図を示す。図１７Ａは、図２および図３に示された衝突面２０９に対応する。例えば衝突面２０９は球形のステンレス鋼の衝突面２０９ａであってもよく、流入毛細管２０６の端部から分析器２０７の中に約６ｍｍ装着されてもよい。図１７Ｂは、コイル形状の衝突面２０９ｂの形で使用してもよい一実施形態による衝突面２０９を示す。イオンは、イオン光学２１２によりイオン分析器２０７の分析領域（図示せず）に移送されてもよい。上に論じたように、イオン光学２１２はＳｔｅｐｗａｖｅ（登録商標）イオンガイドを備えてもよい。
【０５２２】
ＲＥＩＭＳ機構は、正電荷および負電荷を帯びたイオンの発生を実質的に等しく生じ得ることが認識されており、正電荷および負電荷を帯びたイオンは、その後中性電荷の比較的大きい分子クラスタを形成することがある。これらの中性クラスタは、分析器または分析計内の電界によってあまり良好に操作されず、それゆえ例えば器具イオン光学２１２によって除去されることがある。本明細書に説明された衝突面２０９、２１５は、分子クラスタ２０５を分裂させる働きをし、イオンを解放するので、イオンが分析器または分析計内の電界によって案内されてもよい。しかし衝突面２０９、２１５の提供により、異なるサンプルの測定結果の間の二次汚染を誘発することがあることも認識されている。例えばある特定の細菌代謝産物、例えばバクテロイデ属によって生成されたある特定のスフィンゴ脂質またはある特定のバチルス属によって生成されたサーファクチンおよびリチェニシンなどのリポポリペプチドは、わずかな反復測定のみの後で、比較的強い記憶効果を誘発することが見出された。この二次汚染は、各分析の前に大気圧インターフェースを洗浄することによって軽減させることができた。しかしこれは特に自動器具には望ましくない。衝突面２０９、２１５の汚染を阻止するために、表面を例えば数百℃に加熱してもよい。例えば衝突面２０９、２１５を加熱することにより、衝突面２０９上の炭素質堆積物が流入毛細管２０６を通って導入される酸素と反応することがある。次いで炭素質堆積物はＣＯ２ガスに変換され、ＣＯ２ガスは衝突面２０９、２１５から離れることができ、それゆえ次の分析中に器具を汚染しない。図１７Ｂのコイル形状の衝突面２０９ｂは、特に再現可能な熱分配を提供する。
【０５２３】
衝突要素または衝突面２０９、２１５は、例えば図１７Ｂにおいて電圧Ｖを印加することにより、衝突面２０９、２１５を通って電流を通すことによって加熱されることがある材料から構成されてもよく、分析中に衝突面を容易に加熱できる。例えば衝突面２０９、２１５は、ｋａｎｔｈａｌなどの耐熱鉄クロムアルミニウム（ＦｅＣｒＡｌ）合金から製造されてもよい。このような加熱された衝突面２０９、２１５を使用することにより記憶効果が著しく低減し、したがって器具を洗浄する頻度は大幅に低減されることがある。例えば何千ものデータベースのエントリを、いかなる記憶効果なしに記録することができ、リポポリペプチドへの露出が延長されても、いかなる持ち越しも見られなかった。
【０５２４】
球形、コイル形状、または他の形状の衝突面が使用されてもよい。例えば円筒形または管状の衝突面が使用されてもよく、これらは例えば円筒形または管の内側から加熱されてもよい。円筒形または管状構造は、石英、セラミック、ガラス、ガラスセラミック（例えばＭＡＣＯＲ（登録商標））を備えてもよく、または石英、セラミック、ガラス、ガラスセラミック（例えばＭＡＣＯＲ（登録商標））から形成されてもよい。
【０５２５】
加熱された衝突面２０９、２１５を使用して獲得されたスペクトルプロファイルは、場合によって例えば図１８Ａおよび図１８Ｂに示されたように加熱されていない衝突面２０９、２１５を使用して獲得されたスペクトルプロファイルと異なってもよい。
【０５２６】
図１８Ａおよび図１８Ｂは、加熱されていない衝突面および加熱された衝突面それぞれを使用して、バクテロイデス・フラギリスの分析から生じるスペクトルプロファイルを示す。これは、この型の加熱面技法を使用して分析されるスペクトル成分のすべてが十分に熱的に安定しているわけではないことを示す。例えば加熱面の効果は、ホスファチジン酸（これは例えばカンジダ・アルビカンスなどの菌類によく見られる）およびスフィンゴ脂質（これは例えばバクテロイデス菌によく見られる）に特に強いように思われる一方で、ホスファチジルグリセロールおよびホスファチジルエタノールアミン（これらは例えばミラビリス変形菌内の主なリン脂質種である）に見られるスペクトル外観への効果は少ない。
【０５２７】
上に説明されたように、衝突面２０９、２１５の上流にイソプロピル・アルコール（ＩＰＡ）などのマトリクス化合物２０４を導入することにより、検体イオン化および器具の感度を向上させることが見出された。またマトリクス化合物２０４の導入により、そうでなければ非加熱衝突面より加熱衝突面を使用することによって損なうはずである、スペクトル特性を回復することがあることも見出された。例えば図１８Ａおよび図１８Ｂは、加熱衝突面の使用により、バクテロイデス・フラギリス内のセラミドなどのスペクトル特性が除去されることが見出されたことを実証する。イソプラパノールを質量分析器２０７または分析計の中に導入する前に、サンプルエアロゾル２０１の中に導入することにより、これらのスペクトル特性を回復させ、非加熱衝突面を有する大気圧インターフェースのフィンガープリントと同様の質量スペクトルのフィンガープリントを生成することが見出された。さらにサンプルエアロゾル２０１へのマトリクス２０４（例えばイソプラパノール）の追加により、エアロゾルの直接導入に比べて同様またはより高い信号強度をもたらしたので、エアロゾル輸送のためにベンチュリポンプ２１３を使用することができる。
【０５２８】
衝突面２０９、２１５は様々な形状において説明されたが、他の形状も企図される。例えば衝突面は円錐形でもよい。実験データは、様々な最大直径の衝突面に対して収集された。
【０５２９】
図１９Ａ〜図１９Ｂおよび図２０Ａ〜図２０Ｂは、球形、円錐形、およびコイル形状の衝突面に対する衝突面２０９、２１５の最大直径の関数として獲得されたイオン信号強度を示す。データは、超音波ネブライザー内でロイシン・エンケファリン（ＩＰＡ：水が３：１の２５ｎｇ／μｌ）と脂質ＰＣ１４：０およびＰＧ１４：０（ＩＰＡ：水が３：１の２５ｎｇ／μｌ）の混合物を蒸発されること、次いで衝突面２０９、２１５を備える質量分析計の中に噴霧化された材料を導入することによって獲得された。監視されたピーク強度は、質量対電荷比５５４を有するロイシン・エンケファリン［Ｍ−Ｈ］−、質量対電荷比５５６を有するロイシン・エンケファリン［Ｍ＋Ｈ］＋、質量対電荷比６６５を有するＰＧ１４：０［Ｍ−Ｈ］−、ならびに質量対電荷比７０１を有するＰＣ１４：０［Ｍ＋Ｎａ］＋であった。図１９Ａおよび図１９Ｂは、マイナスイオンモードおよびプラスイオンモードのそれぞれで異なる形状および異なる直径の衝突面２０９、２１５に対して、ロイシン・エンケファリンに対して収集されたデータを示す。図２０Ａおよび図２０Ｂは、マイナスイオンモードおよびプラスイオンモードのそれぞれで異なる形状および異なる直径の衝突面２０９、２１５に対して、脂質に対して収集されたデータを示す。
【０５３０】
概して、信号強度は、衝突面２０９、２１５の直径の増加とともに増加する。コイルが加熱されると、ロイシン・エンケファリンおよび脂質の混合物のどちらも強度は降下したのと対照的に、組織の分析に対しては、コイルが加熱されると強度は大きくなった。
【０５３１】
図２１は、非加熱球形の衝突面を使用して獲得された質量スペクトルを示す。衝突面は３．５ｍｍの直径を有し、毛細管流出口２０６から２ｍｍに配置された。
【０５３２】
図２２は、非加熱円筒形の衝突面を使用して獲得された質量スペクトルを示す。衝突面は３．５ｍｍの直径を有し、毛細管流出口２０６から２ｍｍに配置された。
【０５３３】
図２３は、加熱されたｋａｔｈａｌ（登録商標）コイル形状の衝突面を使用して獲得された質量スペクトルを示す。コイルは２．９Ａの電流および４０Ｖのオフセットを使用して加熱された。このコイル構成は、サンプルの分析中に衝突面の汚染を避けるために特に有効であった。
【０５３４】
図２４は、円筒内に配置されたコイルによって加熱された、石英円筒形の衝突面を使用して獲得された質量スペクトルを示す。コイルは電流２．９Ａで加熱された。この構成は、衝突面の比較的低い汚染をもたらす良好なスペクトルを生成した（黒色汚染点が観察された）が、スペクトルは露出したコイルを衝突面として使用したときより高さが低い。
【０５３５】
図２５は、円筒内に配置されたコイルによって加熱された、ガラスセラミックのＭＡＣＯＲ（登録商標）円筒形の衝突面を使用して獲得された質量スペクトルを示す。コイルは電流１．２Ａで加熱された。この構成により石英円筒形の衝突より汚染が高くなり、スペクトルは、露出したコイルを衝突面として使用したときより高さが低い。
【０５３６】
図２６Ａは、その中に埋め込まれた加熱コイルによって加熱された、セラミックの衝突面を使用して獲得された質量スペクトルを示す。コイルは電流２．９Ａで加熱された。この構成は、低い質量で特に強い強度を生成し、実質的に衝突面の汚染をもたらさなかった。図２６Ｂは、６００〜９００の質量範囲内の図２６Ａの質量スペクトルを示す。
【０５３７】
図２７Ａは、加熱されたニッケルのコイル形状の衝突面を使用して獲得された質量スペクトルを示す。コイルは電流２．２５Ａで加熱され４０Ｖのオフセットを使用した。この構成は、使用中に緑色を取得し、ｋａｎｔｈａｌ（登録商標）コイルより雑音が多いスペクトルを生成した。図２７Ｂは、６００〜９００の質量範囲内の図２７Ａの質量スペクトルを示す。
【０５３８】
図２８Ａは、毛細管２０６の出口とｋａｔｈａｌコイルの衝突面２０９との間の距離の差に対して検出されたイオン信号強度を示す。コイルは電流３．６Ａで加熱され４０Ｖのオフセットを使用した。分析後にコイルの汚染は観察されなかった。図２８Ｂは３ｍｍ離れた質量スペクトルを示し、図２８Ｃは５ｍｍ離れた質量スペクトルを示す。距離が約３ｍｍに増加されるとスペクトルが表れ始め、距離が約５ｍｍに増加されるとピークが表れ始めることが観察された。
【０５３９】
器具の感度およびスペクトルを最適化するために、異なる衝突面の形状を検査した。分析は、ＲＥＩＭＳ分析を使用してブタの肝臓で実行した。サンプルエアロゾルを衝突面に搬送するために装置にはステンレス鋼の毛細管が備えられた。毛細管は、長さ４９．６５ｍｍ、内径０．０２インチ（０．０５ｃｍ）、および外径１．１６インチ（２．９ｃｍ）であった。衝突面は、毛細管の端部から２ｍｍに位置付けられた。円錐形、平面、円筒形、および球形の４つの型の衝突面を試験した。
【０５４０】
円錐の頂点を毛細管の流出口に向かって配置し、円錐面が毛細管の下流方向に直径が大きくなるように先細であるように、円錐形の衝突面を検査した。図２９Ａは、衝突面として円錐形を使用して獲得された質量スペクトルを示し、図２９Ｂは、円錐面が長さ６．９ｍｍおよび直径３．５ｍｍの円筒形部に外方に先細であるときに獲得された質量スペクトルを示す。円錐形の衝突面は、気体分子の比較的高い破砕を生成し、この例では、脂肪酸が独占的に存在する質量スペクトルをもたらす。
【０５４１】
多数の平坦な衝突面を検査した。
【０５４２】
図３０Ａおよび図３０Ｂは、円盤形状の衝突部材、すなわち上流側部および下流側部が平坦である部材を使用して獲得された質量スペクトルを示す。図３０Ａのスペクトルを獲得するために使用した衝突部材は直径５ｍｍであり、図３０Ｂのスペクトルを獲得するために使用した衝突部材は直径３ｍｍであった。これらの衝突面のそれぞれに対して観察された総イオン電流は、比較的低かったので（約７．５Ｅ４カウント）、質量スペクトル内のイオンに対する感度も低かった。
【０５４３】
また毛細管の流出口に向かって上流に面する平面、および下流に面する非平面を有する衝突アセンブリも検査した。
【０５４４】
図３１Ａは、半球の平面が毛細管の出口に面する半球である、衝突部材を使用して獲得された質量スペクトルを示す。半球の直径は３．５ｍｍであった。図３１Ｂは、平坦な上流面が毛細管の出口に面し、半球の下流面が円筒形部により上流面から離間された、衝突面を使用して獲得された質量スペクトルを示す。半球面は直径が３５ｍｍであり、円筒形部は長さが７ｍｍであった。図３１Ｃは、平坦な上流面が毛細管の流出口に面し、円錐の下流面が円筒形部（長さが７ｍｍ、直径が３５ｍｍ）により上流面から離間された、衝突面を使用して獲得された質量スペクトルを示す。円錐部は下流方向に直径が低減する。これらの形状も総イオン電流が比較的低く（＜７Ｅ４カウント）、感度も比較的低かった。
【０５４５】
また毛細管の出口を通る軸に垂直な円筒形の長手方向軸を有する、円筒形の衝突面も検査した。異なる外径の円筒形の衝突アセンブリを検査した。各円筒は、長さが８．７ｍｍであり、毛細管の出口の２ｍｍ下流に配置したが、円筒の中心部のみが器具に通気後に堆積を示したので、円筒の中心部のみが気体分子の衝突に加わった。
【０５４６】
図３２Ａは、外径５ｍｍを有する衝突アセンブリを使用して獲得された質量スペクトルを示し、図３２Ｂは、外径３．５ｍｍを有する衝突アセンブリを使用して獲得された質量スペクトルを示し、図３２Ｃは、外径２ｍｍを有する衝突アセンブリを使用して獲得された質量スペクトルを示す。２つの複製を超える３つの衝突面に対する平均の総イオン電流は、直径２ｍｍを有する円筒に対して２．６Ｅ５、直径３．５ｍｍを有する円筒に対して２．８Ｅ５、および直径５ｍｍを有する円筒に対して７．５Ｅ４であった。これらの円筒形の衝突アセンブリは、平面の衝突アセンブリより１桁高い良好な結果を示した。
【０５４７】
異なる外径を有する球形の衝突アセンブリを検査した。球形は、それぞれ毛細管の出口の２ｍｍ下流に配置された。球形の衝突アセンブリは、外径が１．５ｍｍ、２．５ｍｍ、３．５ｍｍ、および４ｍｍであった。４つの球形の衝突面は、図３３Ａに示された質量スペクトルと同じ質量スペクトルを示したが、強度は異なった。図３３Ｂは、球形の衝突面の外径の関数として総イオン電流を示す。
【０５４８】
また湾曲面を毛細管の出口に向かって方向付け、平面を毛細管の出口の反対に方向付けた半球の衝突アセンブリも検査した。この構成により、総イオン電流が比較的低くなり、質量スペクトルが乏しくなった。
【０５４９】
円筒形および球形などの丸みを帯びた衝突面は、良好な衝突面を提供することが見出された。約３．５ｍｍの直径を有する球形の衝突面は、高い総イオン電流および良好な質量スペクトルを提供することが見出された。
【０５５０】
例えば衝突面の周囲の動力学および総イオン電流および質量スペクトルを修正するために、シース管を衝突面の周囲に配置させてもよい。異なる長さ、例えば１ｃｍ、１．５ｃｍ、および２ｃｍを有する円筒管を含む、シース管の様々な構成を調査した。これらの管は、３．５ｍｍの直径を有し、毛細管の端部から２ｍｍに配置された球形の衝突面の周囲に配置された。異なる長さを有する円筒形シース管の総イオン電流への影響が図３４Ａに示されている。これから、この例における最適な遮蔽の長さは、ブタの肝臓の分析に対して１．５ｃｍであることがわかる。図３４Ｂは、１．５ｃｍのシース管を有する構成を使用して獲得された質量スペクトルを示す。シース管の使用に起因して質量スペクトルに二量体がないことが注目に値する。約１０分間、質量スペクトルに二量体がないことが観察され、この設置がＲＥＩＭＳを使用する動物組織の分析を有益にさせた。
【０５５１】
またメタノールを流してベンチュリポンプおよび流入毛細管を洗浄することは、質量スペクトル内に存在する二量体を低減させる役に立つことも見出された。
【０５５２】
質量スペクトルを向上させるために、衝突面とシース管との間の電圧差は維持されてもよい。図３５Ａは、衝突面とシース管との間の相対電圧差の効果を示す。スペクトルは、毛細管の流出口の２ｍｍ下流に配置された直径３．５ｍｍの球形の衝突面を使用して獲得された。球面とシース管との間の距離は２ｍｍであった。
【０５５３】
図３５Ｂ〜図３５Ｄは、衝突面とシース管との間の異なる電圧差で獲得されたスペクトルの詳細を示す。図３５Ｂは、シース管を３０Ｖに維持し、衝突面を１５Ｖに維持して獲得されたスペクトルを示す。図３５Ｃは、シース管を３０Ｖに維持し、衝突面を２０Ｖに維持して獲得されたスペクトルを示す。図３５Ｄは、シース管を３０Ｖに維持し、衝突面を２５Ｖに維持して獲得されたスペクトルを示す。衝突面をシース管より約５Ｖ高い電圧に維持することにより、スペクトルを向上させることが見出された。
【０５５４】
サンプルを衝突面に送達する毛細管は加熱されてもよい。これは、特に衝突面が加熱されないときに、検出されたイオン強度を向上させることがある。図３６Ａ〜図３６Ｆは、それぞれ毛細管を１００℃、１５０℃、２００℃、２５０℃、３００℃、および３５０℃に維持している間に獲得されたスペクトルを示す。約２００℃の温度の毛細管は、毛細管の閉塞に関連した許容量の問題を一緒に最適信号に提供する。衝突面が加熱されると、毛細管を加熱する必要はないことがあり、望ましくないことさえある。
【０５５５】
また毛細管の出口と衝突面との間の距離も調査した。図３７Ａは、毛細管の出口と衝突面との間の距離が（温度を２００℃に維持した毛細管に対して）２．５ｍｍ、３ｍｍ、３．５ｍｍ、４ｍｍ、および５ｍｍで獲得されたスペクトルを示す。図３７Ｂ〜図３７Ｄは、それぞれ３ｍｍ、４ｍｍ、および５ｍｍの距離に対するスペクトルをより詳細に示す。その結果は、毛細管の出口と衝突面との最適距離が、特に非加熱の衝突面に対して２ｍｍ〜３ｍｍであることを示す。
【０５５６】
説明したように、衝突面はコイルであってもよく、コイルは衝突面を加熱するために衝突アセンブリ内で使用されてもよい。コイルは電流がコイルを通過する際に加熱されるように、コイルは電気抵抗性である材料から作成されてもよい。コイルのための例示的材料は、ｋａｎｔｈａｌ、ｋａｔｈａｌ−Ｄ、ニッケルおよびＮｉＣｒｏｔｈａｌである。
【０５５７】
図３８Ａは、２．９Ａ〜３．５Ａの様々な異なる電流を使用してコイルを加熱する間に、Ｋａｔｈａｌ−Ｄコイルの衝突面を使用してサンプルを分析するときに検出されたイオン信号を示す。最適な加熱電流は約３．５Ａであることがわかる。図３８Ｂは、２．９Ａ〜３．５Ａの様々な異なる電流を使用してコイルを加熱する間に、ＮｉＣｒｏｔｈａｌコイルの衝突面を使用してサンプルを分析するときに検出されたイオン信号を示す。図３８Ｃは、３．８Ａ〜４．４Ａの様々な異なる電流を使用してコイルを加熱する間に、別のコイルの衝突面を使用してサンプルを分析するときに検出されたイオン信号を示す。最適な加熱電流は約４．２Ａであることがわかる。
【０５５８】
図３９は、衝突アセンブリが実質的に円球ボール３９０内に覆われたＫａｔｈａｌコイルを備える、別の実施形態を示す。円球ボール被覆３９０は、ガラス、セラミック、または本明細書に説明された他のコイル被覆の１つであってもよい。イオン信号は、コイルを通る≧５Ａ、恣意的に≧５．５Ａ（２．３Ｖ）の加熱電流を使用して最適化された。この電流はネイキッドコイルより高い。しかしこの実施形態は、ネイキッドコイルより比較的多い強度であったスペクトルを生成した。またこの実施形態の衝突アセンブリは、例えば０．１％の低い信号対雑音比を生成した。コイルを露出するために、被覆はその中に開口３９２を有してもよい。開口３９２、またひいては露出したコイルは、サンプルを衝突面に送達するために毛細管３９６の出口に面してもよい。
【０５５９】
図４０Ａは、中空衝突アセンブリ３６１がコイルによって形成されることを除いて、図１６に示された実施形態と同様の別の実施形態を示す。エアロゾル粒子または分子は、エアロゾル粒子または分子が次いでコイルの衝突アセンブリの流入口に向かって方向付けられるように、毛細管の出口または他のエアロゾル導管から出現するように配置されてもよい。エアロゾルはコイルの衝突アセンブリの内面に激突するように配置される。コイルは電気抵抗性ワイヤであってもよく、コイルを通る電流を通すことによって加熱されてもよい。
【０５６０】
図４０Ｂは、コイルに関して毛細管の出口の様々な異なる場所に対して、図４０Ａの衝突アセンブリを使用して測定されたイオン信号を示す。距離は、コイルの出口端部に対して上流の方向に測定された。この例では、コイルは８ｍｍの長さであり、それゆえ毛細管の出口端部は、８ｍｍ未満の距離でコイル内に配置される。コイルの内半径は３ｍｍである。８ｍｍを超える距離では、毛細管の出口端部はコイルの入口の上流に配置される。図に示すように、毛細管の出口端部がコイルの上流に離間されたときに、より高い強度の信号が獲得された。この例では、コイルは３Ａの電流を使用して加熱された。
【０５６１】
図４０Ｃ〜図４０Ｍは、コイルに関して毛細管の出口の様々な異なる場所に対して、図４０Ａの衝突アセンブリを使用して獲得されたスペクトルの詳細を示す。図４０Ｃ〜図４０Ｍは、それぞれコイルの出口端部から上流に０ｍｍ、１ｍｍ、２ｍｍ、３ｍｍ、４ｍｍ、５ｍｍ、６ｍｍ、７ｍｍ、８ｍｍ、９ｍｍ、および１０ｍｍの距離に配置された毛細管の出口を使用して獲得されたスペクトルを示す。図に示すように、最適なスペクトルは、９〜１０ｍｍの距離、すなわち毛細管の出口がコイルの１〜２ｍｍ上流に離間されて獲得された。
【０５６２】
この例では、コイルは３Ａの電流を使用して加熱された。しかし他の電流を使用してコイルを加熱してもよい。
【０５６３】
図４１Ａは、異なる加熱コイル電流に対して、毛細管の出口がコイルの２ｍｍ上流に配置されたときに、図４０Ａの実施形態を使用して獲得された総イオン電流を示す。図４１Ａに示されたように、２．４Ａ〜４．６Ａの間で１２個の異なる加熱コイル電流を試験した。総イオン電流は、コイルを通る加熱電流の増加に応答して実質的に直線的に増加する。総イオン電流は、４．６Ａを超えて増加する電流に応答して増加し続ける。これは、毛細管の出口の軸に直交する軸を有するコイルの衝突面を使用するのとは対照的に、総イオン電流は、加熱電流が増加したときに、ある特定点を越えると向上し続けなかった。
【０５６４】
図４０Ａに示された毛細管の出口および衝突コイルの同軸配置は、イオン化を向上させる、例えば毛細管の出口に直交する長手方向軸を有する衝突コイルを越えることがある。例えば図４０Ａに示された配置では、毛細管から出るエアロゾルは、コイルの内側の数個のコイル縁部と衝突してもよく、コイルが加熱される場合、もはや熱激突がないことがある一方で、エアロゾル粒子は加熱されたコイルの内側にある。対照的に、コイルの長手方向軸が毛細管の出口を通る軸に直交して配置されると、これらの効果は存在しないことがある。むしろ衝突面と１回の衝突後に、粒子はコイルからさらに徐々に移動してもよく、これは激突および熱効果を使用して、液滴／エアロゾル粒子からイオン化された分子を解放する有効性を制限することがある。しかし上に説明したように、マトリクス自体が液滴からイオンのより有効な解放を可能にするので、マトリクスを使用してこれを克服することがある。
【０５６５】
図４１Ｂ〜図４１Ｍは、図４１Ａにおける各コイル電流で獲得されたスペクトルを示す。スペクトルは、コイル電流の増加とともに強度および信号対雑音比の安定した増加を示す。上に説明したように、マトリクスを使用してイオン化を助けてもよい。マトリクスの使用により、使用された加熱電流へのイオン信号の依存が低減することが見出された。
【０５６６】
また他の長さおよび内半径のコイルも使用してもよい。
【０５６７】
図４２Ａは、コイルに関して毛細管の出口の様々な異なる場所に対して、４ｍｍの長さ、３ｍｍの内径を有する衝突コイルを使用して測定されたイオン信号を示す。距離は、コイルの出口端部に対して上流方向に測定された。この例では、毛細管の出口端部は、コイル内で４ｍｍ未満の距離に配置されている。４ｍｍを超える距離では、毛細管の出口端部はコイルの入口の上流に配置されている。図に示すように、イオン信号が獲得されたのは、毛細管の出口端部がコイルの上流から離間されたときであった。この例では、イオン信号は、６ｍｍ以上の距離、すなわち毛細管の出口はコイルの２ｍｍ以上上流に置かれたときに、急速に上昇し始めた。
【０５６８】
図４２Ｂ〜図４２Ｇは、コイルに関して毛細管の出口の様々な異なる場所に対して、衝突アセンブリを使用して獲得されたスペクトルの詳細を示す。図４２Ｂ〜図４２Ｇは、それぞれコイルの出口端部から上流に２ｍｍ、４ｍｍ、５ｍｍ、６ｍｍ、７ｍｍ、および８ｍｍの距離に配置された毛細管の出口を使用して獲得されたスペクトルを示す。図に示すように、信号対雑音比は距離の増加とともに増加する。
【０５６９】
この例では、コイルは２．９Ａの電流を使用して加熱された。しかし他の電流を使用してコイルを加熱してもよい。
【０５７０】
図４２Ｈは、異なる加熱コイル電流に対して、毛細管の出口がコイルの３ｍｍ上流に配置されたときに獲得された総イオン電流を示す。図４２Ｈに示されたように、２．５Ａ〜４．７Ａの間で７個の異なる加熱コイル電流を試験した。総イオン電流は、コイルを通る加熱電流の増加に応答して実質的に直線的に増加する。
【０５７１】
図４２Ｉ〜図４２Ｏは、図４２Ｈにおける各コイル電流で獲得されたスペクトルを示す。図４２Ｉ〜図４２Ｏのスペクトルは、それぞれが２．５Ａ、２．９Ａ、３．３Ａ、３．７Ａ、４．１Ａ、４．３Ａ、および４．７Ａのコイル電流に対応する。スペクトルは、コイル電流の増加とともに強度および信号対雑音比の着実な増加を示す。
【０５７２】
図４３Ａは、コイルに関して毛細管の出口の様々な異なる場所に対して、８ｍｍの長さ、６ｍｍの内径を有する衝突コイルを使用して測定されたイオン信号を示す。距離は、コイルの出口端部に対して上流方向に測定された。この例では、毛細管の出口端部は、コイル内で８ｍｍ未満の距離に配置されている。８ｍｍを超える距離では、毛細管の出口端部はコイルの入口の上流に配置されている。図に示すように、より良好なイオン信号が獲得されたのは、毛細管の出口端部がコイルの上流から離間されたときであった。この例では、イオン信号は、１４ｍｍ以上の距離、すなわち毛細管の出口がコイルの６ｍｍ以上上流に置かれたときが最適であった。
【０５７３】
図４３Ｂ〜図４３Ｆは、コイルに関して毛細管の出口の様々な異なる場所に対して、衝突アセンブリを使用して獲得されたスペクトルの詳細を示す。図４３Ｂ〜図４３Ｆは、コイルの出口端部から上流に９ｍｍ、１１ｍｍ、１３ｍｍ、１７ｍｍ、および１９ｍｍの距離に配置された毛細管の出口を使用して獲得されたスペクトルを示す。図に示すように、最良のスペクトルは、１３ｍｍ、すなわち毛細管の出口がコイルの５ｍｍ上流で獲得された。
【０５７４】
この例では、コイルは３Ａの電流を使用して加熱された。しかし他の電流を使用してコイルを加熱してもよい。
【０５７５】
図４３Ｇは、異なる加熱コイル電流に対して、毛細管の出口がコイルの７ｍｍ上流に配置されたときに獲得された総イオン電流を示す。図４３Ｇに示されたように、２．５Ａ〜４．５Ａの間で５個の異なる加熱コイル電流を試験した。総イオン電流は、コイルを通る加熱電流の増加に応答して実質的に直線的に増加する。
【０５７６】
図４３Ｈ〜図４３Ｌは、図４３Ｇにおける各コイル電流で獲得されたスペクトルを示す。スペクトルは、コイル電流の増加とともに強度および信号対雑音比の着実な増加を示す。
【０５７７】
コイルの長手方向軸を毛細管の出口軸と実質的に平行に配置することは、コイルの長手方向軸を毛細管の出口軸に直交して配置するより、高温のコイルで良好なスペクトルを提供することが見出された。特に、これらの配置はより高温でより高い強度を提供することがある。最適な信号は、毛細管の出口がコイルの入口の例えば２〜３ｍｍ上流に離間されたときに獲得された。コイルの軸を毛細管の出口軸と実質的に平行に配置することは、器具の汚染も低減する、例えば下流のＳｔｅｐｗａｖｅイオンガイドの汚染を低減するように見えた。
【０５７８】
図４４Ａは、衝突面に関して毛細管の出口の様々な異なる場所に対して、毛細管の出口軸と同軸に配置され、１ｍｍの長さ、３ｍｍの内径を有する管状の衝突面を使用して測定されたイオン信号を示す。この例では、イオン信号は、毛細管の出口がコイル面から７ｍｍだけ離間されたときが最適であった。
【０５７９】
図４４Ｂおよび図４４Ｃは、図４４Ａに関して説明されたコイルアセンブリを使用してブタの肝臓を分析したときに獲得された、異なる質量範囲に亘るスペクトルの詳細を示す。このとき、毛細管の出口は衝突面の入口の７ｍｍ上流に配置された。
【０５８０】
図４４Ｄは、異なる加熱コイル電流に対して、毛細管の出口が衝突面の入口の７ｍｍ上流に配置されたときに獲得された総イオン電流を示す。図４４Ｄに示されたように、０Ａ〜４．７Ａの間で９個の異なる加熱コイル電流を試験した。総イオン電流は、約４．５Ａが最適である。
【０５８１】
図４５Ａは、衝突面に関して毛細管の出口の様々な異なる場所に対して、毛細管の出口軸と同軸に配置され、８ｍｍの長さ、６ｍｍの内径を有する管状の衝突面を使用して測定されたイオン信号を示す。この例では、イオン信号は、毛細管の出口が衝突面から６ｍｍの距離だけ離間されたときに最適であった。設置は、大気インターフェースが異なることを除いて、図４３に使用された設置と同様であった。
【０５８２】
図４５Ｂは、毛細管の出口が衝突面の入口の６ｍｍ上流に配置され、３．４Ａのコイル加熱電流を使用したときの図４５Ａに関して説明された衝突アセンブリを使用して、ブタの肝臓を分析したときに獲得されたフルスペクトルを示す。
【０５８３】
図４５Ｃは図４５Ｂにおけるスペクトルの一部の詳細を示す。
【０５８４】
図４５Ｄは、異なる加熱コイル電流に対して、毛細管の出口が衝突面の入口の５ｍｍ上流に配置されたときに獲得された総イオン電流を示す。図４５Ｄに示されたように、３Ａ〜３．８Ａの間で５個の異なる加熱コイル電流を試験した。総イオン電流は、約３．４Ａが最適である。
【０５８５】
図４６Ａは、衝突面に関して毛細管の出口の様々な異なる場所に対して、毛細管の出口軸と同軸に配置され、８ｍｍの長さ、３ｍｍの内径を有する管状の衝突面を使用して測定されたイオン信号を示す。この例では、イオン信号は、毛細管の出口が衝突面から６ｍｍの距離だけ離間されたときに最適であった。設置は、大気インターフェースが異なることを除いて、図４０に使用された設置と同様であった。
【０５８６】
図４６Ｂは、毛細管の出口が衝突面の入口の６ｍｍ上流に配置され、３．２Ａのコイル加熱電流を使用したときの図４６Ａに関して説明された衝突アセンブリを使用して獲得されたフルスペクトルを示す。
【０５８７】
図４６Ｃは図４６Ｂにおけるスペクトルの一部の詳細を示す。
【０５８８】
図４６Ｄは、異なる加熱コイル電流に対して、毛細管の出口が衝突面の入口の５ｍｍ上流に配置されたときに獲得された総イオン電流を示す。図４６Ｄに示されたように、２．６Ａ〜３．６Ａの間で６個の異なる加熱コイル電流を試験した。総イオン電流は、約３．４Ａが最適である。
【０５８９】
図４７Ａは、衝突面に関して毛細管の出口の様々な異なる場所に対して、毛細管の出口軸と同軸に配置され、８ｍｍの長さを有する円錐形の衝突面を使用して測定されたイオン信号を示す。円錐形の衝突面は、内径が６ｍｍの入口から３ｍｍの出口端部まで先細であった。この例では、イオン信号は、毛細管の出口が入口で衝突面（すなわち０ｍｍ）に配置されたときに最適であった。
【０５９０】
図４７Ｂは、３．４Ａのコイル加熱電流を使用して図４７Ａの衝突アセンブリを使用して、ブタの肝臓を分析することによって獲得されたフルスペクトルを示す。
【０５９１】
図４７Ｃは図４７Ｂにおけるスペクトルの一部の詳細を示す。
【０５９２】
図４７Ｄは、異なる加熱コイル電流に対して獲得された総イオン電流を示す。図４７Ｄに示されたように、２．６Ａ〜３．８Ａの間で７個の異なる加熱コイル電流を試験した。総イオン電流は、約３．４Ａが最適である。
【０５９３】
実施形態は、質量および／またはイオン移動度分析計または他の気相イオン分析様式を使用して、検体を含有するエアロゾルおよび気体のサンプルの化学分析の装置および関連した方法を提供する。方法は、検体を含有するエアロゾルまたは他の気体のサンプル２０１を包囲された空間の中に導入して開始する。包囲された空間の中でサンプル２０１は低い分子重量のマトリクス化合物２０４と混合される。次いでこの同質の混合物または異質の混合物が、流入口２０６を介して質量および／またはイオン移動度分析計１０２の大気インターフェースの中に導入される。混合物を分析器具の低圧領域の中に導入する際に、サンプルおよびマトリクス化合物の分子成分を含有するエアロゾル粒子が形成され、エアロゾル粒子は自由噴流の拡張によって加速される。混合組成のエアロゾル粒子２０５は、続いて固体の衝突面２０９との衝突を介して溶解される。溶解事象により、サンプルの化学成分の分子イオン２１０を含む中性種および荷電種が生成される。イオン２１０は、異なる経路上のイオン２１０を中性種に案内するように電界を使用することにより、例えばＳｔｅｐｗａｖｅ（登録商標）イオンガイドなどのイオンガイド２１２を使用することにより、中性種から分離されてもよい。次いで分子イオン２１０は、質量および／またはイオン移動度分析を受ける。これにより、高い電圧またはレーザーを印加することなく、オンライン方式でエアゾルの分子成分の分析のための単純な解決策が提供される。
【０５９４】
この方法およびデバイスは、気相またはエアゾル型サンプルのオンライン質量および／またはイオン移動分光分析のための解決策を提供する。
【０５９５】
様々なさらなる実施形態によれば、マトリクス化合物２０４は、サンプルをイオン分析デバイス２０７の中に導入する前に、あらゆる点で蒸気として、または液体としてサンプルエアロゾル２０１の中に混合されてもよい。
【０５９６】
上に説明された実施形態は、クラスタの表面誘起解離を実行するために、特に固体衝突面形状に関連するが、（クラスタが、解離を誘発するために衝突面２０９に非常に高速で激突することを条件として）他の形状を実装することができることが理解されよう。
【０５９７】
サンプルスペクトルの分析
本発明の範囲内に収まることが意図される分析技法の一覧が以下の表に提供される。
【０５９８】
【表２】
2018508964.tif 000006
【０５９９】
ＰＣＡ−ＬＤＡ、ＰＣＡ−ＭＭＣ、ＰＬＳ−ＬＤＡなどの前述の分析手法を組み合わせて使用することができる。
【０６００】
サンプルスペクトルを分析することにより、次元縮退のための目的変数なしの分析に続いて、分類のための目的変数ありの分析を含むことができる。
【０６０１】
次に例として、多数の異なる分析技法についてより詳細に説明する。
【０６０２】
分類のためにモデルを開発する、多変量解析
次に例として、複数の標準サンプルスペクトルの多変量解析を使用して分類モデルを構築する方法について説明する。
【０６０３】
図４８は、多変量解析を使用して分類モデルを構築する方法１５００を示す。この例では、方法は、標準サンプルスペクトルに対して複数の組の強度値を獲得するステップ１５０２を含む。次いで方法は、目的変数なしの主成分分析（ＰＣＡ）のステップ１５０４に続いて、目的変数ありの線形判別分析（ＬＤＡ）のステップ１５０６を含む。この手法は、本明細書ではＰＣＡ−ＬＤＡと呼ばれることがある。ＰＣＡ−ＭＭＣなどの他の多変量解析の手法を使用してもよい。次いでステップ１５０８でＰＣＡ−ＬＤＡモデルを例えば保管するために出力する。
【０６０４】
このステップのような多変量解析は、エアロゾル、煙、または蒸気サンプルから獲得された１つまたは複数のサンプルスペクトルを使用してエアロゾル、煙、または蒸気サンプルを分類することができる、分類モデルを提供することができる。次に多変量解析について、単純な例に関連してより詳細に説明する。
【０６０５】
図４９は、公知の標準サンプルの２つのクラスから獲得された１組の標準サンプルスペクトルを示す。クラスは、本明細書に説明された標的のあらゆる１つまたは複数のクラスであってもよい。しかしわかりやすくするために、この例では２つのクラスを左側のクラスおよび右側のクラスと呼ぶ。
【０６０６】
それぞれの標準サンプルスペクトルは、標準サンプルスペクトルという点においてそれぞれの質量対電荷比に対して１組の３つの標準ピーク強度値を引き出すために、前処理をされている。３つの標準ピーク強度値のみが示されているが、より多くの標準ピーク強度値（例えば約１００個の標準ピーク強度値）が、各標準サンプルスペクトル内で対応する数の質量対電荷比に対して引き出されてもよいことが理解されよう。他の実施形態では、標準ピーク強度値は、質量、質量対電荷比、イオン移動度（ドリフト時間）、および／または操作パラメータに対応してもよい。
【０６０７】
図５０は、強度軸によって画定された三次元を有する多変量空間を示す。各次元または強度軸は、特に質量対電荷比でのピーク強度に対応する。やはり、多変量空間内により多くの次元または強度軸（例えば約１００個の次元または強度軸）があってもよいことが理解されよう。多変量空間は複数の基準点を備え、各基準点は標準サンプルスペクトルに対応する、すなわち各標準サンプルスペクトルのピーク強度値は、多変量空間内の基準点に対する座標を提供する。
【０６０８】
標準サンプルスペクトルの組は、それぞれの標準サンプルスペクトルに関連した行、それぞれの質量対電荷比に関連した列、およびそれぞれの標準サンプルスペクトルのそれぞれの質量対電荷比に対するピーク強度値であるマトリクスの要素を有する、基準マトリクスＤによって表されてもよい。
【０６０９】
多くの場合、多変量空間内の次元およびマトリクスＤが多いことにより、標準サンプルスペクトルをクラスにグループ化することが困難になる可能性がある。ＰＣＡは、主成分軸によって画定された１つまたは複数の次元の数が低減された、ＰＣＡ空間を画定するＰＣＡモデルを計算するために、それに従ってマトリクスＤを実行してもよい。主成分は、マトリクスＤ内の最大分散を含む、または「説明する」、またマトリクスＤ内の分散の閾値を累積的に説明する主成分であるように選択されてもよい。
【０６１０】
図５１は、累積分散がＰＣＡモデル内の主成分の数ｎの関数としてどのように増加し得るかを示す。分散の閾値は要望通りに選択されてもよい。
【０６１１】
ＰＣＡモデルは、非線形反復偏最小二乗（ＮＩＰＡＬＳ）アルゴリズムまたは特異値分解を使用してマトリクスＤから計算されてもよく、非線形反復偏最小二乗（ＮＩＰＡＬＳ）アルゴリズムまたは特異値分解の詳細は当業者に公知であるので、本明細書では詳細には説明しない。ＰＣＡモデルを計算する他の方法を使用してもよい。
【０６１２】
得られるＰＣＡモデルは、ＰＣＡのスコア行列ＳおよびＰＣＡの付加行列Ｌによって画定されてもよい。またＰＣＡは誤差行列Ｅを生成してもよく、誤差行列ＥはＰＣＡモデルによって説明されない分散を含有する。ＤとＳとＬとＥとの間の関係は以下のようであってもよい。
Ｄ＝ＳＬＴ＋Ｅ  （１）
【０６１３】
図５２は、図４９および図５０の標準サンプルスペクトルに対して得られるＰＣＡ空間を示す。この例では、ＰＣＡモデルは２つの主成分ＰＣ０およびＰＣ１を有し、したがってＰＣＡ空間は、２つの主成分軸によって画定された二次元を有する。しかしより少ないまたはより多い数の主成分が、所望通りにＰＣＡモデル内に含まれてもよい。主成分の数は、多変量空間内の次元数より少なくとも１つ少ないことが概して望ましい。
【０６１４】
ＰＣＡ空間は、複数の変換された基準点またはＰＣＡのスコアを含み、それぞれの変換された基準点またはＰＣＡのスコアは、図４９の標準サンプルスペクトルに対応し、したがって図５０の基準点に対応する。
【０６１５】
図５２に示されたように、ＰＣＡ空間の次元が低減されることにより、標準サンプルスペクトルを２つのクラスにグループ化することがより容易になる。またあらゆる外れ値が同定されてもよく、この段階で分類モデルから取り除かれてもよい。
【０６１６】
次いでクラスを画定するように、また恣意的に次元をさらに低減するように、ＰＣＡ空間内のマルチクラスのＬＤＡまたは最大マージン基準（ＭＭＣ）などのさらに目的変数ありの多変量解析が実行されてもよい。
【０６１７】
当業者には理解されるように、マルチクラスのＬＤＡは、クラス内の分散に対してクラス間の分散の割合を最大化（すなわち可能な最も小さいクラスの間に可能な最大の距離を与えるように）しようとする。ＬＤＡの詳細は当業者には公知であるので、本明細書では詳細には説明しない。
【０６１８】
得られるＰＣＡ−ＬＤＡモデルは、変換行列Ｕによって画定されてもよく、変換行列Ｕは、ＰＣＡのスコア行列Ｓおよび一般化された固有値問題を解くことにより、その中に含有された変換されたスペクトルのそれぞれに対するクラス課題から引き出されてもよい。
【０６１９】
次いで元のＰＣＡ空間から新しいＬＤＡ空間へのスコアＳの変換は、以下によって与えられてもよい。
Ｚ＝ＳＵ  （２）
上式で、行列ＺはＬＤＡ空間に変換されたスコアを含有する。
【０６２０】
図５３は、一次元または軸を有するＰＣＡ−ＬＤＡ空間を示し、ＬＤＡは図５２のＰＣＡ空間内で実行される。図５３に示されたように、ＬＤＡ空間は複数のさらに変換された基準点またはＰＣＡ−ＬＤＡスコアを含み、それぞれのさらに変換された基準点は、図５２の変換された基準点またはＰＣＡスコアに対応する。
【０６２１】
この例では、ＰＣＡ−ＬＤＡ空間の次元がさらに低減されることにより、標準サンプルスペクトルを２つのクラスにグループ化することさえもより容易にする。ＰＣＡ−ＬＤＡモデル内の各クラスは、その変換されたクラスの平均および共分散行列またはＰＣＡ−ＬＤＡ空間内の１つもしくは複数の超平面（点、線、面、もしくはより高い次元の超平面を含む）または超曲面またはボロノイ細胞によって画定されてもよい。
【０６２２】
ＰＣＡ負荷行列Ｌ、ＬＤＡ行列Ｕ、ならびに変換されたクラスの平均および共分散行列または超平面または超曲面またはボロノイ細胞は、後にエアロゾル、煙、または水蒸気サンプルを分類する際に使用するために、データベースに出力されてもよい。
【０６２３】
クラスｇに対するＬＤＡ空間Ｖ’ｇ内の変換された共分散行列は、以下によって与えられてもよい。
Ｖ’ｇ＝ＶＴＶｇＵ  （３）
上式で、ＶｇはＰＣＡ空間内のクラス共分散行列である。
【０６２４】
クラスｇに対する変換されたクラスの平均位置Ｚｇは、以下によって与えられてもよい。
ｓｇＵ＝ｚｇ  （４）
上式で、ｓｇはＰＣＡ空間内のクラスの平均位置である。
【０６２５】
分類のためにモデルを使用する、多変量解析
次に例として、エアロゾル、煙、または蒸気サンプルを分類するために分類モデルを使用する方法について説明する。
【０６２６】
図５４は、分類モデルを使用する方法２１００を示す。この例では、方法は、サンプルスペクトルに対して１組の強度値を取得するステップ２１０２を含む。次いで方法は、サンプルスペクトルに対する強度値の組をＰＣＡ−ＬＤＡモデル空間に投影するステップ２１０４を含む。ＰＣＡ−ＭＭＣなどの他の分類モデル空間を使用してもよい。サンプルスペクトルは、次いでステップ２１０６で投影位置に基づいて分類され、次いでステップ２１０８で分類が出力される。
【０６２７】
次にエアロゾル、煙、または蒸気サンプルの分類について、上に説明した単純なＰＣＡ−ＬＤＡモデルに関してより詳細に説明する。
【０６２８】
図５５は、未知のエアロゾル、煙、または蒸気サンプルから獲得されたサンプルスペクトルを示す。サンプルスペクトルは、それぞれの質量対電荷比に対して１組の３つのサンプルピーク強度値を引き出すために、前処理されている。上記のように、３つのサンプルピーク強度値のみが示されているが、サンプルスペクトルに対してより多くの対応する質量対電荷比においてより多くのサンプルピーク強度値（例えば約１００個のサンプルピーク強度値）が引き出されてもよいことが理解されよう。また上記のように、他の実施形態では、サンプルピーク強度値は、質量、質量対電荷比、イオン移動度（ドリフト時間）、および／または操作パラメータに対応してもよい。
【０６２９】
サンプルスペクトルはサンプルベクトルｄｘによって代表されてもよく、ベクトルの要素は、それぞれの質量対電荷比に対するピーク強度値である。サンプルスペクトルに対して変換されたＰＣＡベクトルｓｘは、以下の通りに獲得することができる。
ｄｘＬ＝ｓｘ  （５）
【０６３０】
次いでサンプルスペクトルに対して変換されたＰＣＡ−ＬＤＡベクトルｚｘは、以下の通りに獲得することができる。
ｓｘＵ＝ｚｘ  （６）
【０６３１】
図５６もやはり図５３のＰＣＡ−ＬＤＡ空間を示す。しかし図５６のＰＣＡ−ＬＤＡ空間は、図５５のサンプルスペクトルのピーク強度値から引き出された、変換されたＰＣＡ−ＬＤＡベクトルｚｘに対応する、投影されたサンプル点をさらに含む。
【０６３２】
この例では、投影されたサンプル点は、右側のクラスに関するクラス間の超平面の１側面に対するので、エアロゾル、煙、または蒸気サンプルは、右側のクラスに属するように分類されてもよい。
【０６３３】
別法として、ＬＤＡ空間内のクラス中央からのマハラノビス距離を使用してもよく、この場合クラスｇの中央から点ｚｘのマハラノビス距離は、以下の平方根によって与えられてもよく、
（ｚｘ−ｚｇ）Ｔ（Ｖ’ｇ）−１（ｚｘ−ｚｇ）  （８）
データベクトルｄｘは、この距離が最小であるクラスに割り当てられてもよい。
【０６３４】
加えて、多変量ガウスとして各クラスを処理すると、各クラスへのデータベクトルの構成員の確率が計算されてもよい。
【０６３５】
分類のためにライブラリを開発する、ライブラリに基づいた分析
次に例として、複数の入力標準サンプルスペクトルを使用して分類ライブラリを構築する方法について説明する。
【０６３６】
図５７は、分類ライブラリを構築する方法２４００を示す。この例では、方法は、複数の入力標準サンプルスペクトルを獲得するステップ２４０２、およびサンプルの各クラスに対する複数の入力標準サンプルスペクトルからメタデータを引き出すステップ２４０４を含む。次いで方法は、個別のライブラリ登録としてサンプルの各クラスに対してメタデータを記憶するステップ２４０６を含む。次いで分類ライブラリは、ステップ２４０８で例えば電子記憶装置に出力される。
【０６３７】
このような分類ライブラリは、エアロゾル、煙、または蒸気サンプルを、エアロゾル、煙、または蒸気サンプルから獲得された１つまたは複数のサンプルスペクトルを使用して分類することができる。次にライブラリに基づいた分析について、一例を参照してより詳細に説明する。
【０６３８】
この例では、分類ライブラリにおける各登録は、クラスを代表する複数の前処理された標準サンプルスペクトルから生成される。この例では、クラスに対する標準サンプルスペクトルを以下の手順に従って前処理する。
【０６３９】
まず再ビニング処理が実行される。この実施形態では、データは横座標で対数格子上に再サンプリングされる。
【０６４０】
【数１】
2018508964.tif 000007
上式で、Ｎｃｈａｎは選択された値であり、
【０６４１】
【数２】
2018508964.tif 000008
は、ｘより下の最も近い整数を表す。一例では、Ｎｃｈａｎは２１２すなわち４０９６である。
【０６４２】
次いで背景差分処理が実行される。この実施形態では、次いで各対のノット間のデータのｐ％が曲線の下にあるように、ｋ個のノットを備える三次スプラインが構成される。ついでこの曲線はデータから減算される。一例では、ｋは３２である。一例では、ｐは５である。次いで強度を減算したデータのｑ％の分位値に対応する定値は、各強度から減算される。正の値および負の値が維持される。一例では、ｑは４５である。
【０６４３】
次いで正規化処理が実行される。この実施形態では、データは、
【０６４４】
【数３】
2018508964.tif 000009
の平均値を有するように正規化される。一例では、
【０６４５】
【数４】
2018508964.tif 000010
である。
【０６４６】
次いでライブラリの登録は、スペクトル内の各Ｎｃｈａｎ点に対して中央スペクトル値μｉおよび偏差値Ｄｉの形のメタデータからなる。
【０６４７】
第ｉのチャネルに対する尤度は以下によって与えられる。
【０６４８】
【数５】
2018508964.tif 000011
上式で、１／２≦Ｃ＜∞であり、Ｉ’（Ｃ）はガンマ関数である。
【０６４９】
上の方程式は、Ｃ＝１に対して標準コーシー分布に低減し、Ｃ→∞としてガウス（標準）分布になる、一般化されたコーシー分布である。パラメータＤｉは分布の幅を制御する（ガウス極限においてＤｉ＝σｉは単に標準偏差である）一方で、大域値Ｃは尾部の大きさを制御する。
【０６５０】
一例では、Ｃは３／２であり、これはコーシーとガウスとの間にあるので、尤度は以下の通りになる。
【０６５１】
【数６】
2018508964.tif 000012
【０６５２】
各ライブラリ登録に対して、パラメータμｉは入力標準サンプルスペクトルの第ｉのチャネル内の値の一覧の中央値に設定される一方で、偏差Ｄｉは√２で割ったこれらの値の四分位範囲に取られる。この選択により、第ｉのチャネルに対する尤度が入力データと同じ四分位範囲を確実に有することができ、四分位の使用により範囲外データからある程度保護される。
【０６５３】
分類のためにライブラリを使用する、ライブラリに基づいた分析
次に例として、エアロゾル、煙、または蒸気サンプルを分類するために分類ライブラリを使用する方法について説明する。
【０６５４】
図５８は分類ライブラリを使用する方法２５００を示す。この例では、方法は、１組の複数のサンプルスペクトルを獲得するステップ２５０２を含む。次いで方法は、分類ライブラリ内にクラス登録するために、メタデータを使用してサンプルのクラス毎に１組の複数のサンプルスペクトルに対する確率または分類スコアを計算するステップ２５０４を含む。次いでステップ２５０６でサンプルスペクトルが分類され、次いでステップ２５０８で分類が出力される。
【０６５５】
次に上記の分類ライブラリを参照してエアロゾル、煙、または蒸気サンプルの分類についてより詳細に説明する。
【０６５６】
この例では、未知のサンプルスペクトルｙは１組の複数のサンプルスペクトルの中央値スペクトルである。中央値スペクトルｙを取ることにより、チャネル毎に範囲外データから保護することができる。
【０６５７】
次いでライブラリの登録に提供された入力データに対する尤度Ｌｓが、以下によって提供される。
【０６５８】
【数７】
2018508964.tif 000013
上式で、μｉおよびＤｉは、それぞれチャネルｉに対するライブラリ中央値および偏差値である。尤度Ｌｓは数的安全性に対するログ尤度として計算されてもよい。
【０６５９】
次いで尤度Ｌｓは、クラスに亘って事前確率が均一であると仮定して、確率を与えるためにすべての候補のクラスのＳ’に亘って正規化される。クラス
【０６６０】
【数８】
2018508964.tif 000014
に対して得られる確率が以下によって与えられる。
【０６６１】
【数９】
2018508964.tif 000015
【０６６２】
指数（１／Ｆ）は、そうでなければ限定的過ぎることがある確率を緩和することができる。一例ではＦ＝１００である。これらの確率は、例えばユーザインタフェースにおいて百分率として表してもよい。
【０６６３】
別法として、ＲＭＳ分類スコアＲｓは、ライブラリと同じ中央サンプル値およびライブラリからの微分値を使用して計算されてもよい。
【０６６４】
【数１０】
2018508964.tif 000016
【０６６５】
やはりスコアＲｓは、すべての候補のクラスのＳ’に亘って正規化される。
【０６６６】
次いでエアロゾル、煙、または蒸気サンプルは、最高確率および／または最高ＲＭＳ分類スコアを有するクラスに属するとして分類されてもよい。
【０６６７】
治療、手術および診断の方法、ならびに非医療方法
様々な異なる実施形態が企図される。一部の実施形態によれば、上に開示された方法は、体内の組織、体外の組織、または試験管内の組織上で実行されてもよい。組織は人間または非人間の動物組織を備えてもよい。
【０６６８】
様々な手術法、治療法、医療法、および診断法が企図される。
【０６６９】
しかし、体内の組織上で実行されない質量および／またはイオン移動度分析計の非手術法および非治療法に関連する、他の実施形態が企図される。人体または動物体の外側で実行されるように体外方法で実行される、他の関連した実施形態が企図される。
【０６７０】
さらなる実施形態は、方法が、例えば剖検手技の一部として非生存の人間または動物上で実行されることが企図される。
【０６７１】
本明細書に説明した質量および／またはイオン移動度分析は、マイナスイオンモードのみで、プラスイオンモードのみで、またはプラスイオンモードおよびマイナスイオンモードの両方でデータを獲得してもよい。プラスイオンモード分析データは、マイナスイオンモード分析データと組み合わせるか、または連結されてもよい。マイナスイオンモードは、脂質を備える標的からのエアゾル、煙、または蒸気のサンプルなどの、エアゾル、煙、または蒸気のサンプルを分類するために特に有益なスペクトルを提供することができる。
【０６７２】
イオン移動度分析データは、異なるイオン移動度のドリフトガスを使用して獲得されてもよく、または１つもしくは複数の種のドリフト時間の変化を誘発するためにドーパントをドリフトガスに加えてもよい。このデータは次いで組み合わせるか、または連結されてもよい。
【０６７３】
本発明は好ましい実施形態を参照して説明されたが、添付の特許請求の範囲に表記されたように本発明の範囲から逸脱することなく、形および詳細に様々な変更を行ってもよいことが当業者には理解されよう。
【図１】
2018508964.tif 000017
【図２】
2018508964.tif 000018
【図３】
2018508964.tif 000019
【図４Ａ】
2018508964.tif 000020
【図４Ｂ】
2018508964.tif 000021
【図５Ａ】
2018508964.tif 000022
【図５Ｂ】
2018508964.tif 000023
【図５Ｃ】
2018508964.tif 000024
【図６Ａ】
2018508964.tif 000025
【図６Ｂ】
2018508964.tif 000026
【図７Ａ】
2018508964.tif 000027
【図７Ｂ】
2018508964.tif 000028
【図８Ａ】
2018508964.tif 000029
【図８Ｂ】
2018508964.tif 000030
【図９Ａ】
2018508964.tif 000031
【図９Ｂ】
2018508964.tif 000032
【図１０】
2018508964.tif 000033
【図１１Ａ】
2018508964.tif 000034
【図１１Ｂ】
2018508964.tif 000035
【図１２Ａ】
2018508964.tif 000036
【図１２Ｂ】
2018508964.tif 000037
【図１２Ｃ】
2018508964.tif 000038
【図１２Ｄ】
2018508964.tif 000039
【図１２Ｅ】
2018508964.tif 000040
【図１３Ａ】
2018508964.tif 000041
【図１３Ｂ】
2018508964.tif 000042
【図１３Ｃ】
2018508964.tif 000043
【図１３Ｄ】
2018508964.tif 000044
【図１４】
2018508964.tif 000045
【図１５】
2018508964.tif 000046
【図１６】
2018508964.tif 000047
【図１７Ａ】
2018508964.tif 000048
【図１７Ｂ】
2018508964.tif 000049
【図１８Ａ】
2018508964.tif 000050
【図１８Ｂ】
2018508964.tif 000051
【図１９Ａ】
2018508964.tif 000052
【図１９Ｂ】
2018508964.tif 000053
【図２０Ａ】
2018508964.tif 000054
【図２０Ｂ】
2018508964.tif 000055
【図２１】
2018508964.tif 000056
【図２２】
2018508964.tif 000057
【図２３】
2018508964.tif 000058
【図２４】
2018508964.tif 000059
【図２５】
2018508964.tif 000060
【図２６Ａ】
2018508964.tif 000061
【図２６Ｂ】
2018508964.tif 000062
【図２７Ａ】
2018508964.tif 000063
【図２７Ｂ】
2018508964.tif 000064
【図２８Ａ】
2018508964.tif 000065
【図２８Ｂ】
2018508964.tif 000066
【図２８Ｃ】
2018508964.tif 000067
【図２９Ａ】
2018508964.tif 000068
【図２９Ｂ】
2018508964.tif 000069
【図３０Ａ】
2018508964.tif 000070
【図３０Ｂ】
2018508964.tif 000071
【図３１Ａ】
2018508964.tif 000072
【図３１Ｂ】
2018508964.tif 000073
【図３１Ｃ】
2018508964.tif 000074
【図３２Ａ】
2018508964.tif 000075
【図３２Ｂ】
2018508964.tif 000076
【図３２Ｃ】
2018508964.tif 000077
【図３３Ａ】
2018508964.tif 000078
【図３３Ｂ】
2018508964.tif 000079
【図３４Ａ】
2018508964.tif 000080
【図３４Ｂ】
2018508964.tif 000081
【図３５Ａ】
2018508964.tif 000082
【図３５Ｂ】
2018508964.tif 000083
【図３５Ｃ】
2018508964.tif 000084
【図３５Ｄ】
2018508964.tif 000085
【図３６Ａ】
2018508964.tif 000086
【図３６Ｂ】
2018508964.tif 000087
【図３６Ｃ】
2018508964.tif 000088
【図３６Ｄ】
2018508964.tif 000089
【図３６Ｅ】
2018508964.tif 000090
【図３６Ｆ】
2018508964.tif 000091
【図３７Ａ】
2018508964.tif 000092
【図３７Ｂ】
2018508964.tif 000093
【図３７Ｃ】
2018508964.tif 000094
【図３７Ｄ】
2018508964.tif 000095
【図３８Ａ】
2018508964.tif 000096
【図３８Ｂ】
2018508964.tif 000097
【図３８Ｃ】
2018508964.tif 000098
【図３９】
2018508964.tif 000099
【図４０Ａ】
2018508964.tif 000100
【図４０Ｂ】
2018508964.tif 000101
【図４０Ｃ】
2018508964.tif 000102
【図４０Ｄ】
2018508964.tif 000103
【図４０Ｅ】
2018508964.tif 000104
【図４０Ｆ】
2018508964.tif 000105
【図４０Ｇ】
2018508964.tif 000106
【図４０Ｈ】
2018508964.tif 000107
【図４０Ｉ】
2018508964.tif 000108
【図４０Ｊ】
2018508964.tif 000109
【図４０Ｋ】
2018508964.tif 000110
【図４０Ｌ】
2018508964.tif 000111
【図４０Ｍ】
2018508964.tif 000112
【図４１Ａ】
2018508964.tif 000113
【図４１Ｂ】
2018508964.tif 000114
【図４１Ｃ】
2018508964.tif 000115
【図４１Ｄ】
2018508964.tif 000116
【図４１Ｅ】
2018508964.tif 000117
【図４１Ｆ】
2018508964.tif 000118
【図４１Ｇ】
2018508964.tif 000119
【図４１Ｈ】
2018508964.tif 000120
【図４１Ｉ】
2018508964.tif 000121
【図４１Ｊ】
2018508964.tif 000122
【図４１Ｋ】
2018508964.tif 000123
【図４１Ｌ】
2018508964.tif 000124
【図４１Ｍ】
2018508964.tif 000125
【図４２Ａ】
2018508964.tif 000126
【図４２Ｂ】
2018508964.tif 000127
【図４２Ｃ】
2018508964.tif 000128
【図４２Ｄ】
2018508964.tif 000129
【図４２Ｅ】
2018508964.tif 000130
【図４２Ｆ】
2018508964.tif 000131
【図４２Ｇ】
2018508964.tif 000132
【図４２Ｈ】
2018508964.tif 000133
【図４２Ｉ】
2018508964.tif 000134
【図４２Ｊ】
2018508964.tif 000135
【図４２Ｋ】
2018508964.tif 000136
【図４２Ｌ】
2018508964.tif 000137
【図４２Ｍ】
2018508964.tif 000138
【図４２Ｎ】
2018508964.tif 000139
【図４２Ｏ】
2018508964.tif 000140
【図４３Ａ】
2018508964.tif 000141
【図４３Ｂ】
2018508964.tif 000142
【図４３Ｃ】
2018508964.tif 000143
【図４３Ｄ】
2018508964.tif 000144
【図４３Ｅ】
2018508964.tif 000145
【図４３Ｆ】
2018508964.tif 000146
【図４３Ｇ】
2018508964.tif 000147
【図４３Ｈ】
2018508964.tif 000148
【図４３Ｉ】
2018508964.tif 000149
【図４３Ｊ】
2018508964.tif 000150
【図４３Ｋ】
2018508964.tif 000151
【図４３Ｌ】
2018508964.tif 000152
【図４４Ａ】
2018508964.tif 000153
【図４４Ｂ】
2018508964.tif 000154
【図４４Ｃ】
2018508964.tif 000155
【図４４Ｄ】
2018508964.tif 000156
【図４５Ａ】
2018508964.tif 000157
【図４５Ｂ】
2018508964.tif 000158
【図４５Ｃ】
2018508964.tif 000159
【図４５Ｄ】
2018508964.tif 000160
【図４６Ａ】
2018508964.tif 000161
【図４６Ｂ】
2018508964.tif 000162
【図４６Ｃ】
2018508964.tif 000163
【図４６Ｄ】
2018508964.tif 000164
【図４７Ａ】
2018508964.tif 000165
【図４７Ｂ】
2018508964.tif 000166
【図４７Ｃ】
2018508964.tif 000167
【図４７Ｄ】
2018508964.tif 000168
【図４８】
2018508964.tif 000169
【図４９】
2018508964.tif 000170
【図５０】
2018508964.tif 000171
【図５１】
2018508964.tif 000172
【図５２】
2018508964.tif 000173
【図５３】
2018508964.tif 000174
【図５４】
2018508964.tif 000175
【図５５】
2018508964.tif 000176
【図５６】
2018508964.tif 000177
【図５７】
2018508964.tif 000178
【図５８】
2018508964.tif 000179
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
分析される標的からエアロゾル、煙、または蒸気を発生させるように構成される、第１のデバイスと、
真空チャンバ内に配置される、実質的に円筒形、管状、棒形状、コイル形状、螺旋状、または渦巻形状の衝突アセンブリと、
マトリクス分子を前記エアロゾル、煙、または蒸気に供給し、前記マトリクス分子を前記エアロゾル、煙、または蒸気と相互混合するように、配置され適合されたデバイスと、
前記衝突アセンブリを加熱するための加熱器または加熱コイルと、
前記衝突アセンブリと衝突する前記エアロゾル、煙、または蒸気がもたらす、検体イオンを分析するように配置された分析計であって、前記分析計は、真空チャンバに隣接した大気インターフェースをさらに備え、検体液滴は、前記大気インターフェースの両端の圧力差により前記衝突アセンブリ上に加速される、分析計と、を含む、
質量および／またはイオン移動度分析計。
【請求項２】
前記衝突アセンブリは、（ｉ）セラミック、（ｉｉ）非セラミック、（ｉｉｉ）ガラス、（ｉｖ）ガラスセラミック、（ｖ）石英、（ｖｉ）鋼鉄もしくはニッケルなどの金属、または（ｖｉｉ）鉄クロムアルミニウム（ＦｅＣｒＡｌ）合金、Ｋａｎｔｈａｌ、Ｎｉｋｒｏｔｈａｌ、もしくはＮｉｃｈｒｏｍｅなどの金属合金からなる群から選択される、外側衝突面であるか、または外側衝突面を備える、
請求項１に記載の質量および／またはイオン移動度分析計。
【請求項３】
前記加熱器または加熱コイルは、（ｉ）２００〜３００℃、（ｉｉ）３００〜４００℃、（ｉｉｉ）４００〜５００℃、（ｉｖ）５００〜６００℃、（ｖ）６００〜７００℃、（ｖｉ）７００〜８００℃、（ｖｉｉ）８００〜９００℃、（ｖｉｉｉ）９００〜１０００℃、（ｉｘ）１０００〜１１００℃、および（ｘ）＞１１００℃からなる群から選択された温度に前記衝突アセンブリを加熱するように配置される、
請求項１または請求項２に記載の質量および／またはイオン移動度分析計。
【請求項４】
前記第１のデバイスはレーザーを備える、請求項１、請求項２、または請求項３に記載の質量および／またはイオン移動度分析計。
【請求項５】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＥＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、
請求項１、請求項２、または請求項３に記載の質量および／またはイオン移動度分析計。
【請求項６】
前記標的は、細菌コロニー、真菌コロニー、または生物組織もしくは生体液体、例えば唾液、血液、または膿などの生物物質を備える、
請求項１〜５のいずれか１項に記載の質量および／またはイオン移動度分析計。
【請求項７】
（ｉ）前記衝突アセンブリは第１の長手方向軸を有し、前記エアロゾル、煙、または蒸気は使用時に、実質的に前記第１の軸に直交する第２の軸に沿って前記衝突アセンブリ上に方向付けるように配置され適合され、または
（ｉｉ）前記衝突アセンブリは第１の長手方向軸を有し、前記エアロゾル、煙、または蒸気は使用時に、前記第１の軸に沿って前記衝突アセンブリ上に方向付けるように配置され適合される、
請求項１〜６のいずれか１項に記載の質量および／またはイオン移動度分析計。
【請求項８】
前記マトリクスは、（ｉ）前記エアロゾル、煙、または蒸気のための溶媒、（ｉｉ）有機溶媒、（ｉｉｉ）揮発性化合物、（ｉｖ）極性または非極性分子、（ｖ）水、（ｖｉ）１つまたは複数のアルコール、（ｖｉｉ）メタノール、（ｖｉｉｉ）エタノール、（ｉｘ）イソプロパノール、（ｘ）アセトン、（ｘｉ）アセトニトリル、（ｘｉｉ）ジメチル・スルホキシド（ＤＭＳＯ）、（ｘｉｉｉ）グリコール、（ｘｉｖ）１−ブタノール、（ｘｖ）テトラヒドロフラン、（ｘｖｉ）エチルアセトン、（ｘｖｉｉ）エチレン・グリコール、（ｘｖｉｉｉ）アルデヒド、（ｘｉｘ）ケトン、（ｘｘ）ヘキサン、（ｘｘｉ）クロロホルム、および（ｘｘｉｉ）プロパノールからなる群から選択される、
請求項１〜７のいずれか１項に記載の質量および／またはイオン移動度分析計。
【請求項９】
前記衝突アセンブリを保護するために、伸張した位置で前記衝突アセンブリを少なくとも部分的に包囲する、１つまたは複数の遮蔽物をさらに備える、
請求項１〜８のいずれか１項に記載の質量および／またはイオン移動度分析計。
【請求項１０】
前記１つまたは複数の遮蔽物は、前記伸張した位置から、前記衝突アセンブリの少なくとも一部が前記１つまたは複数の遮蔽物によって包囲されない収縮した位置に、少なくとも部分的にまたは完全に収縮可能である、
請求項９に記載の質量および／またはイオン移動度分析計。
【請求項１１】
前記１つまたは複数の遮蔽物は、前記伸張した位置に向かって付勢される、
請求項１０に記載の質量および／またはイオン移動度分析計。
【請求項１２】
（ｉ）単変量解析、（ｉｉ）多変量解析、（ｉｉｉ）主成分分析（ＰＣＡ）、（ｉｖ）線形判別分析（ＬＤＡ）、（ｖ）最大マージン基準（ＭＭＣ）、（ｖｉ）ライブラリに基づいた分析、（ｖｉｉ）クラス分類のためのソフト無しモデリング（ＳＩＭＣＡ）、（ｖｉｉｉ）因子分析（ＦＡ）、（ｉｘ）再帰分割（決定木）、（ｘ）ランダムフォレスト、（ｘｉ）独立成分分析（ＩＣＡ）、（ｘｉｉ）部分最小二乗判別分析（ＰＬＳ−ＤＡ）、（ｘｉｉｉ）潜在構造に対する直行（部分最小二乗）射影（ＯＰＬＳ）、（ｘｉｖ）ＯＰＬＳ判別分析（ＯＰＬＳ−ＤＡ）、（ｘｖ）サポートベクトルマシン（ＳＶＭ）、（ｘｖｉ）（人工）神経回路網、（ｘｖｉｉ）多層パーセプトロン、（ｘｖｉｉｉ）放射基底関数（ＲＢＦ）網、（ｘｉｘ）ベイズ解析、（ｘｘ）クラスタ分析、（ｘｘｉ）カーネル法、（ｘｘｉｉ）部分判別分析、（ｘｘｉｉｉ）ｋ近傍法（ＫＮＮ）、（ｘｘｉｖ）二次判別分析（ＱＤＡ）、（ｘｘｖ）確立的主成分分析（ＰＰＣＡ）、（ｘｘｖｉ）非負値行列因子分解、（ｘｘｖｉｉ）ｋ平均因子分解、（ｘｘｖｉｉｉ）ファジーｃ平均因子分解、および（ｘｘｉｘ）判別分析（ＤＡ）のうちの１つまたは複数を使用して、前記エアゾル、煙、または蒸気を分類するように、１つまたは複数のサンプルスペクトルを分析するデバイスをさらに含む、
請求項１〜１１のいずれか１項に記載の質量および／またはイオン移動度分析計。
【請求項１３】
（ｉ）健常組織と病変組織とを区別するため、（ｉｉ）潜在的な癌組織と非癌組織とを区別するため、（ｉｉｉ）癌組織の異なる型または程度を区別するため、（ｉｖ）標的材料の異なる型またはクラスを区別するため、（ｖ）前記標的内に１つまたは複数の望ましい、または望ましくない物質が存在するか否かを判定するため、（ｖｉ）前記標的の同定または信頼性を確認するため、（ｖｉｉ）前記標的内に１つまたは複数の不純物、不法物質、または望ましくない物質が存在するか否かを判定するため、（ｖｉｉｉ）人間または動物の患者が有害転帰を受ける危険性が増加したか否かを判定するため、（ｉｘ）診断または予後の診断を作成するため、または作成を支援するため、および（ｘ）執刀医、看護師、医師、またはロボットに医療、手術、または診断結果を通知するための、いずれかのために前記分析データを分析するデバイスをさらに含む、
請求項１〜１２のいずれか１項に記載の質量および／またはイオン移動度分析計。
【請求項１４】
真空チャンバ内に配置される、実質的に円筒形、管状、棒形状、コイル形状、螺旋状、または渦巻形状の衝突アセンブリを提供するステップと、
分析される標的からエアロゾル、煙、または蒸気を発生させるための第１のデバイスを使用するステップと、
前記マトリクス分子を前記エアロゾル、煙、または蒸気に供給するステップ、および前記マトリクス分子を前記エアロゾル、煙、または蒸気と相互混合するステップと、
前記衝突アセンブリを加熱するステップと、
前記衝突アセンブリと衝突する前記エアロゾル、煙、または蒸気がもたらす、検体イオンを分析するステップであって、このとき、検体液滴は、大気インターフェースの両端の圧力差により前記衝突アセンブリ上に加速される、ステップと、を含む、
質量分析および／またはイオン移動度分析の方法。
【請求項１５】
前記衝突アセンブリは、（ｉ）セラミック、（ｉｉ）非セラミック、（ｉｉｉ）ガラス、（ｉｖ）ガラスセラミック、（ｖ）石英、（ｖｉ）鋼鉄もしくはニッケルなどの金属、または（ｖｉｉ）鉄クロムアルミニウム（ＦｅＣｒＡｌ）合金、Ｋａｎｔｈａｌ、Ｎｉｋｒｏｔｈａｌ、もしくはＮｉｃｈｒｏｍｅなどの金属合金からなる群から選択される、外側衝突面であるか、または外側衝突面を備える、
請求項１４に記載の質量分析および／またはイオン移動度分析の方法。
【請求項１６】
前記衝突アセンブリを加熱するステップは、（ｉ）２００〜３００℃、（ｉｉ）３００〜４００℃、（ｉｉｉ）４００〜５００℃、（ｉｖ）５００〜６００℃、（ｖ）６００〜７００℃、（ｖｉ）７００〜８００℃、（ｖｉｉ）８００〜９００℃、（ｖｉｉｉ）９００〜１０００℃、（ｉｘ）１０００〜１１００℃、および（ｘ）＞１１００℃からなる群から選択された温度に前記衝突アセンブリを加熱することを含む、
請求項１４または請求項１５に記載の質量分析および／またはイオン移動度分析の方法。
【請求項１７】
前記第１のデバイスはレーザーを備える、
請求項１４、請求項１５、または請求項１６に記載の質量分析および／またはイオン移動度分析の方法。
【請求項１８】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＥＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、
請求項１４〜１６のいずれか１項に記載の質量分析および／またはイオン移動度分析の方法。
【請求項１９】
（ｉ）単変量解析、（ｉｉ）多変量解析、（ｉｉｉ）主成分分析（ＰＣＡ）、（ｉｖ）線形判別分析（ＬＤＡ）、（ｖ）最大マージン基準（ＭＭＣ）、（ｖｉ）ライブラリに基づいた分析、（ｖｉｉ）クラス分類のためのソフト無しモデリング（ＳＩＭＣＡ）、（ｖｉｉｉ）因子分析（ＦＡ）、（ｉｘ）再帰分割（決定木）、（ｘ）ランダムフォレスト、（ｘｉ）独立成分分析（ＩＣＡ）、（ｘｉｉ）部分最小二乗判別分析（ＰＬＳ−ＤＡ）、（ｘｉｉｉ）潜在構造に対する直行（部分最小二乗）射影（ＯＰＬＳ）、（ｘｉｖ）ＯＰＬＳ判別分析（ＯＰＬＳ−ＤＡ）、（ｘｖ）サポートベクトルマシン（ＳＶＭ）、（ｘｖｉ）（人工）神経回路網、（ｘｖｉｉ）多層パーセプトロン、（ｘｖｉｉｉ）放射基底関数（ＲＢＦ）網、（ｘｉｘ）ベイズ解析、（ｘｘ）クラスタ分析、（ｘｘｉ）カーネル法、（ｘｘｉｉ）部分判別分析、（ｘｘｉｉｉ）ｋ近傍法（ＫＮＮ）、（ｘｘｉｖ）二次判別分析（ＱＤＡ）、（ｘｘｖ）確立的主成分分析（ＰＰＣＡ）、（ｘｘｖｉ）非負値行列因子分解、（ｘｘｖｉｉ）ｋ平均因子分解、（ｘｘｖｉｉｉ）ファジーｃ平均因子分解、および（ｘｘｉｘ）判別分析（ＤＡ）のうちの１つまたは複数を使用して、前記エアゾル、煙、または蒸気を分類するように、１つまたは複数のサンプルスペクトルを分析するステップをさらに含む、
請求項１４〜１８のいずれか１項に記載の質量分析および／またはイオン移動度分析の方法。
【国際調査報告】
2018508964.tif 000180
2018508964.tif 000181
2018508964.tif 000182
2018508964.tif 000183
2018508964.tif 000184
2018508964.tif 000185
2018508964.tif 000186